(57)【要約】本発明は、無線通信技術の分野に関係し、ランダム・アクセスによって必要とされる長い時間の問題を解決するためのランダム・アクセス方法および装置、基地局およびUEを開示する。本発明の実施形態によれば、ユーザー装置UEによって送られたランダム・アクセス・プリアンブルを基地局が受信し、前記ランダム・アクセス・プリアンブルは、前記UEが第一の送信機能をもつことを示すために使われ；前記基地局がPDCCHを使って前記UEにDCIを送り；前記基地局は前記DCIによって示されるDL-SCH転送ブロックを使って、前記ランダム・アクセス・プリアンブルについてのRARを前記UEに送り；前記基地局は、前記RARによって担持される上りリンク・スケジューリング情報に従って前記UEによって送られたUL-SCH転送ブロックを受信する。本発明の実施形態によって提供される解決策は、UEがネットワークにアクセスするプロセスに適用可能である。
2019504570.tif 000002
【特許請求の範囲】
【請求項１】
ランダム・アクセス方法であって：
ユーザー装置UEによって送られたランダム・アクセス・プリアンブルを、基地局によって受信する段階であって、前記ランダム・アクセス・プリアンブルは、前記UEが第一の送信機能をもつことを示すために使われ、前記第一の送信機能は第一の時間長さの送信時間単位を送信する機能である、段階と；
前記基地局によって、物理的下りリンク制御チャネルPDCCHを使って前記UEに下りリンク制御情報DCIを送る段階であって、前記DCIは送信時間単位指示情報および／または転送ブロック指示情報を担持し、前記送信時間単位指示情報は、DL-SCH転送ブロックおよび／または上りリンク共有チャネルUL-SCH転送ブロックの送信時間単位の時間長さを示すために使われ、前記送信時間単位の時間長さは前記第一の時間長さまたは第二の時間長さであり、前記第二の時間長さは前記第一の時間長さより長く、前記転送ブロック指示情報はDL-SCH転送ブロック位置情報および／またはUL-SCH転送ブロック位置情報を含む、段階と；
前記基地局によって、前記DCIによって示される前記DL-SCH転送ブロックを使って、前記ランダム・アクセス・プリアンブルについてのランダム・アクセス応答RARを前記UEに送る段階と；
前記RARによって担持される上りリンク・スケジューリング情報に従って前記UEによって送られたUL-SCH転送ブロックを、前記基地局によって受信する段階とを含む、
ランダム・アクセス方法。
【請求項２】
前記基地局によって、前記DCIによって示される前記DL-SCH転送ブロックを使って、前記ランダム・アクセス・プリアンブルについてのランダム・アクセス応答RARを前記UEに送る前記段階は：
前記DCIが前記送信時間単位指示情報を担持するときは、前記ランダム・アクセス・プリアンブルについての前記RARを担持する前記DL-SCH転送ブロックを、前記基地局によって前記UEに送る段階であって、前記DL-SCH転送ブロックの送信時間単位の時間長さは前記送信時間単位指示情報によって示される時間長さであり、前記DL-SCH転送ブロックの送信時間単位は、PDCCHの送信時間単位に隣接する送信時間単位またはPDCCHの送信時間単位である、段階；
前記DCIが前記転送ブロック指示情報を担持するときは、前記ランダム・アクセス・プリアンブルについての前記RARを担持する前記DL-SCH転送ブロックを、前記転送ブロック指示情報によって示されるDL-SCH転送ブロック位置情報によって示される位置において、前記基地局によって前記UEに送る段階であって、前記DL-SCH転送ブロックの送信時間単位の時間長さは事前設定された時間長さであり、前記DL-SCH転送ブロック位置情報は、前記DL-SCH転送ブロックの時間領域資源および／または周波数領域資源についての情報を含む、段階；または
前記DCIが前記送信時間単位指示情報および前記転送ブロック指示情報を担持するときは、前記ランダム・アクセス・プリアンブルについての前記RARを担持する前記DL-SCH転送ブロックを、前記転送ブロック指示情報によって示されるDL-SCH転送ブロック位置情報によって示される位置において、前記基地局によって前記UEに送る段階であって、前記DL-SCH転送ブロックの送信時間単位の時間長さは前記送信時間単位指示情報によって示される時間長さである、段階を含む、
請求項１記載のランダム・アクセス方法。
【請求項３】
前記RARによって担持される上りリンク・スケジューリング情報に従って前記UEによって送られたUL-SCH転送ブロックを、前記基地局によって受信する前記段階は：
前記DCIが前記送信時間単位指示情報を担持するときは、前記RARによって担持される上りリンク・スケジューリング情報に従って前記UEによって送られたUL-SCH転送ブロックを、該UL-SCH転送ブロックの事前設定された時間領域資源で前記送信時間単位指示情報に従って前記基地局によって受信する段階であって、前記UL-SCH転送ブロックの送信時間単位の時間長さは前記送信時間単位指示情報によって示される時間長さである、段階；
前記DCIが前記転送ブロック指示情報を担持するときは、前記RARによって担持される上りリンク・スケジューリング情報に従って前記UEによって送られたUL-SCH転送ブロックを、前記DCIによって担持される前記転送ブロック指示情報に従って、かつ、前記転送ブロック指示情報によって示されるUL-SCH転送ブロック位置情報によって示される位置において、前記基地局によって受信する段階であって、前記UL-SCH転送ブロック位置情報は、前記UL-SCH転送ブロックの時間領域資源および／または周波数領域資源についての情報を含み、前記UL-SCH転送ブロックの前記送信時間単位の時間長さは前記送信時間単位の事前設定された時間長さである、段階；または
前記DCIが前記送信時間単位指示情報および前記転送ブロック指示情報を担持するときは、前記RARによって担持される上りリンク・スケジューリング情報に従って前記UEによって送られたUL-SCH転送ブロックを、前記DCIによって担持される前記送信時間単位指示情報および前記転送ブロック指示情報に従って、かつ、前記転送ブロック指示情報によって示されるUL-SCH転送ブロック位置情報によって示される位置において、前記基地局によって受信する段階であって、前記UL-SCH転送ブロックの前記送信時間単位の時間長さは前記送信時間単位指示情報によって示される時間長さである、段階を含む、
請求項１または２記載のランダム・アクセス方法。
【請求項４】
前記基地局によって、物理的下りリンク制御チャネルPDCCHを使って前記UEに下りリンク制御情報DCIを送る前記段階の前に、当該方法がさらに：
前記ランダム・アクセス・プリアンブルに従って、前記基地局によって、前記DCIのフォーマットが第一のDCIフォーマットであることを判別することを含み、前記第一のDCIフォーマットは前記第一の送信機能をもつUEによってのみ検出されるDCIフォーマットである、
請求項３記載のランダム・アクセス方法。
【請求項５】
前記基地局によって、物理的下りリンク制御チャネルPDCCHを使って前記UEに下りリンク制御情報DCIを送る前記段階の前に、当該方法はさらに：
前記ランダム・アクセス・プリアンブルに従って、前記基地局によって、前記DCIのフォーマットがDCIフォーマット1AまたはDCIフォーマット1Cであることを判別することを含み、前記DCIフォーマット1Aおよび前記DCIフォーマット1Cのそれぞれには、前記送信時間単位指示情報および／または前記転送ブロック指示情報を担持するために使われるビット・フィールドが存在する、
請求項３記載のランダム・アクセス方法。
【請求項６】
前記DCIのフォーマットが前記DCIフォーマット1Aである場合、前記DCIにおけるMCSビット・フィールドにおけるビット情報が、前記送信時間単位指示情報を示すために使われる；または
前記DCIのフォーマットが前記DCIフォーマット1Cである場合、前記DCIにおける、新規データ・インジケーターNDIビット・フィールド、冗長性バージョンRVビット・フィールドおよび送信電力TPCビット・フィールドの最上位ビット（MSB）ビット・フィールドのうちの少なくとも一つにおけるビット・フィールドのビット情報が、前記送信時間単位指示情報および／または前記転送ブロック指示情報を示すために使われる、
請求項４または５記載のランダム・アクセス方法。
【請求項７】
前記基地局によって、物理的下りリンク制御チャネルPDCCHを使って前記UEに下りリンク制御情報DCIを送る前記段階の前に、当該方法がさらに：
前記PDCCHによって担持される前記DCIを、ランダム・アクセス無線ネットワーク一時識別子RA-RNTIに従って、前記基地局によってスクランブルすることを含み、
前記RA-RNTIは(1＋t_id＋10*f_id＋X  deta)  mod  Y＋1であり、XおよびYの値は整数である；または前記RA-RNTIは65301＋(10*t_id＋f_id)  mod  9であり、ここで、t_idは前記基地局によって検出される、前記ランダム・アクセス・プリアンブルを担持するPRACHの第一のサブフレームのシーケンス番号であり、0≦t_id＜10であり、f_idは前記ランダム・アクセス・プリアンブルを担持する前記PRACHの第一のサブフレームの第二のPRACHインデックスであり、0≦f_id＜6である、
請求項１ないし６のうちいずれか一項記載のランダム・アクセス方法。
【請求項８】
ランダム・アクセス方法であって：
ユーザー装置UEによってランダム・アクセス・プリアンブルを基地局に送る段階であって、前記ランダム・アクセス・プリアンブルは、前記UEが第一の送信機能をもつことを示すために使われ、前記第一の送信機能は第一の時間長さの送信時間単位を送信する機能である、段階と；
前記基地局によって物理的下りリンク制御チャネルPDCCHを使って送られた下りリンク制御情報DCIを、前記UEによって受信する段階であって、前記DCIは送信時間単位指示情報および／または転送ブロック指示情報を担持し、前記送信時間単位指示情報は、DL-SCH転送ブロックおよび／または上りリンク共有チャネルUL-SCH転送ブロックの送信時間単位の時間長さを示すために使われ、前記送信時間単位の時間長さは前記第一の時間長さまたは第二の時間長さであり、前記第二の時間長さは前記第一の時間長さより長く、前記転送ブロック指示情報はDL-SCH転送ブロック位置情報および／またはUL-SCH転送ブロック位置情報を含む、段階と；
前記DCIによって示される前記DL-SCH転送ブロックに従って前記基地局によって送られた、前記ランダム・アクセス・プリアンブルについてのランダム・アクセス応答RARを、前記DCIに従って前記UEによって受信する段階と；
前記RARによって担持される上りリンク・スケジューリング情報に従って、UL-SCH転送ブロックを、前記UEによって送る段階とを含む、
ランダム・アクセス方法。
【請求項９】
前記DCIによって示される前記DL-SCH転送ブロックに従って前記基地局によって送られた、前記ランダム・アクセス・プリアンブルについてのランダム・アクセス応答RARを、前記DCIに従って前記UEによって受信する前記段階は：
前記DCIが前記送信時間単位指示情報を担持するときは、前記基地局によって送られた、前記ランダム・アクセス・プリアンブルについての前記RARを担持する前記DL-SCH転送ブロックを、前記UEによって受信する段階であって、前記DL-SCH転送ブロックの送信時間単位の時間長さは前記送信時間単位指示情報によって示される時間長さであり、前記DL-SCH転送ブロックの送信時間単位は、PDCCHの送信時間単位に隣接する送信時間単位またはPDCCHの送信時間単位である、段階；
前記DCIが前記転送ブロック指示情報を担持するときは、前記基地局によって送られた、前記ランダム・アクセス・プリアンブルについての前記RARを担持する前記DL-SCH転送ブロックを、前記転送ブロック指示情報によって示されるDL-SCH転送ブロック位置情報によって示される位置において、前記UEによって受信する段階であって、前記DL-SCH転送ブロックの送信時間単位の時間長さは事前設定された時間長さであり、前記DL-SCH転送ブロック位置情報は、前記DL-SCH転送ブロックの時間領域資源および／または周波数領域資源についての情報を含む、段階；または
前記DCIが前記送信時間単位指示情報および前記転送ブロック指示情報を担持するときは、前記基地局によって送られた、前記ランダム・アクセス・プリアンブルについての前記RARを担持する前記DL-SCH転送ブロックを、前記転送ブロック指示情報によって示されるDL-SCH転送ブロック位置情報によって示される位置において、前記UEによって受信する段階であって、前記DL-SCH転送ブロックの送信時間単位の時間長さは前記送信時間単位指示情報によって示される時間長さである、段階を含む、
請求項８記載のランダム・アクセス方法。
【請求項１０】
前記RARによって担持される上りリンク・スケジューリング情報に従って、UL-SCH転送ブロックを、前記UEによって送る前記段階は：
前記DCIが前記送信時間単位指示情報を担持するときは、前記RARによって担持される上りリンク・スケジューリング情報および前記送信時間単位指示情報に従って、前記UL-SCH転送ブロックを、前記UL-SCH転送ブロックの事前設定された時間領域資源上で前記UEによって前記基地局に送る段階であって、前記UL-SCH転送ブロックの送信時間単位の時間長さは前記送信時間単位指示情報によって示される時間長さである、段階；
前記DCIが前記転送ブロック指示情報を担持するときは、前記RARによって担持される上りリンク・スケジューリング情報および前記DCIによって担持される前記転送ブロック指示情報に従って、前記UL-SCH転送ブロックを、前記転送ブロック指示情報によって示されるUL-SCH転送ブロック位置情報によって示される位置において、前記UEによって前記基地局に送る段階であって、前記UL-SCH転送ブロックの前記送信時間単位の時間長さは事前設定された時間長さであり、前記UL-SCH転送ブロック位置情報は、前記UL-SCH転送ブロックの時間領域資源および／または周波数領域資源についての情報を含む、段階；または
前記DCIが前記送信時間単位指示情報および前記転送ブロック指示情報を担持するときは、前記RARによって担持される上りリンク・スケジューリング情報ならびに前記DCIによって担持される前記送信時間単位指示情報および前記転送ブロック指示情報に従って、前記UL-SCH転送ブロックを、前記転送ブロック指示情報によって示されるUL-SCH転送ブロック位置情報によって示される位置において、前記UEによって前記基地局に送る段階であって、前記UL-SCH転送ブロックの前記送信時間単位の時間長さは前記送信時間単位指示情報によって示される時間長さである、段階を含む、
請求項８または９記載のランダム・アクセス方法。
【請求項１１】
前記基地局によって物理的下りリンク制御チャネルPDCCHを使って送られた下りリンク制御情報DCIを、前記UEによって受信する前記段階の後、当該方法がさらに：
受信されたDCIのフォーマットを、前記UEによって判別する段階と；
前記DCIのフォーマットが第一のDCIフォーマットであれば、前記DCIから前記送信時間単位指示情報および／または前記転送ブロック指示情報を前記UEによって取得する段階であって、前記第一のDCIフォーマットは前記第一の送信機能をもつUEによってのみ検出されるDCIフォーマットである、段階；
前記DCIのフォーマットがDCIフォーマット1Aである場合、前記DCIにおけるMCSビット・フィールドにおけるビット情報から、前記送信時間単位指示情報を前記UEによって取得する段階；または
前記DCIのフォーマットがDCIフォーマット1Cである場合、前記DCIにおける、新規データ・インジケーターNDIビット・フィールド、冗長性バージョンRVビット・フィールドおよび送信電力TPCの最上位ビット（MSB）ビット・フィールドのうちの少なくとも一つにおけるビット・フィールドのビット情報から、前記送信時間単位指示情報および／または前記転送ブロック指示情報を前記UEによって取得する段階を含む、
請求項１０記載のランダム・アクセス方法。
【請求項１２】
前記基地局によって物理的下りリンク制御チャネルPDCCHを使って送られた下りリンク制御情報DCIを、前記UEによって受信する前記段階の後、当該方法はさらに：
無線ネットワーク一時識別子RA-RNTIを前記UEによって決定する段階であって、前記RA-RNTIは(1＋t_id＋10*f_id＋X  deta)  mod  Y＋1であり、XおよびYの値は整数である；または前記RA-RNTIは65301＋(10*t_id＋f_id)  mod  9であり、ここで、t_idは、前記ランダム・アクセス・プリアンブルを担持するPRACHの第一のサブフレームのシーケンス番号であり、0≦t_id＜10であり、f_idは前記ランダム・アクセス・プリアンブルを担持する前記PRACHの第一のサブフレームの第二のPRACHインデックスであり、0≦f_id＜6である、段階と；
前記RA-RNTIに従って、前記PDCCHによって担持される前記DCIを、前記UEによってスクランブル解除する段階とを含む、
請求項８ないし１１のうちいずれか一項記載のランダム・アクセス方法。
【請求項１３】
ランダム・アクセス装置であって、当該装置は基地局に適用され：
ユーザー装置UEによって送られたランダム・アクセス・プリアンブルを受信するよう構成された受信ユニットであって、前記ランダム・アクセス・プリアンブルは、前記UEが第一の送信機能をもつことを示すために使われ、前記第一の送信機能は第一の時間長さの送信時間単位を送信する機能である、受信ユニットと；
物理的下りリンク制御チャネルPDCCHを使って前記UEに下りリンク制御情報DCIを送るよう構成された送信ユニットであって、前記DCIは送信時間単位指示情報および／または転送ブロック指示情報を担持し、前記送信時間単位指示情報は、DL-SCH転送ブロックおよび／または上りリンク共有チャネルUL-SCH転送ブロックの送信時間単位の時間長さを示すために使われ、前記送信時間単位の時間長さは前記第一の時間長さまたは第二の時間長さであり、前記第二の時間長さは前記第一の時間長さより長く、前記転送ブロック指示情報はDL-SCH転送ブロック位置情報および／またはUL-SCH転送ブロック位置情報を含む、送信ユニットと；
前記DCIによって示される前記DL-SCH転送ブロックを使って、前記ランダム・アクセス・プリアンブルについてのランダム・アクセス応答RARを前記UEに送るよう前記送信ユニットを制御するよう構成された処理ユニットとを含み、
前記受信ユニットは、前記RARによって担持される上りリンク・スケジューリング情報に従って前記UEによって送られたUL-SCH転送ブロックを受信するようさらに構成される、
ランダム・アクセス装置。
【請求項１４】
前記処理ユニットはさらに：  前記DCIが前記送信時間単位指示情報を担持するときは、前記ランダム・アクセス・プリアンブルについての前記RARを担持する前記DL-SCH転送ブロックを前記UEに送るよう前記送信ユニットを制御する段階であって、前記DL-SCH転送ブロックの送信時間単位の時間長さは前記送信時間単位指示情報によって示される時間長さであり、前記DL-SCH転送ブロックの送信時間単位は、PDCCHの送信時間単位に隣接する送信時間単位またはPDCCHの送信時間単位である、段階；  前記DCIが前記転送ブロック指示情報を担持するときは、前記ランダム・アクセス・プリアンブルについての前記RARを担持する前記DL-SCH転送ブロックを、前記転送ブロック指示情報によって示されるDL-SCH転送ブロック位置情報によって示される位置において、前記UEに送るよう前記送信ユニットを制御する段階であって、前記DL-SCH転送ブロックの送信時間単位の時間長さは事前設定された時間長さであり、前記DL-SCH転送ブロック位置情報は、前記DL-SCH転送ブロックの時間領域資源および／または周波数領域資源についての情報を含む、段階；または  前記DCIが前記送信時間単位指示情報および前記転送ブロック指示情報を担持するときは、前記ランダム・アクセス・プリアンブルについての前記RARを担持する前記DL-SCH転送ブロックを、前記転送ブロック指示情報によって示されるDL-SCH転送ブロック位置情報によって示される位置において、前記UEに送るよう前記送信ユニットを制御する段階であって、前記DL-SCH転送ブロックの送信時間単位の時間長さは前記送信時間単位指示情報によって示される時間長さである、段階を実行するよう構成される、
請求項１３記載のランダム・アクセス装置。
【請求項１５】
前記処理ユニットはさらに：  前記DCIが前記送信時間単位指示情報を担持するときは、前記RARによって担持される上りリンク・スケジューリング情報に従って前記UEによって送られたUL-SCH転送ブロックを、該UL-SCH転送ブロックの事前設定された時間領域資源で前記送信時間単位指示情報に従って受信するよう前記受信ユニットを制御する段階であって、前記UL-SCH転送ブロックの送信時間単位の時間長さは前記送信時間単位指示情報によって示される時間長さである、段階；  前記DCIが前記転送ブロック指示情報を担持するときは、前記RARによって担持される上りリンク・スケジューリング情報に従って前記UEによって送られたUL-SCH転送ブロックを、前記DCIによって担持される前記転送ブロック指示情報に従って、かつ、前記転送ブロック指示情報によって示されるUL-SCH転送ブロック位置情報によって示される位置において、受信するよう前記受信ユニットを制御する段階であって、前記UL-SCH転送ブロック位置情報は、前記UL-SCH転送ブロックの時間領域資源および／または周波数領域資源についての情報を含み、前記UL-SCH転送ブロックの前記送信時間単位の時間長さは前記送信時間単位の事前設定された時間長さである、段階；または  前記DCIが前記送信時間単位指示情報および前記転送ブロック指示情報を担持するときは、前記RARによって担持される上りリンク・スケジューリング情報に従って前記UEによって送られたUL-SCH転送ブロックを、前記DCIによって担持される前記送信時間単位指示情報および前記転送ブロック指示情報に従って、かつ、前記転送ブロック指示情報によって示されるUL-SCH転送ブロック位置情報によって示される位置において、受信するよう前記受信ユニットを制御する段階であって、前記UL-SCH転送ブロックの前記送信時間単位の時間長さは前記送信時間単位指示情報によって示される時間長さである、段階を実行するよう構成される、
請求項１３または１４記載のランダム・アクセス装置。
【請求項１６】
前記処理ユニットは：
前記受信ユニットによって受信された前記ランダム・アクセス・プリアンブルに従って、前記DCIのフォーマットが第一のDCIフォーマットであることを判別するよう構成された判別モジュールを有しており、前記第一のDCIフォーマットは前記第一の送信機能をもつUEによってのみ検出されるDCIフォーマットである、
請求項１５記載のランダム・アクセス装置。
【請求項１７】
前記判別モジュールがさらに、前記受信ユニットによって受信された前記ランダム・アクセス・プリアンブルに従って、前記DCIのフォーマットがDCIフォーマット1AまたはDCIフォーマット1Cであることを判別するよう構成され、ここで、前記DCIフォーマット1Aおよび前記DCIフォーマット1Cのそれぞれには、前記送信時間単位指示情報および／または前記転送ブロック指示情報を担持するために使われるビット・フィールドが存在する、請求項１５記載のランダム・アクセス装置。
【請求項１８】
前記DCIのフォーマットが前記DCIフォーマット1Aである場合、前記DCIにおけるMCSビット・フィールドにおけるビット情報が、前記送信時間単位指示情報を示すために使われる；または
前記DCIのフォーマットが前記DCIフォーマット1Cである場合、前記DCIにおける、新規データ・インジケーターNDIビット・フィールド、冗長性バージョンRVビット・フィールドおよび送信電力TPCの最上位ビット（MSB）ビット・フィールドのうちの少なくとも一つにおけるビット・フィールドのビット情報が、前記送信時間単位指示情報および／または前記転送ブロック指示情報を示すために使われる、
請求項１６または１７記載のランダム・アクセス装置。
【請求項１９】
前記処理ユニットはさらに：
前記PDCCHによって担持される前記DCIを、ランダム・アクセス無線ネットワーク一時識別子RA-RNTIに従って、スクランブルするよう構成されたスクランブル・モジュールを有しており、前記RA-RNTIは(1＋t_id＋10*f_id＋X  deta)  mod  Y＋1であり、XおよびYの値は整数である；または前記RA-RNTIは65301＋(10*t_id＋f_id)  mod  9であり、ここで、t_idは前記基地局によって検出される、前記ランダム・アクセス・プリアンブルを担持するPRACHの第一のサブフレームのシーケンス番号であり、0≦t_id＜10であり、f_idは前記ランダム・アクセス・プリアンブルを担持する前記PRACHの第一のサブフレームの第二のPRACHインデックスであり、0≦f_id＜6でありうる、
請求項１３ないし１８のうちいずれか一項記載のランダム・アクセス装置。
【請求項２０】
ランダム・アクセス装置であって、当該装置はユーザー装置UEに適用され：
ランダム・アクセス・プリアンブルを基地局に送るよう構成された送信ユニットであって、前記ランダム・アクセス・プリアンブルは、前記UEが第一の送信機能をもつことを示すために使われ、前記第一の送信機能は第一の時間長さの送信時間単位を送信する機能である、送信ユニットと；
前記基地局によって物理的下りリンク制御チャネルPDCCHを使って送られた下りリンク制御情報DCIを受信するよう構成された受信ユニットであって、前記DCIは送信時間単位指示情報および／または転送ブロック指示情報を担持し、前記送信時間単位指示情報は、DL-SCH転送ブロックおよび／または上りリンク共有チャネルUL-SCH転送ブロックの送信時間単位の時間長さを示すために使われ、前記送信時間単位の時間長さは前記第一の時間長さまたは第二の時間長さであり、前記第二の時間長さは前記第一の時間長さより長く、前記転送ブロック指示情報はDL-SCH転送ブロック位置情報および／またはUL-SCH転送ブロック位置情報を含む、受信ユニットと；
前記DCIによって示される前記DL-SCH転送ブロックに従って前記基地局によって送られた、前記ランダム・アクセス・プリアンブルについてのランダム・アクセス応答RARを、前記DCIに従って受信するよう前記受信ユニットを制御し；前記RARによって担持される上りリンク・スケジューリング情報に従って、UL-SCH転送ブロックを送るよう前記送信ユニットを制御するよう構成された処理ユニットとを有する、
ランダム・アクセス装置。
【請求項２１】
前記処理ユニットはさらに：  前記DCIが前記送信時間単位指示情報を担持するときは、前記基地局によって送られた、前記ランダム・アクセス・プリアンブルについての前記RARを担持する前記DL-SCH転送ブロックを受信するよう前記受信ユニットを制御する段階であって、前記DL-SCH転送ブロックの送信時間単位の時間長さは前記送信時間単位指示情報によって示される時間長さであり、前記DL-SCH転送ブロックの送信時間単位は、PDCCHの送信時間単位に隣接する送信時間単位またはPDCCHの送信時間単位である、段階；  前記DCIが前記転送ブロック指示情報を担持するときは、前記基地局によって送られた、前記ランダム・アクセス・プリアンブルについての前記RARを担持する前記DL-SCH転送ブロックを、前記転送ブロック指示情報によって示されるDL-SCH転送ブロック位置情報によって示される位置において受信するよう前記受信ユニットを制御する段階であって、前記DL-SCH転送ブロックの送信時間単位の時間長さは事前設定された時間長さであり、前記DL-SCH転送ブロック位置情報は、前記DL-SCH転送ブロックの時間領域資源および／または周波数領域資源についての情報を含む、段階；または  前記DCIが前記送信時間単位指示情報および前記転送ブロック指示情報を担持するときは、前記基地局によって送られた、前記ランダム・アクセス・プリアンブルについての前記RARを担持する前記DL-SCH転送ブロックを、前記転送ブロック指示情報によって示されるDL-SCH転送ブロック位置情報によって示される位置において受信するよう前記受信ユニットを制御する段階であって、前記DL-SCH転送ブロックの送信時間単位の時間長さは前記送信時間単位指示情報によって示される時間長さである、段階を実行するよう構成される、
請求項２０記載のランダム・アクセス装置。
【請求項２２】
前記処理ユニットはさらに：
前記DCIが前記送信時間単位指示情報を担持するときは、前記RARによって担持される上りリンク・スケジューリング情報および前記送信時間単位指示情報に従って、前記UL-SCH転送ブロックを、前記UL-SCH転送ブロックの事前設定された時間領域資源上で前記基地局に送るよう前記送信ユニットを制御する段階であって、前記UL-SCH転送ブロックの送信時間単位の時間長さは前記送信時間単位指示情報によって示される時間長さである、段階；  前記DCIが前記転送ブロック指示情報を担持するときは、前記RARによって担持される上りリンク・スケジューリング情報および前記DCIによって担持される前記転送ブロック指示情報に従って、前記UL-SCH転送ブロックを、前記転送ブロック指示情報によって示されるUL-SCH転送ブロック位置情報によって示される位置において、前記基地局に送るよう前記送信ユニットを制御する段階であって、前記UL-SCH転送ブロックの前記送信時間単位の時間長さは事前設定された時間長さであり、前記UL-SCH転送ブロック位置情報は、前記UL-SCH転送ブロックの時間領域資源および／または周波数領域資源についての情報を含む、段階；または  前記DCIが前記送信時間単位指示情報および前記転送ブロック指示情報を担持するときは、前記RARによって担持される上りリンク・スケジューリング情報ならびに前記DCIによって担持される前記送信時間単位指示情報および前記転送ブロック指示情報に従って、前記UL-SCH転送ブロックを、前記転送ブロック指示情報によって示されるUL-SCH転送ブロック位置情報によって示される位置において、前記基地局に送るよう前記送信ユニットを制御する段階であって、前記UL-SCH転送ブロックの前記送信時間単位の時間長さは前記送信時間単位指示情報によって示される時間長さである、段階を実行するよう構成される、
請求項２０または２１記載のランダム・アクセス装置。
【請求項２３】
前記処理ユニットはさらに：
前記受信ユニットによって受信された受信DCIのフォーマットを判別するよう構成された判別モジュールと；
取得モジュールであって：前記判別モジュールが、前記DCIのフォーマットが第一のDCIフォーマットであると判別する場合、前記DCIから前記送信時間単位指示情報および／または前記転送ブロック指示情報を取得する段階であって、前記第一のDCIフォーマットは前記第一の送信機能をもつUEによってのみ検出されるDCIフォーマットである、段階；  前記DCIのフォーマットがDCIフォーマット1Aである場合、前記DCIにおけるMCSビット・フィールドにおけるビット情報から、前記送信時間単位指示情報を取得する段階；または前記DCIのフォーマットがDCIフォーマット1Cである場合、前記DCIにおける、新規データ・インジケーターNDIビット・フィールド、冗長性バージョンRVビット・フィールドおよび送信電力TPCの最上位ビット（MSB）ビット・フィールドのうちの少なくとも一つにおけるビット・フィールドのビット情報から、前記送信時間単位指示情報および／または前記転送ブロック指示情報を取得する段階を実行するよう構成されている取得モジュールとを有する、
請求項２２記載のランダム・アクセス装置。
【請求項２４】
前記処理ユニットはさらにスクランブル解除モジュールを有しており、
前記判別モジュールがさらに、無線ネットワーク一時識別子RA-RNTIを決定するよう構成され、前記RA-RNTIは(1＋t_id＋10*f_id＋X  deta)  mod  Y＋1であり、XおよびYの値は整数である；または前記RA-RNTIは65301＋(10*t_id＋f_id)  mod  9であり、ここで、t_idは、前記ランダム・アクセス・プリアンブルを担持するPRACHの第一のサブフレームのシーケンス番号であり、0≦t_id＜10であり、f_idは前記ランダム・アクセス・プリアンブルを担持するPRACHの第一のサブフレームの第二のPRACHインデックスであり、0≦f_id＜6であり；
前記スクランブル解除モジュールは、前記判別モジュールによって決定された前記RA-RNTIに従って、前記PDCCHによって担持される前記DCIをスクランブル解除するよう構成される、
請求項２０ないし２３のうちいずれか一項記載のランダム・アクセス装置。
【請求項２５】
基地局であって：
ユーザー装置UEによって送られたランダム・アクセス・プリアンブルを受信するよう構成された受信器であって、前記ランダム・アクセス・プリアンブルは、前記UEが第一の送信機能をもつことを示すために使われ、前記第一の送信機能は第一の時間長さの送信時間単位を送信する機能である、受信器と；
物理的下りリンク制御チャネルPDCCHを使って前記UEに下りリンク制御情報DCIを送るよう構成された送信器であって、前記DCIは送信時間単位指示情報および／または転送ブロック指示情報を担持し、前記送信時間単位指示情報は、DL-SCH転送ブロックおよび／または上りリンク共有チャネルUL-SCH転送ブロックの送信時間単位の時間長さを示すために使われ、前記送信時間単位の時間長さは前記第一の時間長さまたは第二の時間長さであり、前記第二の時間長さは前記第一の時間長さより長く、前記転送ブロック指示情報はDL-SCH転送ブロック位置情報および／またはUL-SCH転送ブロック位置情報を含む、送信器と；
プログラム命令の実行を制御するよう構成された、前記受信器および前記送信器に結合されたプロセッサであって、具体的には、前記DCIによって示される前記DL-SCH転送ブロックを使って、前記ランダム・アクセス・プリアンブルについてのランダム・アクセス応答RARを前記UEに送るよう前記送信器を制御するよう構成されたプロセッサとを有しており、
前記受信器は、前記RARによって担持される上りリンク・スケジューリング情報に従って前記UEによって送られたUL-SCH転送ブロックを受信するようさらに構成される、
基地局。
【請求項２６】
前記プロセッサはさらに：  前記DCIが前記送信時間単位指示情報を担持するときは、前記ランダム・アクセス・プリアンブルについての前記RARを担持する前記DL-SCH転送ブロックを、前記UEに送るよう前記送信器を制御する段階であって、前記DL-SCH転送ブロックの送信時間単位の時間長さは前記送信時間単位指示情報によって示される時間長さであり、前記DL-SCH転送ブロックの送信時間単位は、PDCCHの送信時間単位に隣接する送信時間単位またはPDCCHの送信時間単位である、段階；  前記DCIが前記転送ブロック指示情報を担持するときは、前記ランダム・アクセス・プリアンブルについての前記RARを担持する前記DL-SCH転送ブロックを、前記転送ブロック指示情報によって示されるDL-SCH転送ブロック位置情報によって示される位置において、前記UEに送るよう前記送信器を制御する段階であって、前記DL-SCH転送ブロックの送信時間単位の時間長さは事前設定された時間長さであり、前記DL-SCH転送ブロック位置情報は、前記DL-SCH転送ブロックの時間領域資源および／または周波数領域資源についての情報を含む、段階；または  前記DCIが前記送信時間単位指示情報および前記転送ブロック指示情報を担持するときは、前記ランダム・アクセス・プリアンブルについての前記RARを担持する前記DL-SCH転送ブロックを、前記転送ブロック指示情報によって示されるDL-SCH転送ブロック位置情報によって示される位置において、前記UEに送るよう前記送信器を制御する段階であって、前記DL-SCH転送ブロックの送信時間単位の時間長さは前記送信時間単位指示情報によって示される時間長さである、段階を実行するよう構成される、
請求項２５記載の基地局。
【請求項２７】
前記プロセッサはさらに：  前記DCIが前記送信時間単位指示情報を担持するときは、前記RARによって担持される上りリンク・スケジューリング情報に従って前記UEによって送られたUL-SCH転送ブロックを、該UL-SCH転送ブロックの事前設定された時間領域資源で前記送信時間単位指示情報に従って受信するよう前記受信器を制御する段階であって、前記UL-SCH転送ブロックの送信時間単位の時間長さは前記送信時間単位指示情報によって示される時間長さである、段階；  前記DCIが前記転送ブロック指示情報を担持するときは、前記RARによって担持される上りリンク・スケジューリング情報に従って前記UEによって送られたUL-SCH転送ブロックを、前記DCIによって担持される前記転送ブロック指示情報に従って、かつ、前記転送ブロック指示情報によって示されるUL-SCH転送ブロック位置情報によって示される位置において、受信するよう前記受信器を制御する段階であって、前記UL-SCH転送ブロック位置情報は、前記UL-SCH転送ブロックの時間領域資源および／または周波数領域資源についての情報を含み、前記UL-SCH転送ブロックの前記送信時間単位の時間長さは前記送信時間単位の事前設定された時間長さである、段階；または  前記DCIが前記送信時間単位指示情報および前記転送ブロック指示情報を担持するときは、前記RARによって担持される上りリンク・スケジューリング情報に従って前記UEによって送られたUL-SCH転送ブロックを、前記DCIによって担持される前記送信時間単位指示情報および前記転送ブロック指示情報に従って、かつ、前記転送ブロック指示情報によって示されるUL-SCH転送ブロック位置情報によって示される位置において、受信するよう前記受信器を制御する段階であって、前記UL-SCH転送ブロックの前記送信時間単位の時間長さは前記送信時間単位指示情報によって示される時間長さである、段階を実行するよう構成される、
請求項２５または２６記載の基地局。
【請求項２８】
前記プロセッサはさらに、前記受信器によって受信された前記ランダム・アクセス・プリアンブルに従って、前記DCIのフォーマットが第一のDCIフォーマットであることを判別するよう構成され、前記第一のDCIフォーマットは前記第一の送信機能をもつUEによってのみ検出されるDCIフォーマットである、
請求項２７記載の基地局。
【請求項２９】
前記プロセッサはさらに、前記受信器によって受信された前記ランダム・アクセス・プリアンブルに従って、前記DCIのフォーマットがDCIフォーマット1AまたはDCIフォーマット1Cであることを判別するよう構成され、前記DCIフォーマット1Aおよび前記DCIフォーマット1Cのそれぞれには、前記送信時間単位指示情報および／または前記転送ブロック指示情報を担持するために使われるビット・フィールドが存在する、
請求項２７記載の基地局。
【請求項３０】
前記DCIのフォーマットが前記DCIフォーマット1Aである場合、前記DCIにおけるMCSビット・フィールドにおけるビット情報が、前記送信時間単位指示情報を示すために使われる；または
前記DCIのフォーマットが前記DCIフォーマット1Cである場合、前記DCIにおける、新規データ・インジケーターNDIビット・フィールド、冗長性バージョンRVビット・フィールドおよび送信電力TPCビット・フィールドの最上位ビット（MSB）ビット・フィールドのうちの少なくとも一つにおけるビット・フィールドのビット情報が、前記送信時間単位指示情報および／または前記転送ブロック指示情報を示すために使われる、
請求項２８または２９記載の基地局。
【請求項３１】
前記プロセッサはさらに、前記PDCCHによって担持される前記DCIを、ランダム・アクセス無線ネットワーク一時識別子RA-RNTIに従って、スクランブルするよう構成され、前記RA-RNTIは(1＋t_id＋10*f_id＋X  deta)  mod  Y＋1であり、XおよびYの値は整数である；または前記RA-RNTIは65301＋(10*t_id＋f_id)  mod  9であり、ここで、t_idは当該基地局によって検出される、前記ランダム・アクセス・プリアンブルを担持するPRACHの第一のサブフレームのシーケンス番号であり、0≦t_id＜10であり、f_idは前記ランダム・アクセス・プリアンブルを担持する前記PRACHの第一のサブフレームの第二のPRACHインデックスであり、0≦f_id＜6である、
請求項２５ないし３０のうちいずれか一項記載の基地局。
【請求項３２】
ユーザー装置UEであって：
ランダム・アクセス・プリアンブルを基地局に送るよう構成された送信器であって、前記ランダム・アクセス・プリアンブルは、前記UEが第一の送信機能をもつことを示すために使われ、前記第一の送信機能は第一の時間長さの送信時間単位を送信する機能である、送信器と；
前記基地局によって物理的下りリンク制御チャネルPDCCHを使って送られた下りリンク制御情報DCIを受信するよう構成された受信器であって、前記DCIは送信時間単位指示情報および／または転送ブロック指示情報を担持し、前記送信時間単位指示情報は、DL-SCH転送ブロックおよび／または上りリンク共有チャネルUL-SCH転送ブロックの送信時間単位の時間長さを示すために使われ、前記送信時間単位の時間長さは前記第一の時間長さまたは第二の時間長さであり、前記第二の時間長さは前記第一の時間長さより長く、前記転送ブロック指示情報はDL-SCH転送ブロック位置情報および／またはUL-SCH転送ブロック位置情報を含む、受信器と；
プログラム命令の実行を制御するよう構成された、前記送信器および前記受信器に結合されたプロセッサであって、具体的には、前記DCIによって示される前記DL-SCH転送ブロックに従って前記基地局によって送られた、前記ランダム・アクセス・プリアンブルについてのランダム・アクセス応答RARを、前記DCIに従って受信するよう前記受信器を制御し；前記RARによって担持される上りリンク・スケジューリング情報に従って、UL-SCH転送ブロックを送るよう前記送信器を制御するよう構成されたプロセッサとを有する、
UE。
【請求項３３】
前記プロセッサはさらに：  前記DCIが前記送信時間単位指示情報を担持するときは、前記基地局によって送られた、前記ランダム・アクセス・プリアンブルについての前記RARを担持する前記DL-SCH転送ブロックを受信するよう前記受信器を制御する段階であって、前記DL-SCH転送ブロックの送信時間単位の時間長さは前記送信時間単位指示情報によって示される時間長さであり、前記DL-SCH転送ブロックの送信時間単位は、PDCCHの送信時間単位に隣接する送信時間単位またはPDCCHの送信時間単位である、段階；  前記DCIが前記転送ブロック指示情報を担持するときは、前記基地局によって送られた、前記ランダム・アクセス・プリアンブルについての前記RARを担持する前記DL-SCH転送ブロックを、前記転送ブロック指示情報によって示されるDL-SCH転送ブロック位置情報によって示される位置において受信するよう前記受信器を制御する段階であって、前記DL-SCH転送ブロックの送信時間単位の時間長さは事前設定された時間長さであり、前記DL-SCH転送ブロック位置情報は、前記DL-SCH転送ブロックの時間領域資源および／または周波数領域資源についての情報を含む、段階；または  前記DCIが前記送信時間単位指示情報および前記転送ブロック指示情報を担持するときは、前記基地局によって送られた、前記ランダム・アクセス・プリアンブルについての前記RARを担持する前記DL-SCH転送ブロックを、前記転送ブロック指示情報によって示されるDL-SCH転送ブロック位置情報によって示される位置において受信するよう前記受信器を制御する段階であって、前記DL-SCH転送ブロックの送信時間単位の時間長さは前記送信時間単位指示情報によって示される時間長さである、段階を実行するよう構成される、
請求項３２記載のUE。
【請求項３４】
前記プロセッサはさらに：  前記DCIが前記送信時間単位指示情報を担持するときは、前記RARによって担持される上りリンク・スケジューリング情報および前記送信時間単位指示情報に従って、前記UL-SCH転送ブロックを、前記UL-SCH転送ブロックの事前設定された時間領域資源上で前記基地局に送るよう前記送信器を制御する段階であって、前記UL-SCH転送ブロックの送信時間単位の時間長さは前記送信時間単位指示情報によって示される時間長さである、段階；  前記DCIが前記転送ブロック指示情報を担持するときは、前記RARによって担持される上りリンク・スケジューリング情報および前記DCIによって担持される前記転送ブロック指示情報に従って、前記UL-SCH転送ブロックを、前記転送ブロック指示情報によって示されるUL-SCH転送ブロック位置情報によって示される位置において、前記基地局に送るよう前記送信器を制御する段階であって、前記UL-SCH転送ブロックの前記送信時間単位の時間長さは事前設定された時間長さであり、前記UL-SCH転送ブロック位置情報は、前記UL-SCH転送ブロックの時間領域資源および／または周波数領域資源についての情報を含む、段階；または  前記DCIが前記送信時間単位指示情報および前記転送ブロック指示情報を担持するときは、前記RARによって担持される上りリンク・スケジューリング情報ならびに前記DCIによって担持される前記送信時間単位指示情報および前記転送ブロック指示情報に従って、前記UL-SCH転送ブロックを、前記転送ブロック指示情報によって示されるUL-SCH転送ブロック位置情報によって示される位置において、前記基地局に送るよう前記送信器を制御する段階であって、前記UL-SCH転送ブロックの前記送信時間単位の時間長さは前記送信時間単位指示情報によって示される時間長さである、段階を実行するよう構成される、
請求項３２または３３記載のUE。
【請求項３５】
前記プロセッサはさらに：
受信DCIのフォーマットを判別する段階；および  前記DCIのフォーマットが第一のDCIフォーマットである場合、前記DCIから前記送信時間単位指示情報および／または前記転送ブロック指示情報を取得する段階であって、前記第一のDCIフォーマットは前記第一の送信機能をもつUEによってのみ検出されるDCIフォーマットである、段階；  前記DCIのフォーマットがDCIフォーマット1Aである場合、前記DCIにおけるMCSビット・フィールドにおけるビット情報から、前記送信時間単位指示情報を取得する段階；または  前記DCIのフォーマットがDCIフォーマット1Cである場合、前記DCIにおける、新規データ・インジケーターNDIビット・フィールド、冗長性バージョンRVビット・フィールドおよび送信電力TPCビット・フィールドの最上位ビット（MSB）ビット・フィールドのうちの少なくとも一つにおけるビット・フィールドのビット情報から、前記送信時間単位指示情報および／または前記転送ブロック指示情報を取得する段階を実行するよう構成される、
請求項３４記載のUE。
【請求項３６】
前記プロセッサはさらに：無線ネットワーク一時識別子RA-RNTIを決定する段階であって、前記RA-RNTIは(1＋t_id＋10*f_id＋X  deta)  mod  Y＋1であり、XおよびYの値は整数である；または前記RA-RNTIは65301＋(10*t_id＋f_id)  mod  9であり、ここで、t_idは、前記ランダム・アクセス・プリアンブルを担持するPRACHの第一のサブフレームのシーケンス番号であり、0≦t_id＜10であり、f_idは前記ランダム・アクセス・プリアンブルを担持する前記PRACHの第一のサブフレームの第二のPRACHインデックスであり、0≦f_id＜6である、段階と；前記RA-RNTIに従って、前記PDCCHによって担持される前記DCIをスクランブル解除する段階とを実行するよう構成される、
請求項３２ないし３５のうちいずれか一項記載のUE。
【発明の詳細な説明】
【技術分野】
【０００１】
本発明は、無線通信技術の分野に、詳細にはランダム・アクセス方法および装置、基地局およびUEに関する。
【背景技術】
【０００２】
LTE（Long  Term  Evolution［ロングタームエボリューション］）またはLTE-A（LTE  Advanced［ロングタームエボリューションアドバンスト］）システムでは、UE（User  Equipment［ユーザー装置］）がネットワークへの接続を確立するプロセスはランダム・アクセス・プロセスである。UEのランダム・アクセス・プロセスは次のようなものである：UEはPRACHを使ってランダム・アクセス・プリアンブルを基地局に送る。ランダム・アクセス・プリアンブル受信後、基地局はPDSCHを使ってRAR（Random  Access  Response［ランダム・アクセス応答］）をもってUEに返答する。次いで、UEはPUSCHを使ってランダム・アクセス・プロセスにおけるメッセージ3を送る。最後に、基地局は、競合解決メッセージをもってUEに返答する。
【０００３】
ランダム・アクセス・プロセスでは、基地局およびUEは、1msのTTI（Transmission  Time  Interval［送信時間区間］）を基本送信単位として使ってメッセージを送信する。ランダム・アクセス時間を短縮するために、より短いTTIが使われてもよい。だが、UEのチャネル環境または基地局のスケジューリング状態によって制限されて、ランダム・アクセス・プロセスでは、メッセージ送信のためのTTIが直接短縮されると、UEはメッセージを正しく受信できず、さらにアクセス失敗につながる。したがって、従来技術においては長いランダム・アクセス時間の問題はいまだ存在している。
【発明の概要】
【０００４】
本発明の実施形態は、ランダム・アクセスによって必要とされる長い時間の問題を解決するために、ランダム・アクセス方法および装置、基地局およびUEを提供する。
【０００５】
上記の目的を達成するために、本発明の実施形態において以下の技術的解決策が使われる。
【０００６】
本発明の第一の側面は、ネットワーク・アクセス方法であって：
ユーザー装置UEによって送られたランダム・アクセス・プリアンブルを、基地局によって受信する段階であって、前記ランダム・アクセス・プリアンブルは、前記UEが第一の送信機能をもつことを示すために使われ、前記第一の送信機能は第一の時間長さの送信時間単位を送信する機能である、段階と；
前記基地局によって、物理的下りリンク制御チャネルPDCCHを使って前記UEに下りリンク制御情報DCIを送る段階であって、前記DCIは送信時間単位指示情報および／または転送ブロック指示情報を担持し、前記送信時間単位指示情報は、DL-SCH転送ブロックおよび／または上りリンク共有チャネルUL-SCH転送ブロックの送信時間単位の時間長さを示すために使われ、前記送信時間単位の時間長さは前記第一の時間長さまたは第二の時間長さであり、前記第二の時間長さは前記第一の時間長さより長く、前記転送ブロック指示情報はDL-SCH転送ブロック位置情報および／またはUL-SCH転送ブロック位置情報を含む、段階と；
前記基地局によって、前記DCIによって示される前記DL-SCH転送ブロックを使って、前記ランダム・アクセス・プリアンブルについてのランダム・アクセス応答RARを前記UEに送る段階と；
前記RARによって担持される上りリンク・スケジューリング情報に従って前記UEによって送られたUL-SCH転送ブロックを、前記基地局によって受信する段階とを含む、
方法を提供する。
【０００７】
メッセージを送信するためのTTIが直接短縮されるときにUEが正しくメッセージを受信できない従来技術と比べて、この方法では、DCIが送信時間単位指示情報を担持しており、送信時間単位指示情報および／または転送ブロック指示情報が基地局によって送られるRARの転送ブロックの送信単位の時間長さおよび／またはRARの転送ブロックの位置情報を指示しうるので、たとえ基地局がメッセージを短いTTIで送る場合でも、UEは、転送ブロックの長さおよび／または転送ブロックの位置情報に従って、基地局によって送られたメッセージをいまだ正しく識別できる。さらに、UEも、基地局の送信時間単位指示情報に従って短いTTIにおいて基地局にメッセージを送ってもよい。このようにして、情報送信中の送信時間単位の時間長さが短縮され、さらに、ランダム・アクセス時間が短縮される。
【０００８】
第一の側面を参照するに、前記基地局によって、前記DCIによって示される前記DL-SCH転送ブロックを使って、前記ランダム・アクセス・プリアンブルについてのランダム・アクセス応答RARを前記UEに送る前記段階は：
前記DCIが前記送信時間単位指示情報を担持するときは、前記ランダム・アクセス・プリアンブルについての前記RARを担持する前記DL-SCH転送ブロックを、前記基地局によって前記UEに送る段階であって、前記DL-SCH転送ブロックの送信時間単位の時間長さは前記送信時間単位指示情報によって示される時間長さであり、前記DL-SCH転送ブロックの送信時間単位は、PDCCHの送信時間単位に隣接する送信時間単位またはPDCCHの送信時間単位である、段階；
前記DCIが前記転送ブロック指示情報を担持するときは、前記ランダム・アクセス・プリアンブルについての前記RARを担持する前記DL-SCH転送ブロックを、前記転送ブロック指示情報によって示されるDL-SCH転送ブロック位置情報によって示される位置において、前記基地局によって前記UEに送る段階であって、前記DL-SCH転送ブロックの送信時間単位の時間長さは事前設定された時間長さであり、前記DL-SCH転送ブロック位置情報は、前記DL-SCH転送ブロックの時間領域資源および／または周波数領域資源についての情報を含む、段階；または
前記DCIが前記送信時間単位指示情報および前記転送ブロック指示情報を担持するときは、前記ランダム・アクセス・プリアンブルについての前記RARを担持する前記DL-SCH転送ブロックを、前記転送ブロック指示情報によって示されるDL-SCH転送ブロック位置情報によって示される位置において、前記基地局によって前記UEに送る段階であって、前記DL-SCH転送ブロックの送信時間単位の時間長さは前記送信時間単位指示情報によって示される時間長さである、段階を含むことを注意しておくべきである。
【０００９】
第一の側面を参照するに、前記RARによって担持される上りリンク・スケジューリング情報に従って前記UEによって送られたUL-SCH転送ブロックを、前記基地局によって受信する前記段階は：
前記DCIが前記送信時間単位指示情報を担持するときは、前記RARによって担持される上りリンク・スケジューリング情報に従って前記UEによって送られたUL-SCH転送ブロックを、該UL-SCH転送ブロックの事前設定された時間領域資源で前記送信時間単位指示情報に従って前記基地局によって受信する段階であって、前記UL-SCH転送ブロックの送信時間単位の時間長さは前記送信時間単位指示情報によって示される時間長さである、段階；
前記DCIが前記転送ブロック指示情報を担持するときは、前記RARによって担持される上りリンク・スケジューリング情報に従って前記UEによって送られたUL-SCH転送ブロックを、前記DCIによって担持される前記転送ブロック指示情報に従って、かつ、前記転送ブロック指示情報によって示されるUL-SCH転送ブロック位置情報によって示される位置において、前記基地局によって受信する段階であって、前記UL-SCH転送ブロック位置情報は、前記UL-SCH転送ブロックの時間領域資源および／または周波数領域資源についての情報を含み、前記UL-SCH転送ブロックの前記送信時間単位の時間長さは前記送信時間単位の事前設定された時間長さである、段階；または
前記DCIが前記送信時間単位指示情報および前記転送ブロック指示情報を担持するときは、前記RARによって担持される上りリンク・スケジューリング情報に従って前記UEによって送られたUL-SCH転送ブロックを、前記DCIによって担持される前記送信時間単位指示情報および前記転送ブロック指示情報に従って、かつ、前記転送ブロック指示情報によって示されるUL-SCH転送ブロック位置情報によって示される位置において、前記基地局によって受信する段階であって、前記UL-SCH転送ブロックの前記送信時間単位の時間長さは前記送信時間単位指示情報によって示される時間長さである、段階を含むことをさらに注意しておくべきである。
【００１０】
本発明のこの実施形態において提供されるランダム・アクセス方法によれば、DCIが送信時間単位指示情報を担持しており、送信時間単位指示情報および／または転送ブロック指示情報が基地局によって送られるRARの転送ブロックの送信単位の時間長さおよび／またはRARの転送ブロックの位置情報を指示しうるので、たとえ基地局がメッセージを短いTTIで送る場合でも、UEは、転送ブロックの長さおよび／または転送ブロックの位置情報に従って、基地局によって送られたメッセージをいまだ正しく識別でき、基地局の送信時間単位指示情報に従って短いTTIにおいて基地局にメッセージを送ってもよい。したがって、基地局も、UEによって送られたUL-SCH転送ブロックを、DCIによって担持される送信時間単位指示情報および／または転送ブロック指示情報に従って、正しく受信することができる。このようにして、情報送信中の送信時間単位の時間長さが短縮され、さらに、ランダム・アクセス時間が短縮される。
【００１１】
第一の側面に基づき、任意的に、前記基地局によって、物理的下りリンク制御チャネルPDCCHを使って前記UEに下りリンク制御情報DCIを送る前記段階の前に、本方法はさらに：
前記ランダム・アクセス・プリアンブルに従って、前記基地局によって、前記DCIのフォーマットが第一のDCIフォーマットであることを判別することを含み、前記第一のDCIフォーマットは前記第一の送信機能をもつUEによってのみ検出されるDCIフォーマットである。
【００１２】
任意的に、前記第一の送信機能をもつUEは、別のフォーマットのDCIを検出する必要なしに、前記第一のDCIフォーマットのDCIのみを検出するようにされてもよい。これは、UEが前記別のフォーマットのDCIについてブラインド検出を実行することを防げる。
【００１３】
第一の側面に基づき、任意的に、前記基地局によって、物理的下りリンク制御チャネルPDCCHを使って前記UEに下りリンク制御情報DCIを送る前記段階の前に、本方法はさらに：
前記ランダム・アクセス・プリアンブルに従って、前記基地局によって、前記DCIのフォーマットがDCIフォーマット1AまたはDCIフォーマット1Cであることを判別することを含み、前記DCIフォーマット1Aおよび前記DCIフォーマット1Cのそれぞれには、前記送信時間単位指示情報および／または前記転送ブロック指示情報を担持するために使われるビット・フィールドが存在する。
【００１４】
本発明の技術的解決策では、DCIフォーマット1AおよびDCIフォーマット1Cはいずれも既存のDCIフォーマットである。時間単位指示情報および／または転送ブロック指示情報は既存のフォーマットのDCIに追加されるが、DCIフォーマット1AおよびDCIフォーマット1Cの総ビット量は増大しない。DCIフォーマット1AおよびDCIフォーマット1Cはいずれも任意のUEによって識別されることができるDCIフォーマットなので、UEは追加的なブラインド検出を実行しない。
【００１５】
第一の側面に従って記載される解決策では、DCIのフォーマットがDCIフォーマット1Aである場合、DCIにおけるMCSビットfにおけるビット情報が、前記送信時間単位指示情報を示すために使われる；または
DCIのフォーマットがDCIフォーマット1Cである場合、DCIにおける、新規データ・インジケーターNDIビット・フィールド、冗長性バージョンRVビット・フィールドおよび送信電力TPCビット・フィールドの最上位ビット（MSB）ビット・フィールドのうちの少なくとも一つにおけるビット・フィールドのビット情報が、前記送信時間単位指示情報および／または前記転送ブロック指示情報を示すために使われる。
【００１６】
第一の側面に基づき、前記基地局によって、物理的下りリンク制御チャネルPDCCHを使って前記UEに下りリンク制御情報DCIを送る前記段階の前に、本方法はさらに：
前記PDCCHによって担持されるDCIを、ランダム・アクセス無線ネットワーク一時識別子RA-RNTIに従って、前記基地局によってスクランブルすることを含み、
前記RA-RNTIは(1＋t_id＋10*f_id＋X  deta)  mod  Y＋1であり、XおよびYの値は整数である；または前記RA-RNTIは65301＋(10*t_id＋f_id)  mod  9である。ここで、t_idは基地局によって検出される、前記ランダム・アクセス・プリアンブルを担持するPRACHの第一のサブフレームのシーケンス番号であり、0≦t_id＜10であり、f_idは前記ランダム・アクセス・プリアンブルを担持するPRACHの第一のサブフレームの第二のPRACHインデックスであり、0≦f_id＜6である。
【００１７】
本発明において提供されるある技術的解決策では、DCIが送信時間単位指示情報を担持しており、送信時間単位指示情報および／または転送ブロック指示情報が基地局によって送られるRARの転送ブロックの送信単位の時間長さおよび／またはRARの転送ブロックの位置情報を指示しうるので、たとえ基地局がメッセージを短いTTIで送る場合でも、UEは、転送ブロックの長さおよび／または転送ブロックの位置情報に従って、基地局によって送られたメッセージをいまだ正しく識別できる。さらに、UEも、基地局の送信時間単位指示情報に従って短いTTIにおいて基地局にメッセージを送ってもよい。このようにして、情報送信中の送信時間単位の時間長さが短縮され、さらに、ランダム・アクセス時間が短縮される。
【００１８】
本発明の第二の側面は、ネットワーク・アクセス方法であって：
ユーザー装置UEによってランダム・アクセス・プリアンブルを基地局に送る段階であって、前記ランダム・アクセス・プリアンブルは、前記UEが第一の送信機能をもつことを示すために使われ、前記第一の送信機能は第一の時間長さの送信時間単位を送信する機能である、段階と；
前記基地局によって物理的下りリンク制御チャネルPDCCHを使って送られた下りリンク制御情報DCIを、前記UEによって受信する段階であって、前記DCIは送信時間単位指示情報および／または転送ブロック指示情報を担持し、前記送信時間単位指示情報は、DL-SCH転送ブロックおよび／または上りリンク共有チャネルUL-SCH転送ブロックの送信時間単位の時間長さを示すために使われ、前記送信時間単位の時間長さは前記第一の時間長さまたは第二の時間長さであり、前記第二の時間長さは前記第一の時間長さより長く、前記転送ブロック指示情報はDL-SCH転送ブロック位置情報および／またはUL-SCH転送ブロック位置情報を含む、段階と；
前記DCIによって示される前記DL-SCH転送ブロックに従って前記基地局によって送られた、前記ランダム・アクセス・プリアンブルについてのランダム・アクセス応答RARを、前記DCIに従って前記UEによって受信する段階と；
前記RARによって担持される上りリンク・スケジューリング情報に従って、UL-SCH転送ブロックを、前記UEによって送る段階とを含む、
方法を提供する。
【００１９】
本発明において提供されるある技術的解決策では、DCIが送信時間単位指示情報を担持しており、送信時間単位指示情報および／または転送ブロック指示情報が基地局によって送られるRARの転送ブロックの送信単位の時間長さおよび／またはRARの転送ブロックの位置情報を指示しうるので、たとえ基地局がメッセージを短いTTIで送る場合でも、UEは、転送ブロックの長さおよび／または転送ブロックの位置情報に従って、基地局によって送られたメッセージをいまだ正しく識別し、基地局の送信時間単位指示情報に従って短いTTIにおいて基地局にメッセージを送ることができる。このようにして、情報送信中の送信時間単位の時間長さが短縮され、さらに、ランダム・アクセス時間が短縮される。
【００２０】
第二の側面を参照するに、前記DCIによって示される前記DL-SCH転送ブロックに従って前記基地局によって送られた、前記ランダム・アクセス・プリアンブルについてのランダム・アクセス応答RARを、前記DCIに従って前記UEによって受信する前記段階は：
前記DCIが前記送信時間単位指示情報を担持するときは、前記基地局によって送られた、前記ランダム・アクセス・プリアンブルについての前記RARを担持する前記DL-SCH転送ブロックを、前記UEによって受信する段階であって、前記DL-SCH転送ブロックの送信時間単位の時間長さは前記送信時間単位指示情報によって示される時間長さであり、前記DL-SCH転送ブロックの送信時間単位は、PDCCHの送信時間単位に隣接する送信時間単位またはPDCCHの送信時間単位である、段階；
前記DCIが前記転送ブロック指示情報を担持するときは、前記基地局によって送られた、前記ランダム・アクセス・プリアンブルについての前記RARを担持する前記DL-SCH転送ブロックを、前記転送ブロック指示情報によって示されるDL-SCH転送ブロック位置情報によって示される位置において、前記UEによって受信する段階であって、前記DL-SCH転送ブロックの送信時間単位の時間長さは事前設定された時間長さであり、前記DL-SCH転送ブロック位置情報は、前記DL-SCH転送ブロックの時間領域資源および／または周波数領域資源についての情報を含む、段階；または
前記DCIが前記送信時間単位指示情報および前記転送ブロック指示情報を担持するときは、前記基地局によって送られた、前記ランダム・アクセス・プリアンブルについての前記RARを担持する前記DL-SCH転送ブロックを、前記転送ブロック指示情報によって示されるDL-SCH転送ブロック位置情報によって示される位置において、前記UEによって受信する段階であって、前記DL-SCH転送ブロックの送信時間単位の時間長さは前記送信時間単位指示情報によって示される時間長さである、段階を含むことを注意しておくべきである。
【００２１】
第二の側面を参照するに、前記RARによって担持される上りリンク・スケジューリング情報に従って、UL-SCH転送ブロックを、前記UEによって送る前記段階は：
前記DCIが前記送信時間単位指示情報を担持するときは、前記RARによって担持される上りリンク・スケジューリング情報および前記送信時間単位指示情報に従って、前記UL-SCH転送ブロックを、前記UL-SCH転送ブロックの事前設定された時間領域資源上で前記UEによって前記基地局に送る段階であって、前記UL-SCH転送ブロックの送信時間単位の時間長さは前記送信時間単位指示情報によって示される時間長さである、段階；
前記DCIが前記転送ブロック指示情報を担持するときは、前記RARによって担持される上りリンク・スケジューリング情報および前記DCIによって担持される前記転送ブロック指示情報に従って、前記UL-SCH転送ブロックを、前記転送ブロック指示情報によって示されるUL-SCH転送ブロック位置情報によって示される位置において、前記UEによって前記基地局に送る段階であって、前記UL-SCH転送ブロックの前記送信時間単位の時間長さは事前設定された時間長さであり、前記UL-SCH転送ブロック位置情報は、前記UL-SCH転送ブロックの時間領域資源および／または周波数領域資源についての情報を含む、段階；または
前記DCIが前記送信時間単位指示情報および前記転送ブロック指示情報を担持するときは、前記RARによって担持される上りリンク・スケジューリング情報ならびに前記DCIによって担持される前記送信時間単位指示情報および前記転送ブロック指示情報に従って、前記UL-SCH転送ブロックを、前記転送ブロック指示情報によって示されるUL-SCH転送ブロック位置情報によって示される位置において、前記UEによって前記基地局に送る段階であって、前記UL-SCH転送ブロックの前記送信時間単位の時間長さは前記送信時間単位指示情報によって示される時間長さである、段階を含むことをさらに注意しておくべきである。
【００２２】
DCIが送信時間単位指示情報を担持しており、送信時間単位指示情報および／または転送ブロック指示情報がUEがメッセージを短いTTIにおいて基地局に送ることを示しうるので、基地局も、UEによって送られたUL-SCH転送ブロックを、DCIによって担持される送信時間単位指示情報および／または転送ブロック指示情報に従って、正しく受信することができる。このようにして、情報送信中の送信時間単位の時間長さが短縮され、さらに、ランダム・アクセス時間が短縮される。
【００２３】
第二の側面に基づき、前記基地局によって物理的下りリンク制御チャネルPDCCHを使って送られた下りリンク制御情報DCIを、前記UEによって受信する前記段階の後、本方法はさらに：
受信されたDCIのフォーマットを、前記UEによって判別し；
前記DCIのフォーマットが第一のDCIフォーマットであれば、前記DCIから前記送信時間単位指示情報および／または前記転送ブロック指示情報を前記UEによって取得し、前記第一のDCIフォーマットは前記第一の送信機能をもつUEによってのみ検出されるDCIフォーマットであり；
任意的に、前記第一の送信機能をもつUEは、別のフォーマットのDCIを検出する必要なしに、前記第一のDCIフォーマットのDCIのみを検出するようにされてもよく、これは、UEが前記別のフォーマットのDCIについてブラインド検出を実行することを防ぎ；
前記DCIのフォーマットがDCIフォーマット1Aである場合、DCIにおけるMCSビット・フィールドにおけるビット情報から、前記送信時間単位指示情報を前記UEによって取得する；または
前記DCIのフォーマットがDCIフォーマット1Cである場合、DCIにおける、新規データ・インジケーターNDIビット・フィールド、冗長性バージョンRVビット・フィールドおよび送信電力TPCビット・フィールドの最上位ビット（MSB）ビット・フィールドのうちの少なくとも一つにおけるビット・フィールドのビット情報から、前記送信時間単位指示情報および／または前記転送ブロック指示情報を前記UEによって取得する、
ことを含む。
【００２４】
DCIフォーマット1AおよびDCIフォーマット1Cはいずれも既存のDCIフォーマットである。時間単位指示情報および／または転送ブロック指示情報は既存のフォーマットのDCIに追加されるが、DCIフォーマット1AおよびDCIフォーマット1Cの総ビット量は増大しない。DCIフォーマット1AおよびDCIフォーマット1Cはいずれも任意のUEによって識別されることができるDCIフォーマットなので、UEは追加的なブラインド検出を実行しない。
【００２５】
第二の側面に従って記載される解決策では、前記基地局によって物理的下りリンク制御チャネルPDCCHを使って送られた下りリンク制御情報DCIを、前記UEによって受信する前記段階の後、本方法はさらに：
無線ネットワーク一時識別子RA-RNTIを前記UEによって決定する段階であって、前記RA-RNTIは(1＋t_id＋10*f_id＋X  deta)  mod  Y＋1であり、XおよびYの値は整数である；または前記RA-RNTIは65301＋(10*t_id＋f_id)  mod  9であり、ここで、t_idは、前記ランダム・アクセス・プリアンブルを担持するPRACHの第一のサブフレームのシーケンス番号であり、0≦t_id＜10であり、f_idは前記ランダム・アクセス・プリアンブルを担持するPRACHの第一のサブフレームの第二のPRACHインデックスであり、0≦f_id＜6である、段階と；
前記RA-RNTIに従って、前記PDCCHによって担持されるDCIを、前記UEによってスクランブル解除する段階とを含む。
【００２６】
本発明のある技術的解決策では、DCIが送信時間単位指示情報を担持しており、送信時間単位指示情報および／または転送ブロック指示情報が基地局によって送られるRARの転送ブロックの送信単位の時間長さおよび／またはRARの転送ブロックの位置情報を指示しうるので、たとえ基地局がメッセージを短いTTIで送る場合でも、UEは、転送ブロックの長さおよび／または転送ブロックの位置情報に従って、基地局によって送られたメッセージをいまだ正しく識別し、基地局の送信時間単位指示情報に従って短いTTIにおいて基地局にメッセージを送ることができる。このようにして、情報送信中の送信時間単位の時間長さが短縮され、さらに、ランダム・アクセス時間が短縮される。
【００２７】
本発明の第三の側面は、ランダム・アクセス装置を提供する。本装置は、基地局に適用され：
ユーザー装置UEによって送られたランダム・アクセス・プリアンブルを受信するよう構成された受信ユニットであって、前記ランダム・アクセス・プリアンブルは、前記UEが第一の送信機能をもつことを示すために使われ、前記第一の送信機能は第一の時間長さの送信時間単位を送信する機能である、受信ユニットと；
物理的下りリンク制御チャネルPDCCHを使って前記UEに下りリンク制御情報DCIを送るよう構成された送信ユニットであって、前記DCIは送信時間単位指示情報および／または転送ブロック指示情報を担持し、前記送信時間単位指示情報は、DL-SCH転送ブロックおよび／または上りリンク共有チャネルUL-SCH転送ブロックの送信時間単位の時間長さを示すために使われ、前記送信時間単位の時間長さは前記第一の時間長さまたは第二の時間長さであり、前記第二の時間長さは前記第一の時間長さより長く、前記転送ブロック指示情報はDL-SCH転送ブロック位置情報および／またはUL-SCH転送ブロック位置情報を含む、送信ユニットと；
前記DCIによって示される前記DL-SCH転送ブロックを使って、前記ランダム・アクセス・プリアンブルについてのランダム・アクセス応答RARを前記UEに送るよう前記送信ユニットを制御するよう構成された処理ユニットとを含み、
前記受信ユニットは、前記RARによって担持される上りリンク・スケジューリング情報に従って前記UEによって送られたUL-SCH転送ブロックを受信するようさらに構成される。
【００２８】
第三の側面を参照するに、前記処理ユニットはさらに：
前記DCIが前記送信時間単位指示情報を担持するときは、前記ランダム・アクセス・プリアンブルについての前記RARを担持する前記DL-SCH転送ブロックを、前記UEに送るよう前記送信ユニットを制御する段階であって、前記DL-SCH転送ブロックの送信時間単位の時間長さは前記送信時間単位指示情報によって示される時間長さであり、前記DL-SCH転送ブロックの送信時間単位は、PDCCHの送信時間単位に隣接する送信時間単位またはPDCCHの送信時間単位である、段階；
前記DCIが前記転送ブロック指示情報を担持するときは、前記ランダム・アクセス・プリアンブルについての前記RARを担持する前記DL-SCH転送ブロックを、前記転送ブロック指示情報によって示されるDL-SCH転送ブロック位置情報によって示される位置において、前記UEに送るよう前記送信ユニットを制御する段階であって、前記DL-SCH転送ブロックの送信時間単位の時間長さは事前設定された時間長さであり、前記DL-SCH転送ブロック位置情報は、前記DL-SCH転送ブロックの時間領域資源および／または周波数領域資源についての情報を含む、段階；または
前記DCIが前記送信時間単位指示情報および前記転送ブロック指示情報を担持するときは、前記ランダム・アクセス・プリアンブルについての前記RARを担持する前記DL-SCH転送ブロックを、前記転送ブロック指示情報によって示されるDL-SCH転送ブロック位置情報によって示される位置において、前記UEに送るよう前記送信ユニットを制御する段階であって、前記DL-SCH転送ブロックの送信時間単位の時間長さは前記送信時間単位指示情報によって示される時間長さである、段階を実行するよう構成されることを注意しておくべきである。
【００２９】
第三の側面を参照するに、前記処理ユニットはさらに：
前記DCIが前記送信時間単位指示情報を担持するときは、前記RARによって担持される上りリンク・スケジューリング情報に従って前記UEによって送られたUL-SCH転送ブロックを、該UL-SCH転送ブロックの事前設定された時間領域資源で前記送信時間単位指示情報に従って受信するよう前記受信ユニットを制御する段階であって、前記UL-SCH転送ブロックの送信時間単位の時間長さは前記送信時間単位指示情報によって示される時間長さである、段階；
前記DCIが前記転送ブロック指示情報を担持するときは、前記RARによって担持される上りリンク・スケジューリング情報に従って前記UEによって送られたUL-SCH転送ブロックを、前記DCIによって担持される前記転送ブロック指示情報に従って、かつ、前記転送ブロック指示情報によって示されるUL-SCH転送ブロック位置情報によって示される位置において、受信するよう前記受信ユニットを制御する段階であって、前記UL-SCH転送ブロック位置情報は、前記UL-SCH転送ブロックの時間領域資源および／または周波数領域資源についての情報を含み、前記UL-SCH転送ブロックの前記送信時間単位の時間長さは前記送信時間単位の事前設定された時間長さである、段階；または
前記DCIが前記送信時間単位指示情報および前記転送ブロック指示情報を担持するときは、前記RARによって担持される上りリンク・スケジューリング情報に従って前記UEによって送られたUL-SCH転送ブロックを、前記DCIによって担持される前記送信時間単位指示情報および前記転送ブロック指示情報に従って、かつ、前記転送ブロック指示情報によって示されるUL-SCH転送ブロック位置情報によって示される位置において、受信するよう前記受信ユニットを制御する段階であって、前記UL-SCH転送ブロックの前記送信時間単位の時間長さは前記送信時間単位指示情報によって示される時間長さである、段階を実行するよう構成されることをさらに注意しておくべきである。
【００３０】
第三の側面に基づき、前記処理ユニットは：
前記受信ユニットによって受信された前記ランダム・アクセス・プリアンブルに従って、前記DCIのフォーマットが第一のDCIフォーマットであることを判別するよう構成された判別モジュールを含み、前記第一のDCIフォーマットは前記第一の送信機能をもつUEによってのみ検出されるDCIフォーマットである。
【００３１】
第三の側面において、前記判別モジュールはさらに、前記受信ユニットによって受信された前記ランダム・アクセス・プリアンブルに従って、前記DCIのフォーマットがDCIフォーマット1AまたはDCIフォーマット1Cであることを判別するよう構成されることが理解されてもよい。ここで、前記DCIフォーマット1Aおよび前記DCIフォーマット1Cのそれぞれには、前記送信時間単位指示情報および／または前記転送ブロック指示情報を担持するために使われるビット・フィールドが存在する。
【００３２】
第三の側面に従って記載される解決策では、DCIのフォーマットがDCIフォーマット1Aである場合、DCIにおけるMCSビット・フィールドにおけるビット情報が、前記送信時間単位指示情報を示すために使われる；または
DCIのフォーマットがDCIフォーマット1Cである場合、DCIにおける、新規データ・インジケーターNDIビット・フィールド、冗長性バージョンRVビット・フィールドおよび送信電力TPCビット・フィールドの最上位ビット（MSB）ビット・フィールドのうちの少なくとも一つにおけるビット・フィールドのビット情報が、前記送信時間単位指示情報および／または前記転送ブロック指示情報を示すために使われる。
【００３３】
第三の側面に基づき、前記処理ユニットはさらに：
前記PDCCHによって担持されるDCIを、ランダム・アクセス無線ネットワーク一時識別子RA-RNTIに従って、スクランブルするよう構成されたスクランブル・モジュールを含み、
前記RA-RNTIは(1＋t_id＋10*f_id＋X  deta)  mod  Y＋1であり、XおよびYの値は整数である；または前記RA-RNTIは65301＋(10*t_id＋f_id)  mod  9である。ここで、t_idは基地局によって検出される、前記ランダム・アクセス・プリアンブルを担持するPRACHの第一のサブフレームのシーケンス番号であり、0≦t_id＜10であり、f_idは前記ランダム・アクセス・プリアンブルを担持するPRACHの第一のサブフレームの第二のPRACHインデックスであり、0≦f_id＜6である。
【００３４】
メッセージを送信するためのTTIが直接短縮されるときにUEが正しくメッセージを受信できない従来技術と比べて、本発明のこの実施形態において提供される技術的解決策では、DCIが送信時間単位指示情報を担持しており、送信時間単位指示情報および／または転送ブロック指示情報が基地局によって送られるRARの転送ブロックの送信単位の時間長さおよび／またはRARの転送ブロックの位置情報を指示しうるので、たとえ基地局がメッセージを短いTTIで送る場合でも、UEは、転送ブロックの長さおよび／または転送ブロックの位置情報に従って、基地局によって送られたメッセージをいまだ正しく識別できる。さらに、UEも、基地局の送信時間単位指示情報に従って短いTTIにおいて基地局にメッセージを送ってもよい。このようにして、情報送信中の送信時間単位の時間長さが短縮され、さらに、ランダム・アクセス時間が短縮される。
【００３５】
本発明の第四の側面は、ランダム・アクセス装置を提供する。本装置は、ユーザー装置UEに適用され：
ランダム・アクセス・プリアンブルを基地局に送るよう構成された送信ユニットであって、前記ランダム・アクセス・プリアンブルは、前記UEが第一の送信機能をもつことを示すために使われ、前記第一の送信機能は第一の時間長さの送信時間単位を送信する機能である、送信ユニットと；
前記基地局によって物理的下りリンク制御チャネルPDCCHを使って送られた下りリンク制御情報DCIを受信するよう構成された受信ユニットであって、前記DCIは送信時間単位指示情報および／または転送ブロック指示情報を担持し、前記送信時間単位指示情報は、DL-SCH転送ブロックおよび／または上りリンク共有チャネルUL-SCH転送ブロックの送信時間単位の時間長さを示すために使われ、前記送信時間単位の時間長さは前記第一の時間長さまたは第二の時間長さであり、前記第二の時間長さは前記第一の時間長さより長く、前記転送ブロック指示情報はDL-SCH転送ブロック位置情報および／またはUL-SCH転送ブロック位置情報を含む、受信ユニットと；
前記DCIによって示される前記DL-SCH転送ブロックに従って前記基地局によって送られた、前記ランダム・アクセス・プリアンブルについてのランダム・アクセス応答RARを、前記DCIに従って受信するよう前記受信ユニットを制御し；前記RARによって担持される上りリンク・スケジューリング情報に従って、UL-SCH転送ブロックを送るよう前記送信ユニットを制御するよう構成された処理ユニットとを含む。
【００３６】
第四の側面を参照するに、前記処理ユニットはさらに構成される：前記処理ユニットはさらに：
前記DCIが前記送信時間単位指示情報を担持するときは、前記基地局によって送られた、前記ランダム・アクセス・プリアンブルについての前記RARを担持する前記DL-SCH転送ブロックを受信するよう前記受信ユニットを制御する段階であって、前記DL-SCH転送ブロックの送信時間単位の時間長さは前記送信時間単位指示情報によって示される時間長さであり、前記DL-SCH転送ブロックの送信時間単位は、PDCCHの送信時間単位に隣接する送信時間単位またはPDCCHの送信時間単位である、段階；
前記DCIが前記転送ブロック指示情報を担持するときは、前記基地局によって送られた、前記ランダム・アクセス・プリアンブルについての前記RARを担持する前記DL-SCH転送ブロックを、前記転送ブロック指示情報によって示されるDL-SCH転送ブロック位置情報によって示される位置において受信するよう前記受信ユニットを制御する段階であって、前記DL-SCH転送ブロックの送信時間単位の時間長さは事前設定された時間長さであり、前記DL-SCH転送ブロック位置情報は、前記DL-SCH転送ブロックの時間領域資源および／または周波数領域資源についての情報を含む、段階；または
前記DCIが前記送信時間単位指示情報および前記転送ブロック指示情報を担持するときは、前記基地局によって送られた、前記ランダム・アクセス・プリアンブルについての前記RARを担持する前記DL-SCH転送ブロックを、前記転送ブロック指示情報によって示されるDL-SCH転送ブロック位置情報によって示される位置において受信するよう前記受信ユニットを制御する段階であって、前記DL-SCH転送ブロックの送信時間単位の時間長さは前記送信時間単位指示情報によって示される時間長さである、段階を実行するよう構成されることを注意しておくべきである。
【００３７】
第四の側面を参照するに、前記処理ユニットはさらに：
前記DCIが前記送信時間単位指示情報を担持するときは、前記RARによって担持される上りリンク・スケジューリング情報および前記送信時間単位指示情報に従って、前記UL-SCH転送ブロックを、前記UL-SCH転送ブロックの事前設定された時間領域資源上で前記基地局に送るよう前記送信ユニットを制御する段階であって、前記UL-SCH転送ブロックの送信時間単位の時間長さは前記送信時間単位指示情報によって示される時間長さである、段階；
前記DCIが前記転送ブロック指示情報を担持するときは、前記RARによって担持される上りリンク・スケジューリング情報および前記DCIによって担持される前記転送ブロック指示情報に従って、前記UL-SCH転送ブロックを、前記転送ブロック指示情報によって示されるUL-SCH転送ブロック位置情報によって示される位置において、前記基地局に送るよう前記送信ユニットを制御する段階であって、前記UL-SCH転送ブロックの前記送信時間単位の時間長さは事前設定された時間長さであり、前記UL-SCH転送ブロック位置情報は、前記UL-SCH転送ブロックの時間領域資源および／または周波数領域資源についての情報を含む、段階；または
前記DCIが前記送信時間単位指示情報および前記転送ブロック指示情報を担持するときは、前記RARによって担持される上りリンク・スケジューリング情報ならびに前記DCIによって担持される前記送信時間単位指示情報および前記転送ブロック指示情報に従って、前記UL-SCH転送ブロックを、前記転送ブロック指示情報によって示されるUL-SCH転送ブロック位置情報によって示される位置において、前記基地局に送るよう前記送信ユニットを制御する段階であって、前記UL-SCH転送ブロックの前記送信時間単位の時間長さは前記送信時間単位指示情報によって示される時間長さである、段階を実行するよう構成されることをさらに注意しておくべきである。
【００３８】
第四の側面に基づき、前記処理ユニットはさらに：
前記受信ユニットによって受信された受信DCIのフォーマットを判別するよう構成された判別モジュールと；
前記判別モジュールが、前記DCIのフォーマットが第一のDCIフォーマットであると判別する場合、前記DCIから前記送信時間単位指示情報および／または前記転送ブロック指示情報を取得する段階であって、前記第一のDCIフォーマットは前記第一の送信機能をもつUEによってのみ検出されるDCIフォーマットである、段階；
前記DCIのフォーマットがDCIフォーマット1Aである場合、DCIにおけるMCSビット・フィールドにおけるビット情報から、前記送信時間単位指示情報を取得する段階；または
前記DCIのフォーマットがDCIフォーマット1Cである場合、DCIにおける、新規データ・インジケーターNDIビット・フィールド、冗長性バージョンRVビット・フィールドおよび送信電力TPCビット・フィールドの最上位ビット（MSB）ビット・フィールドのうちの少なくとも一つにおけるビット・フィールドのビット情報から、前記送信時間単位指示情報および／または前記転送ブロック指示情報を取得する段階を実行するよう構成された取得モジュールとを含む。
【００３９】
第四の側面に基づき、前記処理ユニットはさらにスクランブル解除モジュールを含む。ここで、
前記判別モジュールがさらに、無線ネットワーク一時識別子RA-RNTIを決定するよう構成され、前記RA-RNTIは(1＋t_id＋10*f_id＋X  deta)  mod  Y＋1であり、XおよびYの値は整数である；または前記RA-RNTIは65301＋(10*t_id＋f_id)  mod  9であり、ここで、t_idは、前記ランダム・アクセス・プリアンブルを担持するPRACHの第一のサブフレームのシーケンス番号であり、0≦t_id＜10であり、f_idは前記ランダム・アクセス・プリアンブルを担持するPRACHの第一のサブフレームの第二のPRACHインデックスであり、0≦f_id＜6であり；
前記スクランブル解除モジュールは、前記判別モジュールによって決定された前記RA-RNTIに従って、前記PDCCHによって担持されるDCIをスクランブル解除するよう構成される。
【００４０】
メッセージを送信するためのTTIが直接短縮されるときにUEが正しくメッセージを受信できない従来技術と比べて、本発明のこの実施形態において提供される技術的解決策では、DCIが送信時間単位指示情報を担持しており、送信時間単位指示情報および／または転送ブロック指示情報が基地局によって送られるRARの転送ブロックの送信単位の時間長さおよび／またはRARの転送ブロックの位置情報を指示しうるので、たとえ基地局がメッセージを短いTTIで送る場合でも、UEは、転送ブロックの長さおよび／または転送ブロックの位置情報に従って、基地局によって送られたメッセージをいまだ正しく識別し、基地局の送信時間単位指示情報に従って短いTTIにおいて基地局にメッセージを送ってもよい。このようにして、情報送信中の送信時間単位の時間長さが短縮され、さらに、ランダム・アクセス時間が短縮される。
【００４１】
本発明の第五の側面は、基地局であって：
ユーザー装置UEによって送られたランダム・アクセス・プリアンブルを受信するよう構成された受信器であって、前記ランダム・アクセス・プリアンブルは、前記UEが第一の送信機能をもつことを示すために使われ、前記第一の送信機能は第一の時間長さの送信時間単位を送信する機能である、受信器と；
物理的下りリンク制御チャネルPDCCHを使って前記UEに下りリンク制御情報DCIを送るよう構成された送信器であって、前記DCIは送信時間単位指示情報および／または転送ブロック指示情報を担持し、前記送信時間単位指示情報は、DL-SCH転送ブロックおよび／または上りリンク共有チャネルUL-SCH転送ブロックの送信時間単位の時間長さを示すために使われ、前記送信時間単位の時間長さは前記第一の時間長さまたは第二の時間長さであり、前記第二の時間長さは前記第一の時間長さより長く、前記転送ブロック指示情報はDL-SCH転送ブロック位置情報および／またはUL-SCH転送ブロック位置情報を含む、送信器と；
プログラム命令の実行を制御するよう構成された、前記受信器および前記送信器に結合されたプロセッサであって、具体的には、前記DCIによって示される前記DL-SCH転送ブロックを使って、前記ランダム・アクセス・プリアンブルについてのランダム・アクセス応答RARを前記UEに送るよう前記送信器を制御するよう構成されたプロセッサとを含み、
前記受信器は、前記RARによって担持される上りリンク・スケジューリング情報に従って前記UEによって送られたUL-SCH転送ブロックを受信するようさらに構成される、
基地局を提供する。
【００４２】
第五の側面を参照するに、前記プロセッサはさらに：
前記DCIが前記送信時間単位指示情報を担持するときは、前記ランダム・アクセス・プリアンブルについての前記RARを担持する前記DL-SCH転送ブロックを、前記UEに送るよう前記送信器を制御する段階であって、前記DL-SCH転送ブロックの送信時間単位の時間長さは前記送信時間単位指示情報によって示される時間長さであり、前記DL-SCH転送ブロックの送信時間単位は、PDCCHの送信時間単位に隣接する送信時間単位またはPDCCHの送信時間単位である、段階；
前記DCIが前記転送ブロック指示情報を担持するときは、前記ランダム・アクセス・プリアンブルについての前記RARを担持する前記DL-SCH転送ブロックを、前記転送ブロック指示情報によって示されるDL-SCH転送ブロック位置情報によって示される位置において、前記UEに送るよう前記送信器を制御する段階であって、前記DL-SCH転送ブロックの送信時間単位の時間長さは事前設定された時間長さであり、前記DL-SCH転送ブロック位置情報は、前記DL-SCH転送ブロックの時間領域資源および／または周波数領域資源についての情報を含む、段階；または
前記DCIが前記送信時間単位指示情報および前記転送ブロック指示情報を担持するときは、前記ランダム・アクセス・プリアンブルについての前記RARを担持する前記DL-SCH転送ブロックを、前記転送ブロック指示情報によって示されるDL-SCH転送ブロック位置情報によって示される位置において、前記UEに送るよう前記送信器を制御する段階であって、前記DL-SCH転送ブロックの送信時間単位の時間長さは前記送信時間単位指示情報によって示される時間長さである、段階を実行するよう構成されることを注意しておくべきである。
【００４３】
第五の側面を参照するに、前記プロセッサはさらに：
前記DCIが前記送信時間単位指示情報を担持するときは、前記RARによって担持される上りリンク・スケジューリング情報に従って前記UEによって送られたUL-SCH転送ブロックを、該UL-SCH転送ブロックの事前設定された時間領域資源で前記送信時間単位指示情報に従って受信するよう前記受信器を制御する段階であって、前記UL-SCH転送ブロックの送信時間単位の時間長さは前記送信時間単位指示情報によって示される時間長さである、段階；
前記DCIが前記転送ブロック指示情報を担持するときは、前記RARによって担持される上りリンク・スケジューリング情報に従って前記UEによって送られたUL-SCH転送ブロックを、前記DCIによって担持される前記転送ブロック指示情報に従って、かつ、前記転送ブロック指示情報によって示されるUL-SCH転送ブロック位置情報によって示される位置において、受信するよう前記受信器を制御する段階であって、前記UL-SCH転送ブロック位置情報は、前記UL-SCH転送ブロックの時間領域資源および／または周波数領域資源についての情報を含み、前記UL-SCH転送ブロックの前記送信時間単位の時間長さは前記送信時間単位の事前設定された時間長さである、段階；または
前記DCIが前記送信時間単位指示情報および前記転送ブロック指示情報を担持するときは、前記RARによって担持される上りリンク・スケジューリング情報に従って前記UEによって送られたUL-SCH転送ブロックを、前記DCIによって担持される前記送信時間単位指示情報および前記転送ブロック指示情報に従って、かつ、前記転送ブロック指示情報によって示されるUL-SCH転送ブロック位置情報によって示される位置において、受信するよう前記受信器を制御する段階であって、前記UL-SCH転送ブロックの前記送信時間単位の時間長さは前記送信時間単位指示情報によって示される時間長さである、段階を実行するよう構成されることをさらに注意しておくべきである。
【００４４】
第五の側面に基づき、前記プロセッサはさらに、前記受信器によって受信された前記ランダム・アクセス・プリアンブルに従って、前記DCIのフォーマットが第一のDCIフォーマットであることを判別するよう構成され、前記第一のDCIフォーマットは前記第一の送信機能をもつUEによってのみ検出されるDCIフォーマットである。
【００４５】
第五の側面において、任意的に、前記プロセッサはさらに、前記受信器によって受信された前記ランダム・アクセス・プリアンブルに従って、前記DCIのフォーマットがDCIフォーマット1AまたはDCIフォーマット1Cであることを判別するよう構成され、前記DCIフォーマット1Aおよび前記DCIフォーマット1Cのそれぞれには、前記送信時間単位指示情報および／または前記転送ブロック指示情報を担持するために使われるビット・フィールドが存在する。
【００４６】
第五の側面に従って記載される解決策では、DCIのフォーマットがDCIフォーマット1Aである場合、DCIにおけるMCSビット・フィールドにおけるビット情報が、前記送信時間単位指示情報を示すために使われる；または
DCIのフォーマットがDCIフォーマット1Cである場合、DCIにおける、新規データ・インジケーターNDIビット・フィールド、冗長性バージョンRVビット・フィールドおよび送信電力TPCビット・フィールドの最上位ビット（MSB）ビット・フィールドのうちの少なくとも一つにおけるビット・フィールドのビット情報が、前記送信時間単位指示情報および／または前記転送ブロック指示情報を示すために使われる。
【００４７】
第五の側面に基づき、前記プロセッサはさらに、前記PDCCHによって担持されるDCIを、ランダム・アクセス無線ネットワーク一時識別子RA-RNTIに従って、スクランブルするよう構成され、前記RA-RNTIは(1＋t_id＋10*f_id＋X  deta)  mod  Y＋1であり、XおよびYの値は整数である；または前記RA-RNTIは65301＋(10*t_id＋f_id)  mod  9である。ここで、t_idは基地局によって検出される、前記ランダム・アクセス・プリアンブルを担持するPRACHの第一のサブフレームのシーケンス番号であり、0≦t_id＜10であり、f_idは前記ランダム・アクセス・プリアンブルを担持するPRACHの第一のサブフレームの第二のPRACHインデックスであり、0≦f_id＜6である。
【００４８】
本発明の第六の側面は、ユーザー装置UEであって：
ランダム・アクセス・プリアンブルを基地局に送るよう構成された送信器であって、前記ランダム・アクセス・プリアンブルは、前記UEが第一の送信機能をもつことを示すために使われ、前記第一の送信機能は第一の時間長さの送信時間単位を送信する機能である、送信器と；
前記基地局によって物理的下りリンク制御チャネルPDCCHを使って送られた下りリンク制御情報DCIを受信するよう構成された受信器であって、前記DCIは送信時間単位指示情報および／または転送ブロック指示情報を担持し、前記送信時間単位指示情報は、DL-SCH転送ブロックおよび／または上りリンク共有チャネルUL-SCH転送ブロックの送信時間単位の時間長さを示すために使われ、前記送信時間単位の時間長さは前記第一の時間長さまたは第二の時間長さであり、前記第二の時間長さは前記第一の時間長さより長く、前記転送ブロック指示情報はDL-SCH転送ブロック位置情報および／またはUL-SCH転送ブロック位置情報を含む、受信器と；
プログラム命令の実行を制御するよう構成された、前記送信器および前記受信器に結合されたプロセッサであって、具体的には、前記DCIによって示される前記DL-SCH転送ブロックに従って前記基地局によって送られた、前記ランダム・アクセス・プリアンブルについてのランダム・アクセス応答RARを、前記DCIに従って受信するよう前記受信器を制御し；前記RARによって担持される上りリンク・スケジューリング情報に従って、UL-SCH転送ブロックを送るよう前記送信器を制御するよう構成されたプロセッサとを含む、
ユーザー装置を提供する。
【００４９】
第六の側面を参照するに、前記プロセッサはさらに：
前記DCIが前記送信時間単位指示情報を担持するときは、前記基地局によって送られた、前記ランダム・アクセス・プリアンブルについての前記RARを担持する前記DL-SCH転送ブロックを受信するよう前記受信器を制御する段階であって、前記DL-SCH転送ブロックの送信時間単位の時間長さは前記送信時間単位指示情報によって示される時間長さであり、前記DL-SCH転送ブロックの送信時間単位は、PDCCHの送信時間単位に隣接する送信時間単位またはPDCCHの送信時間単位である、段階；
前記DCIが前記転送ブロック指示情報を担持するときは、前記基地局によって送られた、前記ランダム・アクセス・プリアンブルについての前記RARを担持する前記DL-SCH転送ブロックを、前記転送ブロック指示情報によって示されるDL-SCH転送ブロック位置情報によって示される位置において受信するよう前記受信器を制御する段階であって、前記DL-SCH転送ブロックの送信時間単位の時間長さは事前設定された時間長さであり、前記DL-SCH転送ブロック位置情報は、前記DL-SCH転送ブロックの時間領域資源および／または周波数領域資源についての情報を含む、段階；または
前記DCIが前記送信時間単位指示情報および前記転送ブロック指示情報を担持するときは、前記基地局によって送られた、前記ランダム・アクセス・プリアンブルについての前記RARを担持する前記DL-SCH転送ブロックを、前記転送ブロック指示情報によって示されるDL-SCH転送ブロック位置情報によって示される位置において受信するよう前記受信器を制御する段階であって、前記DL-SCH転送ブロックの送信時間単位の時間長さは前記送信時間単位指示情報によって示される時間長さである、段階を実行するよう構成されることを注意しておくべきである。
【００５０】
第六の側面を参照するに、前記プロセッサはさらに：
前記DCIが前記送信時間単位指示情報を担持するときは、前記RARによって担持される上りリンク・スケジューリング情報および前記送信時間単位指示情報に従って、前記UL-SCH転送ブロックを、前記UL-SCH転送ブロックの事前設定された時間領域資源上で前記基地局に送るよう前記送信器を制御する段階であって、前記UL-SCH転送ブロックの送信時間単位の時間長さは前記送信時間単位指示情報によって示される時間長さである、段階；
前記DCIが前記転送ブロック指示情報を担持するときは、前記RARによって担持される上りリンク・スケジューリング情報および前記DCIによって担持される前記転送ブロック指示情報に従って、前記UL-SCH転送ブロックを、前記転送ブロック指示情報によって示されるUL-SCH転送ブロック位置情報によって示される位置において、前記基地局に送るよう前記送信器を制御する段階であって、前記UL-SCH転送ブロックの前記送信時間単位の時間長さは事前設定された時間長さであり、前記UL-SCH転送ブロック位置情報は、前記UL-SCH転送ブロックの時間領域資源および／または周波数領域資源についての情報を含む、段階；または
前記DCIが前記送信時間単位指示情報および前記転送ブロック指示情報を担持するときは、前記RARによって担持される上りリンク・スケジューリング情報ならびに前記DCIによって担持される前記送信時間単位指示情報および前記転送ブロック指示情報に従って、前記UL-SCH転送ブロックを、前記転送ブロック指示情報によって示されるUL-SCH転送ブロック位置情報によって示される位置において、前記基地局に送るよう前記送信器を制御する段階であって、前記UL-SCH転送ブロックの前記送信時間単位の時間長さは前記送信時間単位指示情報によって示される時間長さである、段階を実行するよう構成されることをさらに注意しておくべきである。
【００５１】
第六の側面に基づき、
前記プロセッサはさらに：
受信DCIのフォーマットを判別する段階；
前記DCIのフォーマットが第一のDCIフォーマットである場合、前記DCIから前記送信時間単位指示情報および／または前記転送ブロック指示情報を取得する段階であって、前記第一のDCIフォーマットは前記第一の送信機能をもつUEによってのみ検出されるDCIフォーマットである、段階；
前記DCIのフォーマットがDCIフォーマット1Aである場合、DCIにおけるMCSビット・フィールドにおけるビット情報から、前記送信時間単位指示情報を取得する段階；または
前記DCIのフォーマットがDCIフォーマット1Cである場合、DCIにおける、新規データ・インジケーターNDIビット・フィールド、冗長性バージョンRVビット・フィールドおよび送信電力TPCビット・フィールドの最上位ビット（MSB）ビット・フィールドのうちの少なくとも一つにおけるビット・フィールドのビット情報から、前記送信時間単位指示情報および／または前記転送ブロック指示情報を取得する段階を実行するよう構成される。
【００５２】
第六の側面に基づいて記載されるある解決策では、前記プロセッサはさらに：無線ネットワーク一時識別子RA-RNTIを決定する段階であって、前記RA-RNTIは(1＋t_id＋10*f_id＋X  deta)  mod  Y＋1であり、XおよびYの値は整数である；または前記RA-RNTIは65301＋(10*t_id＋f_id)  mod  9であり、ここで、t_idは、前記ランダム・アクセス・プリアンブルを担持するPRACHの第一のサブフレームのシーケンス番号であり、0≦t_id＜10であり、f_idは前記ランダム・アクセス・プリアンブルを担持するPRACHの第一のサブフレームの第二のPRACHインデックスであり、0≦f_id＜6である、段階と；前記RA-RNTIに従って、前記PDCCHによって担持されるDCIをスクランブル解除する段階とを実行するよう構成される。
【００５３】
本発明の実施形態において提供される前記ランダム・アクセス方法および装置、前記基地局および前記UEによれば、ユーザー装置UEによって送られたランダム・アクセス・プリアンブルを基地局が受信し、前記ランダム・アクセス・プリアンブルは、前記UEが第一の送信機能をもつことを示すために使われ、前記基地局がPDCCHを使って前記UEにDCIを送り、それにより前記UEは該DCIに従って前記ランダム・アクセス・プリアンブルについてのRARを受信することができ、前記基地局は前記DCIによって示されるDL-SCH転送ブロックを使って、前記ランダム・アクセス・プリアンブルについてのRARを前記UEに送り、前記基地局は、前記RARによって担持される上りリンク・スケジューリング情報に従って前記UEによって送られたUL-SCH転送ブロックを受信する。メッセージを送信するためのTTIが直接短縮されるときにUEが正しくメッセージを受信できない従来技術と比べて、DCIが送信時間単位指示情報を担持しており、送信時間単位指示情報および／または転送ブロック指示情報が基地局によって送られるRARの転送ブロックの送信単位の時間長さおよび／またはRARの転送ブロックの位置情報を指示しうるので、たとえ基地局がメッセージを短いTTIで送る場合でも、UEは、転送ブロックの長さおよび／または転送ブロックの位置情報に従って、基地局によって送られたメッセージをいまだ正しく識別できる。さらに、UEも、基地局の送信時間単位指示情報に従って短いTTIにおいて基地局にメッセージを送ってもよい。このようにして、情報送信中の送信時間単位の時間長さが短縮され、さらに、ランダム・アクセス時間が短縮される。
【図面の簡単な説明】
【００５４】
本発明の実施形態におけるまたは従来技術における技術的解決策をより明確に記述するために、下記は、実施形態または従来技術を記述するために必要とされる付属の図面を手短かに紹介する。明らかに、以下の記述における付属の図面は単に本発明のいくつかの実施形態を示すのであって、当業者は、創造的な努力なしにこれらの付属の図面から他の図面を導出しうる。
【図１】本発明のある実施形態に基づくランダム・アクセス方法のフローチャートである。
【図２】本発明のある実施形態に基づくもう一つのランダム・アクセス方法のフローチャートである。
【図３】本発明のある実施形態に基づくもう一つのランダム・アクセス方法のフローチャートである。
【図４】本発明のある実施形態に基づくもう一つのランダム・アクセス方法のフローチャートである。
【図５】本発明のある実施形態に基づくランダム・アクセス装置の概略的な論理構造図である。
【図６】本発明のある実施形態に基づくもう一つのランダム・アクセス装置の概略的な論理構造図である。
【図７】本発明のある実施形態に基づくもう一つのランダム・アクセス装置の概略的な論理構造図である。
【図８】本発明のある実施形態に基づくもう一つのランダム・アクセス装置の概略的な論理構造図である。
【図９】本発明のある実施形態に基づくランダム・アクセス方法における基地局の概略的な論理構造図である。
【図１０】本発明のある実施形態に基づくランダム・アクセス方法におけるUEの概略的な論理構造図である。
【発明を実施するための形態】
【００５５】
下記は、本発明の実施形態における付属の図面を参照して本発明の実施形態における技術的解決策を明確かつ完全に記載する。明らかに、記述される実施形態は本発明の実施形態の一部であって全部ではない。本発明の実施形態に基づいて当業者によって創造的努力なしに得られる他のすべての実施形態は、本発明の保護範囲内にはいる。
【００５６】
本発明の実施形態において、「複数の」は二つ以上を意味する。用語「および／または」は、関連する対象を記述するための関連関係を記述し、三つの関係が存在しうることを表わす。たとえば、Aおよび／またはBは、Aのみが存在する、AとBの両方が存在する、Bのみが存在するという三つの場合を表わしうる。記号「／」は一般に関連する対象の間の「または」の関係を示す。
【００５７】
ランダム・アクセス時間を短縮するために、本発明のある実施形態はランダム・アクセス方法を提供する。本方法はLTEまたはLTE-Aのシナリオに適用されうる。図１に示されるように、本方法は以下の段階を含む。
【００５８】
１０１。基地局が、ユーザー装置UEによって送られたランダム・アクセス・プリアンブルを受信する。前記ランダム・アクセス・プリアンブルは、前記UEが第一の送信機能をもつことを示すために使われる。
【００５９】
前記第一の送信機能は第一の時間長さの送信時間単位を送信する機能である。
【００６０】
現行のLTEシステムでは、基地局およびUEは、基本送信時間単位として1msのTTIを使って互いにメッセージを送信する。本発明のこの実施形態では、第一の時間長さの送信時間単位は1msより短い。第一の時間長さは具体的には、t個のSC-FDMAシンボルまたはt個のOFDMシンボルの長さを有していてもよい。ここで、tは14以下の正の整数である。
【００６１】
たとえば、第一の時間長さは0.5msであってもよく、あるいは0.5msより短くてもよい。たとえば、第一の時間長さは1  SC-FDMAシンボル、2  SC-FDMAシンボル、3  SC-FDMAシンボル、4  SC-FDMAシンボル、5  SC-FDMAシンボル、6  SC-FDMAシンボル、7  SC-FDMAシンボル、1  OFDMシンボル、2  OFDMシンボル、3  OFDMシンボル、4  OFDMシンボル、5  OFDMシンボル、6  OFDMシンボルまたは7  OFDMシンボルである。もう一つの例では、第一の時間長さは0.5ms、0.125msまたは0.1msであってもよい。
【００６２】
あるいはまた、第一の送信機能は第一の時間長さより大きいまたは第一の時間長さ以上であり、かつ第二の時間長さ未満または第二の時間長さ以下である送信時間単位を送信する機能である。たとえば、第一の時間長さは上記の諸例であり、第二の時間長さは1msである。
【００６３】
１０２。基地局が、PDCCH（Physical  downlink  Control  Channel［物理的下りリンク制御チャネル］）を使って前記UEにDCI（Downlink  Control  Indicator［下りリンク制御指標］）を送る。
【００６４】
DCIは送信時間単位指示情報および／または転送ブロック指示情報を担持する。
【００６５】
送信時間単位指示情報は、DL-SCH（Downlink  Shared  Channel［下りリンク共有チャネル］）転送ブロックおよび／またはUL-SCH（Uplink  Shared  Channel［上りリンク共有チャネル］）転送ブロックの送信時間単位の時間長さを示すために使われる。送信時間単位の時間長さは前記第一の時間長さまたはある第二の時間長さである。前記第二の時間長さは前記第一の時間長さより長い。
【００６６】
たとえば、第二の時間長さの送信時間単位は1msのTTIであり、第一の時間長さの送信時間単位は1ms未満のTTIである。あるいはまた、第二の時間長さの送信時間単位は0.5msのTTIであってもよく、第一の時間長さの送信時間単位は0.5ms未満のTTIであってもよい。第二の時間長さの送信単位は本願では限定されない。
【００６７】
前記転送ブロック指示情報はDL-SCH転送ブロック位置情報および／またはUL-SCH転送ブロック位置情報を含む。DL-SCH転送ブロック位置情報は、DL-SCH転送ブロックの時間領域資源および／または周波数領域資源についての情報を含む。同様に、UL-SCH転送ブロック位置情報は、UL-SCH転送ブロックの時間領域資源および／または周波数領域資源についての情報を含む。
【００６８】
時間領域資源についての情報は：第一の時間長さ／第二の時間長さの送信時間単位でのUL-SCH転送ブロック／DL-SCH転送ブロックの開始シンボル番号、第一の時間長さ／第二の時間長さの送信時間単位でのUL-SCH転送ブロック／DL-SCH転送ブロックの終了シンボル番号または第一の時間長さ／第二の時間長さの送信時間単位でのUL-SCH転送ブロック／DL-SCH転送ブロックのシンボルの量であってもよい。周波数領域資源についての情報は：第一の時間長さ／第二の時間長さの送信時間単位でのUL-SCH転送ブロック／DL-SCH転送ブロックのPRBの番号、サブバンドまたはキャリアであってもよい。
【００６９】
UEは通例、デフォルトで、基地局は1msのTTIでメッセージを送ると考える。基地局によって送られるRARをUEが正しく受信できるようにするために、基地局によってUEに送られるDCIに含まれる送信時間単位指示情報が、基地局がRARを送るときの送信時間単位の時間長さをUEに通知してもよく、転送ブロック指示情報が、RARを担持するために使われる、基地局によって送られる転送ブロックの時間領域資源についての情報および／またはRARを担持するために使われる、基地局によって送られる転送ブロックの周波数領域資源についての情報および／またはをUEに通知してもよく、それにより、UEは、DCIによって示される時間長さに従ってRARを受信するおよび／またはDCIによって示される位置においてRARを受信することができる。
【００７０】
１０３。基地局は、DCIによって示されるDL-SCH転送ブロックを使って、前記ランダム・アクセス・プリアンブルについてのRARを前記UEに送る。
【００７１】
DCIによって担持される送信時間単位指示情報によって示される送信時間単位の時間長さが0.5msである場合、基地局は、送信時間単位として0.5msのTTIを使って、RARを担持するDL-SCH転送ブロックをUEに送る。DL-SCH転送ブロックは、時間的にこの送信時間単位内のすべてのシンボルを占めてもよく、あるいはこの送信時間単位内のいくつかのシンボルを占めてもよいが、この送信時間単位の外のいかなるシンボルも占めてはならない。送信時間単位の長さは本願では限定されない。
【００７２】
１０４。基地局が、RARによって担持される上りリンク・スケジューリング情報に従って前記UEによって送られたUL-SCH転送ブロックを受信する。
【００７３】
RARによって担持される上りリンク・スケジューリング情報は：周波数ホッピング指示識別子、固定サイズの資源ブロックの割り当て、打ち切りされた変調および符号化方式、スケジュールされたPUSCHチャネルについての送信電力制御コマンド、上りリンク遅延指示情報またはCSI要求を含む。
【００７４】
本発明の実施形態において提供される前記ランダム・アクセス方法によれば、ユーザー装置UEによって送られたランダム・アクセス・プリアンブルを基地局が受信し、前記ランダム・アクセス・プリアンブルは、前記UEが第一の送信機能をもつことを示すために使われ、前記基地局がPDCCHを使って前記UEにDCIを送り、それにより前記UEは該DCIに従って前記ランダム・アクセス・プリアンブルについてのRARを受信することができ、前記基地局は前記DCIによって示されるDL-SCH転送ブロックを使って、前記ランダム・アクセス・プリアンブルについてのRARを前記UEに送り、前記基地局は、前記RARによって担持される上りリンク・スケジューリング情報に従って前記UEによって送られたUL-SCH転送ブロックを受信する。メッセージを送信するためのTTIが直接短縮されるときにUEが正しくメッセージを受信できない従来技術と比べて、DCIが送信時間単位指示情報を担持しており、送信時間単位指示情報および／または転送ブロック指示情報が基地局によって送られるRARの転送ブロックの送信単位の時間長さおよび／またはRARの転送ブロックの位置情報を指示しうるので、たとえ基地局がメッセージを短いTTIで送る場合でも、UEは、転送ブロックの長さおよび／または転送ブロックの位置情報に従って、基地局によって送られたメッセージをいまだ正しく識別できる。さらに、UEも、基地局の送信時間単位指示情報に従って短いTTIにおいて基地局にメッセージを送ってもよい。このようにして、情報送信中の送信時間単位の時間長さが短縮され、さらに、ランダム・アクセス時間が短縮される。
【００７５】
DCIが送信時間単位指示情報および／または転送ブロック指示情報を担持しているので、DCIによって担持される情報については三つの場合がありうる。第一の場合には、送信時間単位情報のみが担持される。第二の場合には、転送ブロック指示情報のみが担持される。第三の場合には、送信時間単位情報と転送ブロック指示情報の両方が担持される。これら三つの場合に対応して、本発明のこの実施形態において提供されるもう一つの実装では、基地局によって、DCIによって示されるDL-SCH転送ブロックを使って、前記ランダム・アクセス・プリアンブルについてのRARを前記UEに送る段階１０３は具体的には、以下の三つの実装を含む。
【００７６】
第一の実装：前記DCIが前記送信時間単位指示情報を担持するときは、基地局は、前記ランダム・アクセス・プリアンブルについての前記RARを担持する前記DL-SCH転送ブロックを、前記UEに送る。前記DL-SCH転送ブロックの送信時間単位の時間長さは前記送信時間単位指示情報によって示される時間長さである。
【００７７】
ランダム・アクセス時間を短縮するために、送信時間単位指示情報によって示される時間長さは前記第一の時間長さであってもよい。ランダム・アクセスの正確さを保証するために、送信時間単位指示情報によって示される時間長さは前記第二の時間長さであってもよい。
【００７８】
本発明のこの実施形態においては、送信時間単位指示情報によって示される時間長さは、一つの送信時間単位の時間長さであってもよく、あるいは複数の送信時間単位の時間長さであってもよいことを注意しておくべきである。
【００７９】
前記DL-SCH転送ブロックの送信時間単位は、PDCCHの送信時間単位に隣接する送信時間単位またはPDCCHの送信時間単位である。
【００８０】
第二の実装：前記DCIが前記転送ブロック指示情報を担持するときは、基地局は、前記ランダム・アクセス・プリアンブルについての前記RARを担持する前記DL-SCH転送ブロックを、前記転送ブロック指示情報によって示されるDL-SCH転送ブロック位置情報によって示される位置において、前記UEに送る。前記DL-SCH転送ブロックの送信時間単位の時間長さは事前設定された時間長さである。
【００８１】
前記DL-SCH転送ブロック位置情報は、前記DL-SCH転送ブロックの時間領域資源および／または周波数領域資源についての情報を含む。ランダム・アクセス時間を短縮するという目的を達成するために、送信時間単位の事前設定された時間長さの値範囲は、前記第一の時間長さ以上であり、かつ前記第二に時間長さ以下であってもよい。たとえば、第二の時間長さが14シンボル（1ms）であり、第一の時間長さが1シンボルであれば、送信時間単位の事前設定された時間長さは1から14までの範囲のシンボル量であるが、14より大きかったり1より小さかったりすることはできない。
【００８２】
第三の実装：前記DCIが前記送信時間単位指示情報および前記転送ブロック指示情報を担持するときは、基地局は、前記ランダム・アクセス・プリアンブルについての前記RARを担持する前記DL-SCH転送ブロックを、前記転送ブロック指示情報によって示されるDL-SCH転送ブロック位置情報によって示される位置において、前記UEに送る。前記DL-SCH転送ブロックの送信時間単位の時間長さは前記送信時間単位指示情報によって示される時間長さである。
【００８３】
さらに、本発明のこの実施形態において提供されるもう一つの実装では、前記RARによって担持される上りリンク・スケジューリング情報に従って前記UEによって送られたUL-SCH転送ブロックを、前記基地局によって受信する上記の段階１０４は、下記の実装を含む。
【００８４】
第一の実装：前記DCIが前記送信時間単位指示情報を担持するときは、前記RARによって担持される上りリンク・スケジューリング情報に従って前記UEによって送られたUL-SCH転送ブロックを、該UL-SCH転送ブロックの事前設定された時間領域資源で前記送信時間単位指示情報に従って受信する。前記UL-SCH転送ブロックの送信時間単位の時間長さは前記送信時間単位指示情報によって示される時間長さである。
【００８５】
ある具体的実装において、前記DCIが前記送信時間単位指示情報を担持するときは、基地局は、前記RARによって担持される上りリンク・スケジューリング情報に従って前記UEによって送られたUL-SCH転送ブロックを、前記送信時間単位指示情報および前記RARによって担持される上りリンク・スケジューリング情報に従って、前記上りリンク・スケジューリング情報によって示される前記UL-SCH転送ブロックの周波数領域資源および前記UL-SCH転送ブロックの事前設定された時間領域資源で、前記送信時間単位指示情報に従って前記UEによって示された送信時間単位の時間長さを使って、受信する。
【００８６】
ランダム・アクセス時間を短縮するために、送信時間単位指示情報によって示される時間長さは前記第一の時間長さであってもよい。ランダム・アクセスの正確さを保証するために、送信時間単位指示情報によって示される時間長さは前記第二の時間長さであってもよい。
【００８７】
前記UL-SCH転送ブロックの前記事前設定された時間領域資源は、前記DCIまたは前記RARからk個の第一の時間長さまたはk個の第二の時間長さだけ離間した時間長さにおける時間領域資源であってもよいことを注意しておくべきである。ここで、kは正の整数である。ここで、第一の時間長さまたは第二の時間長さは、送信時間単位情報によって示される時間長さに従って決定される。たとえば、送信時間単位情報によって示される時間長さが前記第一の時間長さであれば、前記UL-SCH転送ブロックの前記事前設定された時間領域資源は、前記DCIまたは前記RARからk個の第一の時間長さだけ離間した前記第一の時間長さにおける時間領域資源であってもよい。ここで、kは正の整数である。
【００８８】
第二の実装：前記DCIが前記転送ブロック指示情報を担持するときは、基地局は、前記RARによって担持される上りリンク・スケジューリング情報に従って前記UEによって送られたUL-SCH転送ブロックを、前記DCIによって担持される前記転送ブロック指示情報に従って、かつ、前記転送ブロック指示情報によって示されるUL-SCH転送ブロック位置情報によって示される位置において、受信する。ここで、前記UL-SCH転送ブロックの前記送信時間単位の時間長さは前記送信時間単位の事前設定された時間長さである。
【００８９】
前記UL-SCH転送ブロック位置情報は、前記UL-SCH転送ブロックの時間領域資源および／または周波数領域資源についての情報を含む。ランダム・アクセス時間を短縮するという目的を達成するために、送信時間単位の事前設定された時間長さの値範囲は、前記第一の時間長さ以上であり、かつ前記第二に時間長さ以下であってもよい。たとえば、第二の時間長さが14シンボル（1ms）であり、第一の時間長さが1シンボルであれば、送信時間単位の事前設定された時間長さは1から14までの範囲のシンボル量であるが、14より大きかったり1より小さかったりすることはできない。
【００９０】
第三の実装：前記DCIが前記送信時間単位指示情報および前記転送ブロック指示情報を担持するときは、基地局は、前記RARによって担持される上りリンク・スケジューリング情報に従って前記UEによって送られたUL-SCH転送ブロックを、前記DCIによって担持される前記送信時間単位指示情報および前記転送ブロック指示情報に従って、かつ、前記転送ブロック指示情報によって示されるUL-SCH転送ブロック位置情報によって示される位置において、受信する。ここで、前記UL-SCH転送ブロックの前記送信時間単位の時間長さは前記送信時間単位指示情報によって示される。
【００９１】
本発明のこの実施形態において提供されるランダム・アクセス方法によれば、DCIが送信時間単位指示情報を担持しており、送信時間単位指示情報および／または転送ブロック指示情報が基地局によって送られるRARの転送ブロックの送信単位の時間長さおよび／またはRARの転送ブロックの位置情報を指示しうるので、たとえ基地局がメッセージを短いTTIで送る場合でも、UEは、転送ブロックの長さおよび／または転送ブロックの位置情報に従って、基地局によって送られたメッセージをいまだ正しく識別でき、基地局の送信時間単位指示情報に従って短いTTIにおいて基地局にメッセージを送ることができる。したがって、基地局も、UEによって送られたUL-SCH転送ブロックを、DCIによって担持される送信時間単位指示情報および／または転送ブロック指示情報に従って、正しく受信することができる。このようにして、情報送信中の送信時間単位の時間長さが短縮され、さらに、ランダム・アクセス時間が短縮される。
【００９２】
送信時間指示情報および／または転送ブロック情報は異なるフォーマットでDCIに加えられてもよいことを注意しておくべきである。送信時間単位指示情報および／または転送ブロック指示情報をDCI内の適切な位置に加えるために、基地局がUEにDCIを送る前に、DCIのフォーマットが判別される必要がある。これに基づいて、図２に示されるような、本発明のこの実施形態において提供されるもう一つの実装では、前記基地局によって、PDCCHを使って前記UEに下りリンク制御情報DCIを送る上記の段階１０２の前に、本方法はさらに、段階１０５または段階１０６を含む。
【００９３】
１０５。基地局が、前記ランダム・アクセス・プリアンブルに従って、前記DCIのフォーマットが第一のDCIフォーマットであることを決定する。
【００９４】
前記第一のDCIフォーマットは前記第一の送信機能をもつUEによってのみ検出されるDCIフォーマットである。
【００９５】
基地局は、前記第一のDCIフォーマットの前記DCIおよび別のフォーマットのDCIを送ることがありうる。前記別のフォーマットのDCIは、旧バージョンのUEまたは前記第一の送信機能をもたないUEによって識別されうる。前記第一のDCIフォーマットのDCIは前記第一の通信機能をもつUEによってのみ識別されることができる。したがって、前記第一のDCIフォーマットのDCIを識別した後、前記第一の送信機能をもつUEは、DCIによって担持される送信時間単位指示情報および／または転送ブロック指示情報に従って、メッセージを受信してもよく、および／またはメッセージを送信してもよい。前記別のフォーマットのDCIは送信時間単位指示情報および／または転送ブロック指示情報を含まないので、UEが前記別のフォーマットのDCIを受信する場合は、UEはデフォルトにより1msのTTIを送信時間単位として使ってメッセージを送る。
【００９６】
任意的に、前記第一の送信機能をもつUEは、別のフォーマットのDCIを検出する必要なしに、前記第一のDCIフォーマットのDCIのみを検出するようにされてもよい。これは、UEが前記別のフォーマットのDCIについてブラインド検出を実行することを防げる。
【００９７】
１０６。基地局は、前記ランダム・アクセス・プリアンブルに従って、前記DCIのフォーマットがDCIフォーマット1AまたはDCIフォーマット1Cであることを決定する。前記DCIフォーマット1Aおよび前記DCIフォーマット1Cのそれぞれには、前記送信時間単位指示情報および／または前記転送ブロック指示情報を担持するために使われるビット・フィールドが存在する。
【００９８】
DCIフォーマット1AおよびDCIフォーマット1Cはいずれも既存のDCIフォーマットであることを注意しておくべきである。本発明のこの実施形態では、時間単位指示情報および／または転送ブロック指示情報は既存のフォーマットのDCIに追加されるが、DCIフォーマット1AおよびDCIフォーマット1Cの総ビット量は増大しない。DCIフォーマット1AおよびDCIフォーマット1Cはいずれも任意のUEによって識別されることができるDCIフォーマットなので、UEは追加的なブラインド検出を実行しない。
【００９９】
DCIのフォーマットがDCIフォーマット1Aである場合、DCIにおけるMCSビット・フィールドにおけるビット情報が、前記時間単位指示情報を示すために使われる。
【０１００】
DCIのフォーマットがDCIフォーマット1Cである場合、DCIにおける、NDI（New  Data  Indicator、NDI、新規データ・インジケーター）ビット・フィールド、RV（Redundancy  Version、冗長性バージョン）ビット・フィールドおよび送信電力TPC（Transmitter  Power  Control、送信器制御）ビット・フィールドの最上位ビット（MSB）ビット・フィールドのうちの少なくとも一つにおけるビット・フィールドのビット情報が、前記時間単位指示情報および／または前記転送ブロック指示情報を示すために使われる。NDIビット・フィールド、冗長性バージョンRVビット・フィールドおよび送信電力TPCビット・フィールドの最上位ビット（MSB）ビット・フィールドはまれにしか使われないので、情報伝送に影響することなく、送信時間単位指示情報および／または転送ブロック指示情報を担持するために使用されうる。しかしながら、送信時間単位指示情報および／または転送ブロック指示情報は、例として記載された上記のビット・フィールドに位置することに限定されない。
【０１０１】
本発明のこの実施形態では、基地局は、基地局での負荷のような状態に依存して、UEに、第一の時間長さの送信時間単位または第二の時間長さの送信時間単位を使ってメッセージを送信するよう柔軟に指令しうる。
【０１０２】
さらに、DCIが送られる前に、DCIはさらにスクランブルされる必要がある。具体的には、前記基地局によって、PDCCHを使って前記UEに下りリンク制御情報DCIを送る段階１０２の前に、段階１０７がさらに実行される必要がある。
【０１０３】
１０７。基地局は、前記PDCCHによって担持されるDCIを、ランダム・アクセス無線ネットワーク一時識別子RA-RNTIに従って、スクランブルする。
【０１０４】
前記RA-RNTIは(1＋t_id＋10*f_id＋X  deta)  mod  Y＋1である。XおよびYの値は整数である。XおよびYは、前記第一の送信機能をもつUEによってシステム・ブロードキャスト・メッセージから受領されるパラメータである。前記第一の送信機能をもつUEのみがXおよびYを受信できることを注意しておくべきである。
【０１０５】
あるいはまた、前記RA-RNTIは65301＋(10*t_id＋f_id)  mod  9である。ここで、t_idは基地局によって検出される、前記ランダム・アクセス・プリアンブルを担持するPRACHの第一のサブフレームのシーケンス番号であり、0≦t_id＜10であり、f_idは前記ランダム・アクセス・プリアンブルを担持するPRACHの第一のサブフレームの第二のPRACHインデックスであり、0≦f_id＜6である。
【０１０６】
本発明のこの実施形態において提供されるランダム・アクセス方法によれば、ユーザー装置UEによって送られたランダム・アクセス・プリアンブルを基地局が受信し、前記ランダム・アクセス・プリアンブルは、前記UEが第一の送信機能をもつことを示すために使われ、前記基地局がPDCCHを使って前記UEにDCIを送り、それにより前記UEは該DCIに従って前記ランダム・アクセス・プリアンブルについてのRARを受信することができ、前記基地局は前記DCIによって示されるDL-SCH転送ブロックを使って、前記ランダム・アクセス・プリアンブルについてのRARを前記UEに送り、前記基地局は、前記RARによって担持される上りリンク・スケジューリング情報に従って前記UEによって送られたUL-SCH転送ブロックを受信する。メッセージを送信するためのTTIが直接短縮されるときにUEが正しくメッセージを受信できない従来技術と比べて、DCIが送信時間単位指示情報を担持しており、送信時間単位指示情報および／または転送ブロック指示情報が基地局によって送られるRARの転送ブロックの送信単位の時間長さおよび／またはRARの転送ブロックの位置情報を指示しうるので、たとえ基地局がメッセージを短いTTIで送る場合でも、UEは、転送ブロックの長さおよび／または転送ブロックの位置情報に従って、基地局によって送られたメッセージをいまだ正しく識別できる。さらに、UEも、基地局の送信時間単位指示情報に従って短いTTIにおいて基地局にメッセージを送ってもよい。このようにして、情報送信中の送信時間単位の時間長さが短縮され、さらに、ランダム・アクセス時間が短縮される。
【０１０７】
上記の実施形態に対応して、ランダム・アクセス時間を短縮するために、本発明のある実施形態はランダム・アクセス方法を提供する。本方法は、LTEまたはLTE-Aシナリオに適用されうる。図３に示されるように、本方法は以下の段階を含む。
【０１０８】
３０１。UEがランダム・アクセス・プリアンブルを基地局に送る。前記ランダム・アクセス・プリアンブルは、前記UEが第一の送信機能をもつことを示すために使われる。
【０１０９】
前記第一の送信機能は第一の時間長さの送信時間単位を送信する機能である。
【０１１０】
現行のLTEシステムでは、基地局およびUEは、基本送信時間単位として1msのTTIを使って互いにメッセージを送信する。本発明のこの実施形態では、第一の時間長さの送信時間単位は1msより短い。第一の時間長さは具体的には、t個のSC-FDMAシンボルまたはt個のOFDMシンボルの長さを有していてもよい。ここで、tは14以下の正の整数である。
【０１１１】
たとえば、第一の時間長さは0.5msであってもよく、あるいは0.5msより短くてもよい。たとえば、第一の時間長さは1  SC-FDMAシンボル、2  SC-FDMAシンボル、3  SC-FDMAシンボル、4  SC-FDMAシンボル、5  SC-FDMAシンボル、6  SC-FDMAシンボル、7  SC-FDMAシンボル、1  OFDMシンボル、2  OFDMシンボル、3  OFDMシンボル、4  OFDMシンボル、5  OFDMシンボル、6  OFDMシンボルまたは7  OFDMシンボルである。もう一つの例では、第一の時間長さは0.5ms、0.125msまたは0.1msであってもよい。
【０１１２】
あるいはまた、第一の送信機能は第一の時間長さより大きいまたは第一の時間長さ以上であり、かつ第二の時間長さ未満または第二の時間長さ以下である送信時間単位を送信する機能である。たとえば、第一の時間長さは上記の諸例であり、第二の時間長さは1msである。
【０１１３】
３０２。基地局によってPDCCHを使って送られたDCIをUEが受信する。
【０１１４】
前記DCIは送信時間単位指示情報および／または転送ブロック指示情報を担持する。前記送信時間単位指示情報は、DL-SCH転送ブロックおよび／または上りリンク共有チャネルUL-SCH転送ブロックの送信時間単位の時間長さを示すために使われる。前記送信時間単位の時間長さは前記第一の時間長さまたは第二の時間長さである。前記第二の時間長さは前記第一の時間長さより長い。
【０１１５】
前記転送ブロック指示情報はDL-SCH転送ブロック位置情報および／またはUL-SCH転送ブロック位置情報を含む。DL-SCH転送ブロック位置情報はDL-SCH転送ブロックの時間領域資源および／または周波数領域資源についての情報を含む。
【０１１６】
３０３。前記DCIによって示されるDL-SCH転送ブロックに従って前記基地局によって送られた、前記ランダム・アクセス・プリアンブルについてのランダム・アクセス応答RARを、UEが、前記DCIに従って受信する。
【０１１７】
前記DCIによって担持される送信時間単位指示情報によって示される送信時間単位の時間長さが0.5msである場合、UEは、送信時間単位として0.5msのTTIを使って、RARを担持するDL-SCH転送ブロックを受信する。
【０１１８】
３０４。UEは、前記RARによって担持される上りリンク・スケジューリング情報に従って、UL-SCH転送ブロックを送る。
【０１１９】
RARによって担持される上りリンク・スケジューリング情報は：周波数ホッピング指示識別子、固定サイズの資源ブロックの割り当て、打ち切りされた変調および符号化方式、スケジュールされたPUSCHチャネルについての送信電力制御コマンド、上りリンク遅延指示情報またはCSI要求を含む。
【０１２０】
本発明の実施形態において提供される前記ランダム・アクセス方法によれば、UEがランダム・アクセス・プリアンブルを基地局に送り、前記ランダム・アクセス・プリアンブルは、前記UEが第一の送信機能をもつことを示すために使われる。UEは、基地局によってPDCCHを使って送られたDCIを受信し、該DCIに従って、該DCIによって示されるDL-SCH転送ブロックに従って前記基地局によって送られた、前記ランダム・アクセス・プリアンブルについてのランダム・アクセス応答RARを受信し、次いで、前記RARによって担持される上りリンク・スケジューリング情報に従って、UL-SCH転送ブロックを送る。メッセージを送信するためのTTIが直接短縮されるときにUEが正しくメッセージを受信できない従来技術と比べて、DCIが送信時間単位指示情報を担持しており、送信時間単位指示情報および／または転送ブロック指示情報が基地局によって送られるRARの転送ブロックの送信単位の時間長さおよび／またはRARの転送ブロックの位置情報を指示しうるので、たとえ基地局がメッセージを短いTTIで送る場合でも、UEは、転送ブロックの長さおよび／または転送ブロックの位置情報に従って、基地局によって送られたメッセージをいまだ正しく識別し、基地局の送信時間単位指示情報に従って短いTTIにおいて基地局にメッセージを送ることができる。このようにして、情報送信中の送信時間単位の時間長さが短縮され、さらに、ランダム・アクセス時間が短縮される。
【０１２１】
DCIが送信時間単位指示情報および／または転送ブロック指示情報を担持しているので、DCIによって担持される情報については三つの場合がありうる。第一の場合には、送信時間単位情報のみが担持される。第二の場合には、転送ブロック指示情報のみが担持される。第三の場合には、送信時間単位情報と転送ブロック指示情報の両方が担持される。これら三つの場合に対応して、本発明のこの実施形態において提供されるもう一つの実装では、前記DCIによって示される前記DL-SCH転送ブロックに従って前記基地局によって送られた、前記ランダム・アクセス・プリアンブルについてのランダム・アクセス応答RARを、前記DCIに従って前記UEによって受信する上記の段階３０３は具体的には以下の三つの実装を含む。
【０１２２】
第一の実装：前記DCIが前記送信時間単位指示情報を担持するときは、前記基地局によって送られた、前記ランダム・アクセス・プリアンブルについての前記RARを担持する前記DL-SCH転送ブロックを、UEが受信する。前記DL-SCH転送ブロックの送信時間単位の時間長さは前記送信時間単位指示情報によって示される時間長さである。
【０１２３】
ランダム・アクセス時間を短縮するために、送信時間単位指示情報によって示される時間長さは前記第一の時間長さであってもよい。ランダム・アクセスの正確さを保証するために、送信時間単位指示情報によって示される時間長さは前記第二の時間長さであってもよい。
【０１２４】
前記DL-SCH転送ブロックの送信時間単位は、PDCCHの送信時間単位に隣接する送信時間単位またはPDCCHの送信時間単位である。
【０１２５】
第二の実装：前記DCIが前記転送ブロック指示情報を担持するときは、前記基地局によって送られた、前記ランダム・アクセス・プリアンブルについての前記RARを担持する前記DL-SCH転送ブロックを、前記転送ブロック指示情報によって示されるDL-SCH転送ブロック位置情報によって示される位置において、UEが受信する。前記DL-SCH転送ブロックの送信時間単位の時間長さは事前設定された時間長さである。
【０１２６】
前記DL-SCH転送ブロック位置情報は、前記DL-SCH転送ブロックの時間領域資源および／または周波数領域資源についての情報を含む。ランダム・アクセス時間を短縮するという目的を達成するために、送信時間単位の事前設定された時間長さの値範囲は、前記第一の時間長さ以上であり、かつ前記第二に時間長さ以下であってもよい。たとえば、第二の時間長さが14シンボル（1ms）であり、第一の時間長さが1シンボルであれば、送信時間単位の事前設定された時間長さは1から14までの範囲のシンボル量であるが、14より大きかったり1より小さかったりすることはできない。
【０１２７】
第三の実装：前記DCIが前記送信時間単位指示情報および前記転送ブロック指示情報を担持するときは、前記基地局によって送られた、前記ランダム・アクセス・プリアンブルについての前記RARを担持する前記DL-SCH転送ブロックを、前記転送ブロック指示情報によって示されるDL-SCH転送ブロック位置情報によって示される位置において、UEが受信する。前記DL-SCH転送ブロックの送信時間単位の時間長さは前記送信時間単位指示情報によって示される時間長さである。
【０１２８】
本発明のこの実施形態において提供されるもう一つの実装では、前記RARによって担持される上りリンク・スケジューリング情報に従って、UL-SCH転送ブロックを、前記UEによって送る上記の段階３０４は、具体的には下記の実装を含む。
【０１２９】
第一の実装：前記DCIが前記送信時間単位指示情報を担持するときは、前記RARによって担持される上りリンク・スケジューリング情報および前記送信時間単位指示情報に従って、前記UL-SCH転送ブロックを、前記UL-SCH転送ブロックの事前設定された時間領域資源上で、UEが前記基地局に送る。前記UL-SCH転送ブロックの送信時間単位の時間長さは前記送信時間単位指示情報によって示される時間長さである。
【０１３０】
ある具体的な実装では、前記DCIが前記送信時間単位指示情報を担持するときは、UEは前記UL-SCH転送ブロックを、前記RARによって担持される上りリンク・スケジューリング情報および前記送信時間単位指示情報に従って、前記UL-SCH転送ブロックの、前記上りリンク・スケジューリング情報によって示される周波数領域資源および前記UL-SCH転送ブロックの事前設定された時間領域資源上で、前記送信時間単位指示情報によって示される送信時間単位の時間長さを使って、基地局に送る。
【０１３１】
ランダム・アクセス時間を短縮するために、送信時間単位指示情報によって示される時間長さは前記第一の時間長さであってもよい。ランダム・アクセスの正確さを保証するために、送信時間単位指示情報によって示される時間長さは前記第二の時間長さであってもよい。
【０１３２】
前記UL-SCH転送ブロックの前記事前設定された時間領域資源は、前記DCIまたは前記RARからk個の第一の時間長さまたはk個の第二の時間長さだけ離間した時間長さにおける時間領域資源であってもよいことを注意しておくべきである。ここで、kは正の整数である。ここで、第一の時間長さまたは第二の時間長さは、送信時間単位情報によって示される時間長さに従って決定される。たとえば、送信時間単位情報によって示される時間長さが前記第一の時間長さであれば、前記UL-SCH転送ブロックの前記事前設定された時間領域資源は、前記DCIまたは前記RARからk個の第一の時間長さだけ離間した前記第一の時間長さにおける時間領域資源であってもよい。ここで、kは正の整数である。
【０１３３】
第二の実装：前記DCIが前記転送ブロック指示情報を担持するときは、UEは、前記RARによって担持される上りリンク・スケジューリング情報および前記DCIによって担持される前記転送ブロック指示情報に従って、前記UL-SCH転送ブロックを、前記転送ブロック指示情報によって示されるUL-SCH転送ブロック位置情報によって示される位置において、前記基地局に送る。前記UL-SCH転送ブロックの前記送信時間単位の時間長さは事前設定された時間長さである。
【０１３４】
前記UL-SCH転送ブロック位置情報は、前記UL-SCH転送ブロックの時間領域資源および／または周波数領域資源についての情報を含む。ランダム・アクセス時間を短縮するという目的を達成するために、送信時間単位の事前設定された時間長さの値範囲は、前記第一の時間長さ以上であり、かつ前記第二に時間長さ以下であってもよい。たとえば、第二の時間長さが14シンボル（1ms）であり、第一の時間長さが1シンボルであれば、送信時間単位の事前設定された時間長さは1から14までの範囲のシンボル量であるが、14より大きかったり1より小さかったりすることはできない。
【０１３５】
第三の実装：前記DCIが前記送信時間単位指示情報および前記転送ブロック指示情報を担持するときは、UEは、前記RARによって担持される上りリンク・スケジューリング情報ならびに前記DCIによって担持される前記送信時間単位指示情報および前記転送ブロック指示情報に従って、前記UL-SCH転送ブロックを、前記転送ブロック指示情報によって示されるUL-SCH転送ブロック位置情報によって示される位置において、前記基地局に送る。前記UL-SCH転送ブロックの前記送信時間単位の時間長さは前記送信時間単位指示情報によって示される時間長さである。
【０１３６】
本発明のこの実施形態において提供されるランダム・アクセス方法によれば、DCIが送信時間単位指示情報を担持しており、送信時間単位指示情報および／または転送ブロック指示情報がUEがメッセージを短いTTIにおいて基地局に送ることを示しうるので、基地局も、UEによって送られたUL-SCH転送ブロックを、DCIによって担持される送信時間単位指示情報および／または転送ブロック指示情報に従って、正しく受信することができる。このようにして、情報送信中の送信時間単位の時間長さが短縮され、さらに、ランダム・アクセス時間が短縮される。
【０１３７】
送信時間指示情報および／または転送ブロック指示情報は異なるフォーマットでDCIに加えられてもよいことを注意しておくべきである。基地局によって送られたDCIをUEが受信する前に、DCI内の、送信時間単位指示情報および／または転送ブロック指示情報がそこから得られる位置を判別するために、DCIのフォーマットが判別される必要がある。これに基づいて、本発明のもう一つの実施形態において提供されるもう一つの実装では、図４に示されるように、基地局によってPDCCHを使って送られたDCIを前記UEによって受信する上記の段階３０２の前に、本方法はさらに、下記の段階を含む。
【０１３８】
３０５。UEが受領されたDCIのフォーマットを判別する。
【０１３９】
３０６。DCIのフォーマットが第一のDCIフォーマットであれば、UEは、前記DCIから前記送信時間単位指示情報および／または前記転送ブロック指示情報を取得する。
【０１４０】
前記第一のDCIフォーマットは前記第一の送信機能をもつUEによってのみ検出されるDCIフォーマットである。
【０１４１】
DCIのフォーマットが第一のDCIフォーマットであるとき、第一の送信機能をもつUEは第一のDCIフォーマットのDCIのみを識別し、より古いバージョンのUEまたは第一の送信機能をもたないUEは別のフォーマットのDCIを識別することを注意しておくべきである。第一のDCIフォーマットのDCIは第一の送信機能をもつUEによってのみ識別され、DCIのフォーマットは、UEによって送られたランダム・アクセス・プリアンブルに従って基地局によって決定されるので、第一の送信機能をもつUEは、DCIから直接、送信時間単位指示情報および／または転送ブロック指示情報を取得しうる。
【０１４２】
任意的に、前記第一の送信機能をもつUEは、別のフォーマットのDCIを検出する必要なしに、前記第一のDCIフォーマットのDCIのみを検出するようにされてもよく、これは、UEが前記別のフォーマットのDCIについてブラインド検出を実行することを防ぐ。
【０１４３】
３０７。DCIのフォーマットがDCIフォーマット1Aである場合、UEは、DCIにおけるMCSビット・フィールドにおけるビット情報から、前記送信時間単位指示情報を取得する。
【０１４４】
３０８。DCIのフォーマットがDCIフォーマット1Cである場合、UEは、DCIにおける、新規データ・インジケーターNDIビット・フィールド、冗長性バージョンRVビット・フィールドおよび送信電力TPCビット・フィールドの最上位ビット（MSB）ビット・フィールドのうちの少なくとも一つにおけるビット・フィールドのビット情報から、前記送信時間単位指示情報および／または前記転送ブロック指示情報を取得する。
【０１４５】
NDIビット・フィールド、冗長性バージョンRVビット・フィールドおよび送信電力TPCビット・フィールドの最上位ビット（MSB）ビット・フィールドはめったに使われないので、情報伝送に影響することなく、送信時間単位指示情報および／または転送ブロック指示情報を担持するために使用されうる。しかしながら、送信時間単位指示情報および／または転送ブロック指示情報は、例として記載された上記のビット・フィールドに位置することに限定されない。
【０１４６】
DCIフォーマット1AおよびDCIフォーマット1Cはいずれも既存のDCIフォーマットであることを注意しておく。本発明のこの実施形態では、時間単位指示情報および／または転送ブロック指示情報は既存のフォーマットのDCIに追加されるが、DCIフォーマット1AおよびDCIフォーマット1Cの総ビット量は増大しない。DCIフォーマット1AおよびDCIフォーマット1Cはいずれも任意のUEによって識別されることができるDCIフォーマットなので、UEは追加的なブラインド検出を実行しない。
【０１４７】
PDSCCHを使ってDCIをUEに送る前に、基地局はPDCCHによって搬送されるDCIをスクランブルする。よって、PDCCHを使って基地局によって送られたDCIを受信した後、UEはさらに、スクランブル解除動作を実行する必要がある。具体的には、前記基地局によってPDCCHを使って送られたDCIを、前記UEによって受信する上記の段階３０２の後、段階３０９および段階３１０がさらに実行される必要がある。
【０１４８】
３０９。UEは、無線ネットワーク一時識別子RA-RNTIを決定する。
【０１４９】
前記RA-RNTIは(1＋t_id＋10*f_id＋X  deta)  mod  Y＋1であり、XおよびYの値は整数である；または前記RA-RNTIは65301＋(10*t_id＋f_id)  mod  9であり、ここで、t_idは、前記ランダム・アクセス・プリアンブルを担持するPRACHの第一のサブフレームのシーケンス番号であり、0≦t_id＜10であり、f_idは前記ランダム・アクセス・プリアンブルを担持するPRACHの第一のサブフレームの第二のPRACHインデックスであり、0≦f_id＜6である。
【０１５０】
３１０。UEは、前記RA-RNTIに従って、前記PDCCHによって担持されるDCIをスクランブル解除する。
【０１５１】
本発明のこの実施形態において提供されるランダム・アクセス方法によれば、UEがランダム・アクセス・プリアンブルを基地局に送り、前記ランダム・アクセス・プリアンブルは、前記UEが第一の送信機能をもつことを示すために使われる。UEは、基地局によってPDCCHを使って送られたDCIを受信し、該DCIに従って、該DCIによって示されるDL-SCH転送ブロックに従って前記基地局によって送られた、前記ランダム・アクセス・プリアンブルについてのランダム・アクセス応答RARを受信し、次いで、前記RARによって担持される上りリンク・スケジューリング情報に従って、UL-SCH転送ブロックを送る。メッセージを送信するためのTTIが直接短縮されるときにUEが正しくメッセージを受信できない従来技術と比べて、DCIが送信時間単位指示情報を担持しており、送信時間単位指示情報および／または転送ブロック指示情報が基地局によって送られるRARの転送ブロックの送信単位の時間長さおよび／またはRARの転送ブロックの位置情報を指示しうるので、たとえ基地局がメッセージを短いTTIで送る場合でも、UEは、転送ブロックの長さおよび／または転送ブロックの位置情報に従って、基地局によって送られたメッセージをいまだ正しく識別し、基地局の送信時間単位指示情報に従って短いTTIにおいて基地局にメッセージを送ることができる。このようにして、情報送信中の送信時間単位の時間長さが短縮され、さらに、ランダム・アクセス時間が短縮される。
【０１５２】
上記の方法実施形態を参照するに、ランダム・アクセス時間を短縮するために、本発明の実施形態はさらに、ランダム・アクセス装置を提供する。装置は基地局に適用される。図５に示されるように、本装置は、受信ユニット５０１、送信ユニット５０２および処理ユニット５０３を含む。
【０１５３】
受信ユニット５０１は、ユーザー装置UEによって送られたランダム・アクセス・プリアンブルを受信するよう構成され、前記ランダム・アクセス・プリアンブルは、前記UEが第一の送信機能をもつことを示すために使われ、前記第一の送信機能は第一の時間長さの送信時間単位を送信する機能である。
【０１５４】
送信ユニット５０２は、物理的下りリンク制御チャネルPDCCHを使って前記UEに下りリンク制御情報DCIを送る段階であって、前記DCIは送信時間単位指示情報および／または転送ブロック指示情報を担持し、前記送信時間単位指示情報は、DL-SCH転送ブロックおよび／または上りリンク共有チャネルUL-SCH転送ブロックの送信時間単位の時間長さを示すために使われ、前記送信時間単位の時間長さは前記第一の時間長さまたは第二の時間長さであり、前記第二の時間長さは前記第一の時間長さより長く、前記転送ブロック指示情報はDL-SCH転送ブロック位置情報および／またはUL-SCH転送ブロック位置情報を含む、段階と、前記DCIによって示される前記DL-SCH転送ブロックを使って、前記ランダム・アクセス・プリアンブルについてのランダム・アクセス応答RARを前記UEに送る段階とを実行するよう構成される。
【０１５５】
処理ユニット５０３は、前記RARによって担持される上りリンク・スケジューリング情報に従って前記UEによって送られたUL-SCH転送ブロックを受信するよう受信ユニット５０１を制御するよう構成される。
【０１５６】
メッセージを送信するためのTTIが直接短縮されるときにUEが正しくメッセージを受信できない従来技術と比べて、本発明のこの実施形態において提供されるランダム・アクセス装置については、DCIが送信時間単位指示情報を担持しており、送信時間単位指示情報および／または転送ブロック指示情報が基地局によって送られるRARの転送ブロックの送信単位の時間長さおよび／またはRARの転送ブロックの位置情報を指示しうるので、たとえ基地局がメッセージを短いTTIで送る場合でも、UEは、転送ブロックの長さおよび／または転送ブロックの位置情報に従って、基地局によって送られたメッセージをいまだ正しく識別できる。さらに、UEも、基地局の送信時間単位指示情報に従って短いTTIにおいて基地局にメッセージを送ってもよい。このようにして、情報送信中の送信時間単位の時間長さが短縮され、さらに、ランダム・アクセス時間が短縮される。
【０１５７】
本発明のもう一つの実施形態では、処理ユニット５０３はさらに：
前記DCIが前記送信時間単位指示情報を担持するときは、前記ランダム・アクセス・プリアンブルについての前記RARを担持する前記DL-SCH転送ブロックを、前記UEに送るよう前記送信ユニット５０２を制御する段階であって、前記DL-SCH転送ブロックの送信時間単位の時間長さは前記送信時間単位指示情報によって示される時間長さであり、前記DL-SCH転送ブロックの送信時間単位は、PDCCHの送信時間単位に隣接する送信時間単位またはPDCCHの送信時間単位である、段階；
前記DCIが前記転送ブロック指示情報を担持するときは、前記ランダム・アクセス・プリアンブルについての前記RARを担持する前記DL-SCH転送ブロックを、前記転送ブロック指示情報によって示されるDL-SCH転送ブロック位置情報によって示される位置において、前記UEに送るよう前記送信ユニット５０２を制御する段階であって、前記DL-SCH転送ブロックの送信時間単位の時間長さは事前設定された時間長さであり、前記DL-SCH転送ブロック位置情報は、前記DL-SCH転送ブロックの時間領域資源および／または周波数領域資源についての情報を含む、段階；または
前記DCIが前記送信時間単位指示情報および前記転送ブロック指示情報を担持するときは、前記ランダム・アクセス・プリアンブルについての前記RARを担持する前記DL-SCH転送ブロックを、前記転送ブロック指示情報によって示されるDL-SCH転送ブロック位置情報によって示される位置において、前記UEに送るよう前記送信ユニット５０２を制御する段階であって、前記DL-SCH転送ブロックの送信時間単位の時間長さは前記送信時間単位指示情報によって示される時間長さである、段階を実行するよう構成される。
【０１５８】
本発明のもう一つの実施形態では、処理ユニット５０３はさらに：
前記DCIが前記送信時間単位指示情報を担持するときは、前記RARによって担持される上りリンク・スケジューリング情報に従って前記UEによって送られたUL-SCH転送ブロックを、該UL-SCH転送ブロックの事前設定された時間領域資源で前記送信時間単位指示情報に従って受信するよう前記受信ユニット５０１を制御する段階であって、前記UL-SCH転送ブロックの送信時間単位の時間長さは前記送信時間単位指示情報によって示される時間長さである、段階；
前記DCIが前記転送ブロック指示情報を担持するときは、前記RARによって担持される上りリンク・スケジューリング情報に従って前記UEによって送られたUL-SCH転送ブロックを、前記DCIによって担持される前記転送ブロック指示情報に従って、かつ、前記転送ブロック指示情報によって示されるUL-SCH転送ブロック位置情報によって示される位置において、受信するよう前記受信ユニット５０１を制御する段階であって、前記UL-SCH転送ブロック位置情報は、前記UL-SCH転送ブロックの時間領域資源および／または周波数領域資源についての情報を含み、前記UL-SCH転送ブロックの前記送信時間単位の時間長さは前記送信時間単位の事前設定された時間長さである、段階；または
前記DCIが前記送信時間単位指示情報および前記転送ブロック指示情報を担持するときは、前記RARによって担持される上りリンク・スケジューリング情報に従って前記UEによって送られたUL-SCH転送ブロックを、前記DCIによって担持される前記送信時間単位指示情報および前記転送ブロック指示情報に従って、かつ、前記転送ブロック指示情報によって示されるUL-SCH転送ブロック位置情報によって示される位置において、受信するよう前記受信ユニット５０１を制御する段階であって、前記UL-SCH転送ブロックの前記送信時間単位の時間長さは前記送信時間単位指示情報によって示される時間長さである、段階を実行するよう構成される。
【０１５９】
本発明のこの実施形態では、DCIが送信時間単位指示情報を担持しており、送信時間単位指示情報および／または転送ブロック指示情報が基地局によって送られるRARの転送ブロックの送信単位の時間長さおよび／またはRARの転送ブロックの位置情報を指示しうるので、たとえ基地局がメッセージを短いTTIで送る場合でも、UEは、転送ブロックの長さおよび／または転送ブロックの位置情報に従って、基地局によって送られたメッセージをいまだ正しく識別し、基地局の送信時間単位指示情報に従って短いTTIにおいて基地局にメッセージを送ることができる。よって、基地局も、DCIによって担持される送信時間単位指示情報および／または転送ブロック指示情報に従って、UEによって送られたUL-SCH転送ブロックを正しく受信することができる。このようにして、情報送信中の送信時間単位の時間長さが短縮され、さらに、ランダム・アクセス時間が短縮される。
【０１６０】
本発明のもう一つの実施形態では、図６に示されるように、処理ユニット５０３は、決定モジュール５０３１およびスクランブル・モジュール５０３２を含む。
【０１６１】
決定モジュール５０３１は、前記受信ユニット５０１によって受信された前記ランダム・アクセス・プリアンブルに従って、前記DCIのフォーマットが第一のDCIフォーマットであることを決定するよう構成されており、前記第一のDCIフォーマットは前記第一の送信機能をもつUEによってのみ検出されるDCIフォーマットである。
【０１６２】
決定モジュール５０３１はさらに、前記受信ユニット５０１によって受信された前記ランダム・アクセス・プリアンブルに従って、前記DCIのフォーマットがDCIフォーマット1AまたはDCIフォーマット1Cであることを決定するよう構成される。ここで、前記DCIフォーマット1Aおよび前記DCIフォーマット1Cのそれぞれには、前記送信時間単位指示情報および／または前記転送ブロック指示情報を担持するために使われるビット・フィールドが存在する。
【０１６３】
DCIのフォーマットがDCIフォーマット1Aである場合、DCIにおけるMCSビット・フィールドにおけるビット情報が、前記送信時間単位指示情報を示すために使われる。
【０１６４】
DCIのフォーマットがDCIフォーマット1Cである場合、DCIにおける、新規データ・インジケーターNDIビット・フィールド、冗長性バージョンRVビット・フィールドおよび送信電力TPCビット・フィールドの最上位ビット（MSB）ビット・フィールドのうちの少なくとも一つにおけるビット・フィールドのビット情報が、前記送信時間単位指示情報および／または前記転送ブロック指示情報を示すために使われる。
【０１６５】
スクランブル・モジュール５０３２は、前記PDCCHによって担持されるDCIを、ランダム・アクセス無線ネットワーク一時識別子RA-RNTIに従って、スクランブルするよう構成される。前記RA-RNTIは(1＋t_id＋10*f_id＋X  deta)  mod  Y＋1であり、XおよびYの値は整数である；または前記RA-RNTIは65301＋(10*t_id＋f_id)  mod  9である。ここで、t_idは基地局によって検出される、前記ランダム・アクセス・プリアンブルを担持するPRACHの第一のサブフレームのシーケンス番号であり、0≦t_id＜10であり、f_idは前記ランダム・アクセス・プリアンブルを担持するPRACHの第一のサブフレームの第二のPRACHインデックスであり、0≦f_id＜6である。
【０１６６】
本発明のこの実施形態において提供されるランダム・アクセス装置によれば、受信ユニットがユーザー装置UEによって送られたランダム・アクセス・プリアンブルを受信し、前記ランダム・アクセス・プリアンブルは、前記UEが第一の送信機能をもつことを示すために使われる。送信ユニットが、UEがDCIに従ってランダム・アクセス・プリアンブルについてのRARを受信することができるよう、PDCCHを使って前記UEにDCIを送り、該DCIによって示されるDL-SCH転送ブロックを使って、前記ランダム・アクセス・プリアンブルについてのRARを前記UEに送る。受信ユニットは、前記RARによって担持される上りリンク・スケジューリング情報に従って前記UEによって送られたUL-SCH転送ブロックを受信する。メッセージを送信するためのTTIが直接短縮されるときにUEが正しくメッセージを受信できない従来技術と比べて、DCIが送信時間単位指示情報を担持しており、送信時間単位指示情報および／または転送ブロック指示情報が基地局によって送られるRARの転送ブロックの送信単位の時間長さおよび／またはRARの転送ブロックの位置情報を指示しうるので、たとえ基地局がメッセージを短いTTIで送る場合でも、UEは、転送ブロックの長さおよび／または転送ブロックの位置情報に従って、基地局によって送られたメッセージをいまだ正しく識別できる。さらに、UEも、基地局の送信時間単位指示情報に従って短いTTIにおいて基地局にメッセージを送ってもよい。このようにして、情報送信中の送信時間単位の時間長さが短縮され、さらに、ランダム・アクセス時間が短縮される。
【０１６７】
ランダム・アクセス時間を短縮するために、本発明のある実施形態はさらに、ランダム・アクセス装置を提供する。本装置は、ユーザー装置UEに適用される。図７に示されるように、本装置は、送信ユニット７０１、受信ユニット７０２および処理ユニット７０３を含む。
【０１６８】
送信ユニット７０１は、ランダム・アクセス・プリアンブルを基地局に送るよう構成される。前記ランダム・アクセス・プリアンブルは、前記UEが第一の送信機能をもつことを示すために使われ、前記第一の送信機能は第一の時間長さの送信時間単位を送信する機能である。
【０１６９】
受信ユニット７０２は、前記基地局によって物理的下りリンク制御チャネルPDCCHを使って送られた下りリンク制御情報DCIを受信するよう構成され、前記DCIは送信時間単位指示情報および／または転送ブロック指示情報を担持し、前記送信時間単位指示情報は、DL-SCH転送ブロックおよび／または上りリンク共有チャネルUL-SCH転送ブロックの送信時間単位の時間長さを示すために使われ、前記送信時間単位の時間長さは前記第一の時間長さまたは第二の時間長さであり、前記第二の時間長さは前記第一の時間長さより長く、前記転送ブロック指示情報はDL-SCH転送ブロック位置情報および／またはUL-SCH転送ブロック位置情報を含む。
【０１７０】
処理ユニット７０３は、前記DCIによって示される前記DL-SCH転送ブロックに従って前記基地局によって送られた、前記ランダム・アクセス・プリアンブルについてのランダム・アクセス応答RARを、前記DCIに従って受信するよう前記受信ユニット７０２を制御し；前記RARによって担持される上りリンク・スケジューリング情報に従って、UL-SCH転送ブロックを送るよう前記送信ユニット７０１を制御するよう構成される。
【０１７１】
メッセージを送信するためのTTIが直接短縮されるときにUEが正しくメッセージを受信できない従来技術と比べて、本発明のこの実施形態において提供されるランダム・アクセス装置については、DCIが送信時間単位指示情報を担持しており、送信時間単位指示情報および／または転送ブロック指示情報が基地局によって送られるRARの転送ブロックの送信単位の時間長さおよび／またはRARの転送ブロックの位置情報を指示しうるので、たとえ基地局がメッセージを短いTTIで送る場合でも、UEは、転送ブロックの長さおよび／または転送ブロックの位置情報に従って、基地局によって送られたメッセージをいまだ正しく識別し、基地局の送信時間単位指示情報に従って短いTTIにおいて基地局にメッセージを送ることができる。このようにして、情報送信中の送信時間単位の時間長さが短縮され、さらに、ランダム・アクセス時間が短縮される。
【０１７２】
本発明のもう一つの実施形態では、処理ユニット７０３はさらに：
前記DCIが前記送信時間単位指示情報を担持するときは、前記基地局によって送られた、前記ランダム・アクセス・プリアンブルについての前記RARを担持する前記DL-SCH転送ブロックを受信するよう前記受信ユニット７０２を制御する段階であって、前記DL-SCH転送ブロックの送信時間単位の時間長さは前記送信時間単位指示情報によって示される時間長さであり、前記DL-SCH転送ブロックの送信時間単位は、PDCCHの送信時間単位に隣接する送信時間単位またはPDCCHの送信時間単位である、段階；
前記DCIが前記転送ブロック指示情報を担持するときは、前記基地局によって送られた、前記ランダム・アクセス・プリアンブルについての前記RARを担持する前記DL-SCH転送ブロックを、前記転送ブロック指示情報によって示されるDL-SCH転送ブロック位置情報によって示される位置において受信するよう前記受信ユニット７０２を制御する段階であって、前記DL-SCH転送ブロックの送信時間単位の時間長さは事前設定された時間長さであり、前記DL-SCH転送ブロック位置情報は、前記DL-SCH転送ブロックの時間領域資源および／または周波数領域資源についての情報を含む、段階；または
前記DCIが前記送信時間単位指示情報および前記転送ブロック指示情報を担持するときは、前記基地局によって送られた、前記ランダム・アクセス・プリアンブルについての前記RARを担持する前記DL-SCH転送ブロックを、前記転送ブロック指示情報によって示されるDL-SCH転送ブロック位置情報によって示される位置において受信するよう前記受信ユニット７０２を制御する段階であって、前記DL-SCH転送ブロックの送信時間単位の時間長さは前記送信時間単位指示情報によって示される時間長さである、段階を実行するよう構成される。
【０１７３】
本発明のもう一つの実施形態では、処理ユニット７０３はさらに：
前記DCIが前記送信時間単位指示情報を担持するときは、前記RARによって担持される上りリンク・スケジューリング情報および前記送信時間単位指示情報に従って、前記UL-SCH転送ブロックを、前記UL-SCH転送ブロックの事前設定された時間領域資源上で前記基地局に送るよう前記送信ユニット７０１を制御する段階であって、前記UL-SCH転送ブロックの送信時間単位の時間長さは前記送信時間単位指示情報によって示される時間長さである、段階；
前記DCIが前記転送ブロック指示情報を担持するときは、前記RARによって担持される上りリンク・スケジューリング情報および前記DCIによって担持される前記転送ブロック指示情報に従って、前記UL-SCH転送ブロックを、前記転送ブロック指示情報によって示されるUL-SCH転送ブロック位置情報によって示される位置において、前記基地局に送るよう前記送信ユニット７０１を制御する段階であって、前記UL-SCH転送ブロックの前記送信時間単位の時間長さは事前設定された時間長さであり、前記UL-SCH転送ブロック位置情報は、前記UL-SCH転送ブロックの時間領域資源および／または周波数領域資源についての情報を含む、段階；または
前記DCIが前記送信時間単位指示情報および前記転送ブロック指示情報を担持するときは、前記RARによって担持される上りリンク・スケジューリング情報ならびに前記DCIによって担持される前記送信時間単位指示情報および前記転送ブロック指示情報に従って、前記UL-SCH転送ブロックを、前記転送ブロック指示情報によって示されるUL-SCH転送ブロック位置情報によって示される位置において、前記基地局に送るよう前記送信ユニット７０１を制御する段階であって、前記UL-SCH転送ブロックの前記送信時間単位の時間長さは前記送信時間単位指示情報によって示される時間長さである、段階を実行するよう構成される。
【０１７４】
本発明のこの実施形態では、DCIが送信時間単位指示情報を担持しており、送信時間単位指示情報および／または転送ブロック指示情報がUEが基地局に短いTTIでメッセージを送ることを示しうるので、基地局も、DCIによって担持される送信時間単位指示情報および／または転送ブロック指示情報に従って、UEによって送られたUL-SCH転送ブロックを正しく受信することができる。このようにして、情報送信中の送信時間単位の時間長さが短縮され、さらに、ランダム・アクセス時間が短縮される。
【０１７５】
本発明のもう一つの実施形態では、図８に示されるように、処理ユニット７０３は、判別モジュール７０３１、取得モジュール７０３２およびスクランブル解除モジュール７０３３を含む。
【０１７６】
判別モジュール７０３１は、前記受信ユニット７０２によって受信された受信DCIのフォーマットを判別するよう構成される。
【０１７７】
取得モジュール７０３２は、前記判別モジュール７０３１が、前記DCIのフォーマットが第一のDCIフォーマットであると判別する場合、前記DCIから前記送信時間単位指示情報および／または前記転送ブロック指示情報を取得する段階であって、前記第一のDCIフォーマットは前記第一の送信機能をもつUEによってのみ検出されるDCIフォーマットである、段階；
前記DCIのフォーマットがDCIフォーマット1Aである場合、DCIにおけるMCSビット・フィールドにおけるビット情報から、前記送信時間単位指示情報を取得する段階；または
前記DCIのフォーマットがDCIフォーマット1Cである場合、DCIにおける、新規データ・インジケーターNDIビット・フィールド、冗長性バージョンRVビット・フィールドおよび送信電力TPCビット・フィールドの最上位ビット（MSB）ビット・フィールドのうちの少なくとも一つにおけるビット・フィールドのビット情報から、前記送信時間単位指示情報および／または前記転送ブロック指示情報を取得する段階を実行するよう構成される。
【０１７８】
判別モジュール７０３１はさらに、無線ネットワーク一時識別子RA-RNTIを決定するよう構成され、前記RA-RNTIは(1＋t_id＋10*f_id＋X  deta)  mod  Y＋1であり、XおよびYの値は整数である；または前記RA-RNTIは65301＋(10*t_id＋f_id)  mod  9であり、ここで、t_idは、前記ランダム・アクセス・プリアンブルを担持するPRACHの第一のサブフレームのシーケンス番号であり、0≦t_id＜10であり、f_idは前記ランダム・アクセス・プリアンブルを担持するPRACHの第一のサブフレームの第二のPRACHインデックスであり、0≦f_id＜6である。
【０１７９】
スクランブル解除モジュール７０３３は、前記判別モジュール７０３１によって決定された前記RA-RNTIに従って、前記PDCCHによって担持されるDCIをスクランブル解除するよう構成される。
【０１８０】
本発明のこの実施形態において提供されるランダム・アクセス装置によれば、送信ユニットがランダム・アクセス・プリアンブルを基地局に送り、前記ランダム・アクセス・プリアンブルは、前記UEが第一の送信機能をもつことを示すために使われる。受信ユニットは、前記基地局によってPDCCHを使って送られたDCIを受信し、前記DCIによって示される前記DL-SCH転送ブロックに従って前記基地局によって送られた、前記ランダム・アクセス・プリアンブルについてのランダム・アクセス応答RARを、前記DCIに従って受信する。次いで、送信ユニットは、前記RARによって担持される上りリンク・スケジューリング情報に従って、UL-SCH転送ブロックを送る。メッセージを送信するためのTTIが直接短縮されるときにUEが正しくメッセージを受信できない従来技術と比べて、DCIが送信時間単位指示情報を担持しており、送信時間単位指示情報および／または転送ブロック指示情報が基地局によって送られるRARの転送ブロックの送信単位の時間長さおよび／またはRARの転送ブロックの位置情報を指示しうるので、たとえ基地局がメッセージを短いTTIで送る場合でも、UEは、転送ブロックの長さおよび／または転送ブロックの位置情報に従って、基地局によって送られたメッセージをいまだ正しく識別し、基地局の送信時間単位指示情報に従って短いTTIにおいて基地局にメッセージを送ることができる。このようにして、情報送信中の送信時間単位の時間長さが短縮され、さらに、ランダム・アクセス時間が短縮される。
【０１８１】
本発明のある実施形態はさらに、ランダム・アクセス装置を提供する。図９に示されるように、本装置は図５および図６に記載される基地局のハードウェアの概略的な構造図である。基地局はメモリ９０１、プロセッサ９０２、受信器９０３、送信器９０４およびバス９０５を含んでいてもよい。
【０１８２】
メモリ９０１はROM（Read  Only  Memory［読み出し専用メモリ］）、静的記憶装置、動的記憶装置またはRAM（Random  Access  Memory［ランダムアクセスメモリ］）であってもよい。メモリ９０１はオペレーティング・システムおよび他のアプリケーション・プログラムを記憶してもよい。ソフトウェアまたはファームウェアを使って本発明のこの実施形態において提供される技術的解決策の実装の間、本発明のこの実施形態において提供される技術的解決策を実装するためのプログラム・コードがメモリ９０１に記憶され、プロセッサ９０２によって実行される。
【０１８３】
受信器９０３は、本装置と別の装置または通信ネットワーク（たとえばこれに限られないが、イーサネット、RAN（Radio  Access  Network［無線アクセス・ネットワーク］）またはWLAN（Wireless  Local  Area  Network［無線ローカルエリアネットワーク］））との間の通信を実装するよう構成される。
【０１８４】
プロセッサ９０２は、本発明のこの実施形態において提供される技術的解決策を実装するための関連プログラムを実行するための中央処理ユニット（Central  Processing  Unit、CPU）、マイクロプロセッサ、特定用途向け集積回路（Application  Specific  Integrated  Circuit、ASIC）または一つまたは複数の集積回路であってもよい。
【０１８５】
バス９０５は、本装置のコンポーネント（メモリ９０１、受信器９０３、送信器９０４およびプロセッサ９０２など）の間で情報を伝送するためのチャネルを含んでいてもよい。
【０１８６】
図９に示されるハードウェアはメモリ９０１、受信器９０３、送信器９０４、プロセッサ９０２およびバス９０４を特定の実装プロセスにおいて示しているだけだが、当業者は、本装置が、正常な実行を実現するために必要な別の装置をさらに含むことを理解するはずであることを注意しておくべきである。さらに、当業者は、個別的な要件に応じて、端末が別の機能を実装するためのハードウェア装置をさらに含んでいてもよいことを理解するはずである。
【０１８７】
具体的には、図９に示される基地局が図５および図６の実施形態に示される装置を実装するよう構成されるとき、本装置における受信器９０３は、ユーザー装置UEによって送られたランダム・アクセス・プリアンブルを受信するよう構成され、前記ランダム・アクセス・プリアンブルは、前記UEが第一の送信機能をもつことを示すために使われ、前記第一の送信機能は第一の時間長さの送信時間単位を送信する機能である。
【０１８８】
送信器９０４は、物理的下りリンク制御チャネルPDCCHを使って前記UEに下りリンク制御情報DCIを送るよう構成され、前記DCIは送信時間単位指示情報および／または転送ブロック指示情報を担持し、前記送信時間単位指示情報は、DL-SCH転送ブロックおよび／または上りリンク共有チャネルUL-SCH転送ブロックの送信時間単位の時間長さを示すために使われ、前記送信時間単位の時間長さは前記第一の時間長さまたは第二の時間長さであり、前記第二の時間長さは前記第一の時間長さより長く、前記転送ブロック指示情報はDL-SCH転送ブロック位置情報および／またはUL-SCH転送ブロック位置情報を含む。
【０１８９】
プロセッサ９０２は受信器９０３および送信器９０４に結合され、プログラム命令の実行を制御するよう構成され、具体的には、前記DCIによって示される前記DL-SCH転送ブロックを使って、前記ランダム・アクセス・プリアンブルについてのランダム・アクセス応答RARを前記UEに送るよう構成される。
【０１９０】
受信器９０３は、前記RARによって担持される上りリンク・スケジューリング情報に従って前記UEによって送られたUL-SCH転送ブロックを受信するようさらに構成される。
【０１９１】
本発明のこの実施形態において提供される基地局によれば、受信器が、ユーザー装置UEによって送られたランダム・アクセス・プリアンブルを受信し、前記ランダム・アクセス・プリアンブルは、前記UEが第一の送信機能をもつことを示すために使われる。送信器は、UEがDCIに従ってランダム・アクセス・プリアンブルについてのRARを受信できるよう、PDCCHを使って前記UEにDCIを送り、DCIによって示されるDL-SCH転送ブロックを使って、前記ランダム・アクセス・プリアンブルについてのRARを前記UEに送る。次いで、受信器は、RARによって担持される上りリンク・スケジューリング情報に従ってUEによって送られたUL-SCH転送ブロックを受信する。メッセージを送信するためのTTIが直接短縮されるときにUEが正しくメッセージを受信できない従来技術と比べて、DCIが送信時間単位指示情報を担持しており、送信時間単位指示情報および／または転送ブロック指示情報が基地局によって送られるRARの転送ブロックの送信単位の時間長さおよび／またはRARの転送ブロックの位置情報を指示しうるので、たとえ基地局がメッセージを短いTTIで送る場合でも、UEは、転送ブロックの長さおよび／または転送ブロックの位置情報に従って、基地局によって送られたメッセージをいまだ正しく識別できる。さらに、UEも、基地局の送信時間単位指示情報に従って短いTTIにおいて基地局にメッセージを送ってもよい。このようにして、情報送信中の送信時間単位の時間長さが短縮され、さらに、ランダム・アクセス時間が短縮される。
【０１９２】
本発明のもう一つの実施形態では、プロセッサ９０２はさらに：
前記DCIが前記送信時間単位指示情報を担持するときは、前記ランダム・アクセス・プリアンブルについての前記RARを担持する前記DL-SCH転送ブロックを、前記UEに送るよう前記送信器９０４を制御する段階であって、前記DL-SCH転送ブロックの送信時間単位の時間長さは前記送信時間単位指示情報によって示される時間長さであり、前記DL-SCH転送ブロックの送信時間単位は、PDCCHの送信時間単位に隣接する送信時間単位またはPDCCHの送信時間単位である、段階；
前記DCIが前記転送ブロック指示情報を担持するときは、前記ランダム・アクセス・プリアンブルについての前記RARを担持する前記DL-SCH転送ブロックを、前記転送ブロック指示情報によって示されるDL-SCH転送ブロック位置情報によって示される位置において、前記UEに送るよう前記送信器９０４を制御する段階であって、前記DL-SCH転送ブロックの送信時間単位の時間長さは事前設定された時間長さであり、前記DL-SCH転送ブロック位置情報は、前記DL-SCH転送ブロックの時間領域資源および／または周波数領域資源についての情報を含む、段階；または
前記DCIが前記送信時間単位指示情報および前記転送ブロック指示情報を担持するときは、前記ランダム・アクセス・プリアンブルについての前記RARを担持する前記DL-SCH転送ブロックを、前記転送ブロック指示情報によって示されるDL-SCH転送ブロック位置情報によって示される位置において、前記UEに送るよう前記送信器９０４を制御する段階であって、前記DL-SCH転送ブロックの送信時間単位の時間長さは前記送信時間単位指示情報によって示される時間長さである、段階を実行するよう構成される。
【０１９３】
本発明のもう一つの実施形態では、プロセッサ９０２はさらに：
前記DCIが前記送信時間単位指示情報を担持するときは、前記RARによって担持される上りリンク・スケジューリング情報に従って前記UEによって送られたUL-SCH転送ブロックを、該UL-SCH転送ブロックの事前設定された時間領域資源で前記送信時間単位指示情報に従って受信するよう前記受信器９０３を制御する段階であって、前記UL-SCH転送ブロックの送信時間単位の時間長さは前記送信時間単位指示情報によって示される時間長さである、段階；
前記DCIが前記転送ブロック指示情報を担持するときは、前記RARによって担持される上りリンク・スケジューリング情報に従って前記UEによって送られたUL-SCH転送ブロックを、前記DCIによって担持される前記転送ブロック指示情報に従って、かつ、前記転送ブロック指示情報によって示されるUL-SCH転送ブロック位置情報によって示される位置において、受信するよう前記受信器９０３を制御する段階であって、前記UL-SCH転送ブロック位置情報は、前記UL-SCH転送ブロックの時間領域資源および／または周波数領域資源についての情報を含み、前記UL-SCH転送ブロックの前記送信時間単位の時間長さは前記送信時間単位の事前設定された時間長さである、段階；または
前記DCIが前記送信時間単位指示情報および前記転送ブロック指示情報を担持するときは、前記RARによって担持される上りリンク・スケジューリング情報に従って前記UEによって送られたUL-SCH転送ブロックを、前記DCIによって担持される前記送信時間単位指示情報および前記転送ブロック指示情報に従って、かつ、前記転送ブロック指示情報によって示されるUL-SCH転送ブロック位置情報によって示される位置において、受信するよう前記受信器９０３を制御する段階であって、前記UL-SCH転送ブロックの前記送信時間単位の時間長さは前記送信時間単位指示情報によって示される時間長さである、段階を実行するよう構成される。
【０１９４】
本発明のこの実施形態では、DCIが送信時間単位指示情報を担持しており、送信時間単位指示情報および／または転送ブロック指示情報が基地局によって送られるRARの転送ブロックの送信単位の時間長さおよび／またはRARの転送ブロックの位置情報を指示しうるので、たとえ基地局がメッセージを短いTTIで送る場合でも、UEは、転送ブロックの長さおよび／または転送ブロックの位置情報に従って、基地局によって送られたメッセージをいまだ正しく識別し、基地局の送信時間単位指示情報に従って短いTTIにおいて基地局にメッセージを送ることができる。よって、基地局も、DCIによって担持される送信時間単位指示情報および／または転送ブロック指示情報に従って、UEによって送られたUL-SCH転送ブロックを正しく受信することができる。このようにして、情報送信中の送信時間単位の時間長さが短縮され、さらに、ランダム・アクセス時間が短縮される。
【０１９５】
プロセッサ９０２はさらに、前記受信器９０３によって受信された前記ランダム・アクセス・プリアンブルに従って、前記DCIのフォーマットが第一のDCIフォーマットであることを判別するよう構成されており、前記第一のDCIフォーマットは前記第一の送信機能をもつUEによってのみ検出されるDCIフォーマットである。
【０１９６】
プロセッサ９０２はさらに、前記受信器９０３によって受信された前記ランダム・アクセス・プリアンブルに従って、前記DCIのフォーマットがDCIフォーマット1AまたはDCIフォーマット1Cであることを判別するよう構成される。ここで、前記DCIフォーマット1Aおよび前記DCIフォーマット1Cのそれぞれには、前記送信時間単位指示情報および／または前記転送ブロック指示情報を担持するために使われるビット・フィールドが存在する。
【０１９７】
DCIのフォーマットがDCIフォーマット1Aである場合、DCIにおけるMCSビット・フィールドにおけるビット情報が、前記送信時間単位指示情報を示すために使われる。
【０１９８】
DCIのフォーマットがDCIフォーマット1Cである場合、DCIにおける、新規データ・インジケーターNDIビット・フィールド、冗長性バージョンRVビット・フィールドおよび送信電力TPCビット・フィールドの最上位ビット（MSB）ビット・フィールドのうちの少なくとも一つにおけるビット・フィールドのビット情報が、前記送信時間単位指示情報および／または前記転送ブロック指示情報を示すために使われる。
【０１９９】
本発明のもう一つの実施形態では、プロセッサ９０２はさらに、前記PDCCHによって担持されるDCIを、ランダム・アクセス無線ネットワーク一時識別子RA-RNTIに従って、スクランブルするよう構成される。前記RA-RNTIは(1＋t_id＋10*f_id＋X  deta)  mod  Y＋1であり、XおよびYの値は整数である；または前記RA-RNTIは65301＋(10*t_id＋f_id)  mod  9である。ここで、t_idは基地局によって検出される、前記ランダム・アクセス・プリアンブルを担持するPRACHの第一のサブフレームのシーケンス番号であり、0≦t_id＜10であり、f_idは前記ランダム・アクセス・プリアンブルを担持するPRACHの第一のサブフレームの第二のPRACHインデックスであり、0≦f_id＜6である。
【０２００】
本発明のこの実施形態において提供される基地局によれば、受信器がユーザー装置UEによって送られたランダム・アクセス・プリアンブルを受信し、前記ランダム・アクセス・プリアンブルは、前記UEが第一の送信機能をもつことを示すために使われる。送信器が、UEがDCIに従ってランダム・アクセス・プリアンブルについてのRARを受信することができるよう、PDCCHを使って前記UEにDCIを送り、該DCIによって示されるDL-SCH転送ブロックを使って、前記ランダム・アクセス・プリアンブルについてのRARを前記UEに送る。次いで、受信器は、前記RARによって担持される上りリンク・スケジューリング情報に従って前記UEによって送られたUL-SCH転送ブロックを受信する。メッセージを送信するためのTTIが直接短縮されるときにUEが正しくメッセージを受信できない従来技術と比べて、DCIが送信時間単位指示情報を担持しており、送信時間単位指示情報および／または転送ブロック指示情報が基地局によって送られるRARの転送ブロックの送信単位の時間長さおよび／またはRARの転送ブロックの位置情報を指示しうるので、たとえ基地局がメッセージを短いTTIで送る場合でも、UEは、転送ブロックの長さおよび／または転送ブロックの位置情報に従って、基地局によって送られたメッセージをいまだ正しく識別できる。さらに、UEも、基地局の送信時間単位指示情報に従って短いTTIにおいて基地局にメッセージを送ってもよい。このようにして、情報送信中の送信時間単位の時間長さが短縮され、さらに、ランダム・アクセス時間が短縮される。
【０２０１】
本発明のある実施形態はさらに、ランダム・アクセス装置を提供する。図１０に示されるように、本装置は図７および図８に記載されるUEのハードウェアの概略的な構造図である。UEはメモリ１００１、プロセッサ１００２、受信器１００３、送信器１００４およびバス１００５を含んでいてもよい。
【０２０２】
メモリ１００１はROM（Read  Only  Memory［読み出し専用メモリ］）、静的記憶装置、動的記憶装置またはRAM（Random  Access  Memory［ランダムアクセスメモリ］）であってもよい。メモリ９０１はオペレーティング・システムおよび他のアプリケーション・プログラムを記憶してもよい。ソフトウェアまたはファームウェアを使って本発明のこの実施形態において提供される技術的解決策の実装の間、本発明のこの実施形態において提供される技術的解決策を実装するためのプログラム・コードがメモリ１００１に記憶され、プロセッサ１００２によって実行される。
【０２０３】
受信器１００３は、本装置と別の装置または通信ネットワーク（たとえばこれに限られないが、イーサネット、RAN（Radio  Access  Network［無線アクセス・ネットワーク］）またはWLAN（Wireless  Local  Area  Network［無線ローカルエリアネットワーク］））との間の通信を実装するよう構成される。
【０２０４】
プロセッサ１００２は、本発明のこの実施形態において提供される技術的解決策を実装するための関連プログラムを実行するための中央処理ユニット（Central  Processing  Unit、CPU）、マイクロプロセッサ、特定用途向け集積回路（Application  Specific  Integrated  Circuit、ASIC）または一つまたは複数の集積回路であってもよい。
【０２０５】
バス１００５は、本装置のコンポーネント（メモリ１００１、受信器１００３、送信器１００４およびプロセッサ１００２など）の間で情報を伝送するためのチャネルを含んでいてもよい。
【０２０６】
図１０に示されるハードウェアはメモリ１００１、受信器１００３、送信器１００４、プロセッサ１００２およびバス１００４を特定の実装プロセスにおいて示しているだけだが、当業者は、本装置が、正常な実行を実現するために必要な別の装置をさらに含むことを理解するはずであることを注意しておくべきである。さらに、当業者は、個別的な要件に応じて、端末が別の機能を実装するためのハードウェア装置をさらに含んでいてもよいことを理解するはずである。
【０２０７】
具体的には、図１０に示されるUEが図７および図８の実施形態に示される装置を実装するよう構成されるとき、本装置における送信器１００４は、ランダム・アクセス・プリアンブルを基地局に送るよう構成される。前記ランダム・アクセス・プリアンブルは、前記UEが第一の送信機能をもつことを示すために使われ、前記第一の送信機能は第一の時間長さの送信時間単位を送信する機能である。
【０２０８】
受信器１００３は、前記基地局によって物理的下りリンク制御チャネルPDCCHを使って送られた下りリンク制御情報DCIを受信するよう構成され、前記DCIは送信時間単位指示情報および／または転送ブロック指示情報を担持し、前記送信時間単位指示情報は、DL-SCH転送ブロックおよび／または上りリンク共有チャネルUL-SCH転送ブロックの送信時間単位の時間長さを示すために使われ、前記送信時間単位の時間長さは前記第一の時間長さまたは第二の時間長さであり、前記第二の時間長さは前記第一の時間長さより長く、前記転送ブロック指示情報はDL-SCH転送ブロック位置情報および／またはUL-SCH転送ブロック位置情報を含む。
【０２０９】
プロセッサ１００２は、送信器１００４および受信器１００３に結合され、プログラム命令の実行を制御するよう構成される。具体的には、前記DCIによって示される前記DL-SCH転送ブロックに従って前記基地局によって送られた、前記ランダム・アクセス・プリアンブルについてのランダム・アクセス応答RARを、前記DCIに従って受信するよう前記受信器１００３を制御し；前記RARによって担持される上りリンク・スケジューリング情報に従って、UL-SCH転送ブロックを送るよう前記送信器１００４を制御するよう構成される。
【０２１０】
本発明のもう一つの実施形態では、プロセッサ１００２はさらに：
前記DCIが前記送信時間単位指示情報を担持するときは、前記基地局によって送られた、前記ランダム・アクセス・プリアンブルについての前記RARを担持する前記DL-SCH転送ブロックを受信するよう前記受信器１００３を制御する段階であって、前記DL-SCH転送ブロックの送信時間単位の時間長さは前記送信時間単位指示情報によって示される時間長さであり、前記DL-SCH転送ブロックの送信時間単位は、PDCCHの送信時間単位に隣接する送信時間単位またはPDCCHの送信時間単位である、段階；
前記DCIが前記転送ブロック指示情報を担持するときは、前記基地局によって送られた、前記ランダム・アクセス・プリアンブルについての前記RARを担持する前記DL-SCH転送ブロックを、前記転送ブロック指示情報によって示されるDL-SCH転送ブロック位置情報によって示される位置において受信するよう前記受信器１００３を制御する段階であって、前記DL-SCH転送ブロックの送信時間単位の時間長さは事前設定された時間長さであり、前記DL-SCH転送ブロック位置情報は、前記DL-SCH転送ブロックの時間領域資源および／または周波数領域資源についての情報を含む、段階；または
前記DCIが前記送信時間単位指示情報および前記転送ブロック指示情報を担持するときは、前記基地局によって送られた、前記ランダム・アクセス・プリアンブルについての前記RARを担持する前記DL-SCH転送ブロックを、前記転送ブロック指示情報によって示されるDL-SCH転送ブロック位置情報によって示される位置において受信するよう前記受信器１００３を制御する段階であって、前記DL-SCH転送ブロックの送信時間単位の時間長さは前記送信時間単位指示情報によって示される時間長さである、段階を実行するよう構成される。
【０２１１】
本発明のもう一つの実施形態では、プロセッサ１００２はさらに：
前記DCIが前記送信時間単位指示情報を担持するときは、前記RARによって担持される上りリンク・スケジューリング情報および前記送信時間単位指示情報に従って、前記UL-SCH転送ブロックを、前記UL-SCH転送ブロックの事前設定された時間領域資源上で前記基地局に送るよう前記送信器１００４を制御する段階であって、前記UL-SCH転送ブロックの送信時間単位の時間長さは前記送信時間単位指示情報によって示される時間長さである、段階；
前記DCIが前記転送ブロック指示情報を担持するときは、前記RARによって担持される上りリンク・スケジューリング情報および前記DCIによって担持される前記転送ブロック指示情報に従って、前記UL-SCH転送ブロックを、前記転送ブロック指示情報によって示されるUL-SCH転送ブロック位置情報によって示される位置において、前記基地局に送るよう前記送信器１００４を制御する段階であって、前記UL-SCH転送ブロックの前記送信時間単位の時間長さは事前設定された時間長さであり、前記UL-SCH転送ブロック位置情報は、前記UL-SCH転送ブロックの時間領域資源および／または周波数領域資源についての情報を含む、段階；または
前記DCIが前記送信時間単位指示情報および前記転送ブロック指示情報を担持するときは、前記RARによって担持される上りリンク・スケジューリング情報ならびに前記DCIによって担持される前記送信時間単位指示情報および前記転送ブロック指示情報に従って、前記UL-SCH転送ブロックを、前記転送ブロック指示情報によって示されるUL-SCH転送ブロック位置情報によって示される位置において、前記基地局に送るよう前記送信器１００４を制御する段階であって、前記UL-SCH転送ブロックの前記送信時間単位の時間長さは前記送信時間単位指示情報によって示される時間長さである、段階を実行するよう構成される。
【０２１２】
本発明のこの実施形態では、プロセッサ１００２はさらに、受信されたDCIのフォーマットを判別する段階と；前記DCIのフォーマットが第一のDCIフォーマットである場合、前記DCIから前記送信時間単位指示情報および／または前記転送ブロック指示情報を取得する段階であって、前記第一のDCIフォーマットは前記第一の送信機能をもつUEによってのみ検出されるDCIフォーマットである、段階；
前記DCIのフォーマットがDCIフォーマット1Aである場合、DCIにおけるMCSビット・フィールドにおけるビット情報から、前記送信時間単位指示情報を取得する段階；または
前記DCIのフォーマットがDCIフォーマット1Cである場合、DCIにおける、新規データ・インジケーターNDIビット・フィールド、冗長性バージョンRVビット・フィールドおよび送信電力TPCビット・フィールドの最上位ビット（MSB）ビット・フィールドのうちの少なくとも一つにおけるビット・フィールドのビット情報から、前記送信時間単位指示情報および／または前記転送ブロック指示情報を取得する段階を実行するようさらに構成される。
【０２１３】
本発明のもう一つの実施形態では、プロセッサ１００２はさらに、無線ネットワーク一時識別子RA-RNTIを決定する段階であって、前記RA-RNTIは(1＋t_id＋10*f_id＋X  deta)  mod  Y＋1であり、XおよびYの値は整数である；または前記RA-RNTIは65301＋(10*t_id＋f_id)  mod  9であり、ここで、t_idは、前記ランダム・アクセス・プリアンブルを担持するPRACHの第一のサブフレームのシーケンス番号であり、0≦t_id＜10であり、f_idは前記ランダム・アクセス・プリアンブルを担持するPRACHの第一のサブフレームの第二のPRACHインデックスであり、0≦f_id＜6である、段階と；前記RA-RNTIに従って、前記PDCCHによって担持されるDCIをスクランブル解除する段階とを実行するよう構成される。
【０２１４】
本発明のこの実施形態において提供されるUEによれば、送信器がランダム・アクセス・プリアンブルを基地局に送り、前記ランダム・アクセス・プリアンブルは、前記UEが第一の送信機能をもつことを示すために使われる。受信器は、前記基地局によってPDCCHを使って送られたDCIを受信し、前記DCIによって示される前記DL-SCH転送ブロックに従って前記基地局によって送られた、前記ランダム・アクセス・プリアンブルについてのランダム・アクセス応答RARを、前記DCIに従って受信する。次いで、送信器は、前記RARによって担持される上りリンク・スケジューリング情報に従って、UL-SCH転送ブロックを送る。メッセージを送信するためのTTIが直接短縮されるときにUEが正しくメッセージを受信できない従来技術と比べて、DCIが送信時間単位指示情報を担持しており、送信時間単位指示情報および／または転送ブロック指示情報が基地局によって送られるRARの転送ブロックの送信単位の時間長さおよび／またはRARの転送ブロックの位置情報を指示しうるので、たとえ基地局がメッセージを短いTTIで送る場合でも、UEは、転送ブロックの長さおよび／または転送ブロックの位置情報に従って、基地局によって送られたメッセージをいまだ正しく識別し、基地局の送信時間単位指示情報に従って短いTTIにおいて基地局にメッセージを送ることができる。このようにして、情報送信中の送信時間単位の時間長さが短縮され、さらに、ランダム・アクセス時間が短縮される。
【０２１５】
諸実装の上記の記載に基づき、当業者は、本発明が、必要な普遍的なハードウェアに加えたソフトウェアによって、あるいはハードウェアのみによって実装されうることをはっきりと理解しうる。たいていの状況において、前者が好ましい実装である。そのような理解に基づき、本発明の技術的解決策は、本質的には、あるいは従来技術に寄与する部分は、ソフトウェア・プロダクトの形で実装されてもよい。ソフトウェア・プロダクトは、コンピュータのフロッピーディスク、ハードディスクまたは光ディスクのような可読記憶媒体に記憶され、コンピュータ装置（これはパーソナル・コンピュータ、サーバーまたはネットワーク装置でありうる）に本発明の実施形態において記載された方法を実行するよう命令するためのいくつかの命令を含む。
【０２１６】
上記の記述は単に本発明の個別的実装であり、本発明の保護範囲を限定することは意図されていない。本発明において開示される技術的範囲内で当業者によって容易に割り出されるいかなる変形または置換も、本発明の保護範囲にはいる。したがって、本発明の保護範囲は、請求項の保護範囲に従う。
【図１】
2019504570.tif 000003
【図２】
2019504570.tif 000004
【図３】
2019504570.tif 000005
【図４】
2019504570.tif 000006
【図５】
2019504570.tif 000007
【図６】
2019504570.tif 000008
【図７】
2019504570.tif 000009
【図８】
2019504570.tif 000010
【図９】
2019504570.tif 000011
【図１０】
2019504570.tif 000012
【手続補正書】
【提出日】平成30年8月17日(2018.8.17)
【手続補正１】
【補正対象書類名】特許請求の範囲
【補正対象項目名】全文
【補正方法】変更
【補正の内容】
【特許請求の範囲】
【請求項１】
ランダム・アクセス方法であって：
ユーザー装置UEによって送られたランダム・アクセス・プリアンブルを、基地局によって受信する段階であって、前記ランダム・アクセス・プリアンブルは、前記UEが第一の送信機能をもつことを示すために使われ、前記第一の送信機能は第一の時間長さの送信時間単位を送信する機能である、段階と；
前記基地局によって、物理的下りリンク制御チャネルPDCCHを使って前記UEに下りリンク制御情報DCIを送る段階であって、前記DCIは送信時間単位指示情報および／または転送ブロック指示情報を担持し、前記送信時間単位指示情報は、DL-SCH転送ブロックおよび／または上りリンク共有チャネルUL-SCH転送ブロックの送信時間単位の時間長さを示すために使われ、前記送信時間単位の時間長さは前記第一の時間長さまたは第二の時間長さであり、前記第二の時間長さは前記第一の時間長さより長く、前記転送ブロック指示情報はDL-SCH転送ブロック位置情報および／またはUL-SCH転送ブロック位置情報を含む、段階と；
前記基地局によって、前記DCIによって示される前記DL-SCH転送ブロックを使って、前記ランダム・アクセス・プリアンブルについてのランダム・アクセス応答RARを前記UEに送る段階と；
前記RARによって担持される上りリンク・スケジューリング情報に従って前記UEによって送られたUL-SCH転送ブロックを、前記基地局によって受信する段階とを含む、
ランダム・アクセス方法。
【請求項２】
前記基地局によって、前記DCIによって示される前記DL-SCH転送ブロックを使って、前記ランダム・アクセス・プリアンブルについてのランダム・アクセス応答RARを前記UEに送る前記段階は：
前記DCIが前記送信時間単位指示情報を担持するときは、前記ランダム・アクセス・プリアンブルについての前記RARを担持する前記DL-SCH転送ブロックを、前記基地局によって前記UEに送る段階であって、前記DL-SCH転送ブロックの送信時間単位の時間長さは前記送信時間単位指示情報によって示される時間長さであり、前記DL-SCH転送ブロックの送信時間単位は、PDCCHの送信時間単位に隣接する送信時間単位またはPDCCHの送信時間単位である、段階；
前記DCIが前記転送ブロック指示情報を担持するときは、前記ランダム・アクセス・プリアンブルについての前記RARを担持する前記DL-SCH転送ブロックを、前記転送ブロック指示情報によって示されるDL-SCH転送ブロック位置情報によって示される位置において、前記基地局によって前記UEに送る段階であって、前記DL-SCH転送ブロックの送信時間単位の時間長さは事前設定された時間長さであり、前記DL-SCH転送ブロック位置情報は、前記DL-SCH転送ブロックの時間領域資源および／または周波数領域資源についての情報を含む、段階；または
前記DCIが前記送信時間単位指示情報および前記転送ブロック指示情報を担持するときは、前記ランダム・アクセス・プリアンブルについての前記RARを担持する前記DL-SCH転送ブロックを、前記転送ブロック指示情報によって示されるDL-SCH転送ブロック位置情報によって示される位置において、前記基地局によって前記UEに送る段階であって、前記DL-SCH転送ブロックの送信時間単位の時間長さは前記送信時間単位指示情報によって示される時間長さである、段階を含む、
請求項１記載のランダム・アクセス方法。
【請求項３】
前記基地局によって、物理的下りリンク制御チャネルPDCCHを使って前記UEに下りリンク制御情報DCIを送る前記段階の前に、当該方法がさらに：
前記ランダム・アクセス・プリアンブルに従って、前記基地局によって、前記DCIのフォーマットが第一のDCIフォーマットであることを判別することを含み、前記第一のDCIフォーマットは前記第一の送信機能をもつUEによってのみ検出されるDCIフォーマットである、
請求項１または２記載のランダム・アクセス方法。
【請求項４】
前記基地局によって、物理的下りリンク制御チャネルPDCCHを使って前記UEに下りリンク制御情報DCIを送る前記段階の前に、当該方法がさらに：
前記PDCCHによって担持される前記DCIを、ランダム・アクセス無線ネットワーク一時識別子RA-RNTIに従って、前記基地局によってスクランブルすることを含み、
前記RA-RNTIは(1＋t_id＋10*f_id＋X)  mod  Y＋1であり、XおよびYの値は整数である；または前記RA-RNTIは65301＋(10*t_id＋f_id)  mod  9であり、ここで、t_idは前記基地局によって検出される、前記ランダム・アクセス・プリアンブルを担持するPRACHの第一のサブフレームのシーケンス番号であり、0≦t_id＜10であり、f_idは前記ランダム・アクセス・プリアンブルを担持する前記PRACHの第一のサブフレームの第二のPRACHインデックスであり、0≦f_id＜6である、
請求項１ないし３のうちいずれか一項記載のランダム・アクセス方法。
【請求項５】
ランダム・アクセス方法であって：
ユーザー装置UEによってランダム・アクセス・プリアンブルを基地局に送る段階であって、前記ランダム・アクセス・プリアンブルは、前記UEが第一の送信機能をもつことを示すために使われ、前記第一の送信機能は第一の時間長さの送信時間単位を送信する機能である、段階と；
前記基地局によって物理的下りリンク制御チャネルPDCCHを使って送られた下りリンク制御情報DCIを、前記UEによって受信する段階であって、前記DCIは送信時間単位指示情報および／または転送ブロック指示情報を担持し、前記送信時間単位指示情報は、DL-SCH転送ブロックおよび／または上りリンク共有チャネルUL-SCH転送ブロックの送信時間単位の時間長さを示すために使われ、前記送信時間単位の時間長さは前記第一の時間長さまたは第二の時間長さであり、前記第二の時間長さは前記第一の時間長さより長く、前記転送ブロック指示情報はDL-SCH転送ブロック位置情報および／またはUL-SCH転送ブロック位置情報を含む、段階と；
前記DCIによって示される前記DL-SCH転送ブロックに従って前記基地局によって送られた、前記ランダム・アクセス・プリアンブルについてのランダム・アクセス応答RARを、前記DCIに従って前記UEによって受信する段階と；
前記RARによって担持される上りリンク・スケジューリング情報に従って、UL-SCH転送ブロックを、前記UEによって送る段階とを含む、
ランダム・アクセス方法。
【請求項６】
前記DCIによって示される前記DL-SCH転送ブロックに従って前記基地局によって送られた、前記ランダム・アクセス・プリアンブルについてのランダム・アクセス応答RARを、前記DCIに従って前記UEによって受信する前記段階は：
前記DCIが前記送信時間単位指示情報を担持するときは、前記基地局によって送られた、前記ランダム・アクセス・プリアンブルについての前記RARを担持する前記DL-SCH転送ブロックを、前記UEによって受信する段階であって、前記DL-SCH転送ブロックの送信時間単位の時間長さは前記送信時間単位指示情報によって示される時間長さであり、前記DL-SCH転送ブロックの送信時間単位は、PDCCHの送信時間単位に隣接する送信時間単位またはPDCCHの送信時間単位である、段階；
前記DCIが前記転送ブロック指示情報を担持するときは、前記基地局によって送られた、前記ランダム・アクセス・プリアンブルについての前記RARを担持する前記DL-SCH転送ブロックを、前記転送ブロック指示情報によって示されるDL-SCH転送ブロック位置情報によって示される位置において、前記UEによって受信する段階であって、前記DL-SCH転送ブロックの送信時間単位の時間長さは事前設定された時間長さであり、前記DL-SCH転送ブロック位置情報は、前記DL-SCH転送ブロックの時間領域資源および／または周波数領域資源についての情報を含む、段階；または
前記DCIが前記送信時間単位指示情報および前記転送ブロック指示情報を担持するときは、前記基地局によって送られた、前記ランダム・アクセス・プリアンブルについての前記RARを担持する前記DL-SCH転送ブロックを、前記転送ブロック指示情報によって示されるDL-SCH転送ブロック位置情報によって示される位置において、前記UEによって受信する段階であって、前記DL-SCH転送ブロックの送信時間単位の時間長さは前記送信時間単位指示情報によって示される時間長さである、段階を含む、
請求項５記載のランダム・アクセス方法。
【請求項７】
前記基地局によって物理的下りリンク制御チャネルPDCCHを使って送られた下りリンク制御情報DCIを、前記UEによって受信する前記段階の後、当該方法がさらに：
受信されたDCIのフォーマットを、前記UEによって判別する段階と；
前記DCIのフォーマットが第一のDCIフォーマットであれば、前記DCIから前記送信時間単位指示情報および／または前記転送ブロック指示情報を前記UEによって取得する段階であって、前記第一のDCIフォーマットは前記第一の送信機能をもつUEによってのみ検出されるDCIフォーマットである、段階；
前記DCIのフォーマットがDCIフォーマット1Aである場合、前記DCIにおけるMCSビット・フィールドにおけるビット情報から、前記送信時間単位指示情報を前記UEによって取得する段階；または
前記DCIのフォーマットがDCIフォーマット1Cである場合、前記DCIにおける、新規データ・インジケーターNDIビット・フィールド、冗長性バージョンRVビット・フィールドおよび送信電力TPCの最上位ビット（MSB）ビット・フィールドのうちの少なくとも一つにおけるビット・フィールドのビット情報から、前記送信時間単位指示情報および／または前記転送ブロック指示情報を前記UEによって取得する段階とを含む、
請求項５または６記載のランダム・アクセス方法。
【請求項８】
前記基地局によって物理的下りリンク制御チャネルPDCCHを使って送られた下りリンク制御情報DCIを、前記UEによって受信する前記段階の後、当該方法はさらに：
ランダム・アクセス無線ネットワーク一時識別子RA-RNTIを前記UEによって決定する段階であって、前記RA-RNTIは(1＋t_id＋10*f_id＋X)  mod  Y＋1であり、XおよびYの値は整数である；または前記RA-RNTIは65301＋(10*t_id＋f_id)  mod  9であり、ここで、t_idは、前記ランダム・アクセス・プリアンブルを担持するPRACHの第一のサブフレームのシーケンス番号であり、0≦t_id＜10であり、f_idは前記ランダム・アクセス・プリアンブルを担持する前記PRACHの第一のサブフレームの第二のPRACHインデックスであり、0≦f_id＜6である、段階と；
前記RA-RNTIに従って、前記PDCCHによって担持される前記DCIを、前記UEによってスクランブル解除する段階とを含む、
請求項５ないし７のうちいずれか一項記載のランダム・アクセス方法。
【請求項９】
ランダム・アクセス装置であって、当該装置は基地局に適用され：
ユーザー装置UEによって送られたランダム・アクセス・プリアンブルを受信するよう構成された受信ユニットであって、前記ランダム・アクセス・プリアンブルは、前記UEが第一の送信機能をもつことを示すために使われ、前記第一の送信機能は第一の時間長さの送信時間単位を送信する機能である、受信ユニットと；
物理的下りリンク制御チャネルPDCCHを使って前記UEに下りリンク制御情報DCIを送るよう構成された送信ユニットであって、前記DCIは送信時間単位指示情報および／または転送ブロック指示情報を担持し、前記送信時間単位指示情報は、DL-SCH転送ブロックおよび／または上りリンク共有チャネルUL-SCH転送ブロックの送信時間単位の時間長さを示すために使われ、前記送信時間単位の時間長さは前記第一の時間長さまたは第二の時間長さであり、前記第二の時間長さは前記第一の時間長さより長く、前記転送ブロック指示情報はDL-SCH転送ブロック位置情報および／またはUL-SCH転送ブロック位置情報を含む、送信ユニットと；
前記DCIによって示される前記DL-SCH転送ブロックを使って、前記ランダム・アクセス・プリアンブルについてのランダム・アクセス応答RARを前記UEに送るよう前記送信ユニットを制御するよう構成された処理ユニットとを含み、
前記受信ユニットは、前記RARによって担持される上りリンク・スケジューリング情報に従って前記UEによって送られたUL-SCH転送ブロックを受信するようさらに構成される、
ランダム・アクセス装置。
【請求項１０】
前記処理ユニットはさらに：  前記DCIが前記送信時間単位指示情報を担持するときは、前記ランダム・アクセス・プリアンブルについての前記RARを担持する前記DL-SCH転送ブロックを前記UEに送るよう前記送信ユニットを制御する段階であって、前記DL-SCH転送ブロックの送信時間単位の時間長さは前記送信時間単位指示情報によって示される時間長さであり、前記DL-SCH転送ブロックの送信時間単位は、PDCCHの送信時間単位に隣接する送信時間単位またはPDCCHの送信時間単位である、段階；  前記DCIが前記転送ブロック指示情報を担持するときは、前記ランダム・アクセス・プリアンブルについての前記RARを担持する前記DL-SCH転送ブロックを、前記転送ブロック指示情報によって示されるDL-SCH転送ブロック位置情報によって示される位置において、前記UEに送るよう前記送信ユニットを制御する段階であって、前記DL-SCH転送ブロックの送信時間単位の時間長さは事前設定された時間長さであり、前記DL-SCH転送ブロック位置情報は、前記DL-SCH転送ブロックの時間領域資源および／または周波数領域資源についての情報を含む、段階；または  前記DCIが前記送信時間単位指示情報および前記転送ブロック指示情報を担持するときは、前記ランダム・アクセス・プリアンブルについての前記RARを担持する前記DL-SCH転送ブロックを、前記転送ブロック指示情報によって示されるDL-SCH転送ブロック位置情報によって示される位置において、前記UEに送るよう前記送信ユニットを制御する段階であって、前記DL-SCH転送ブロックの送信時間単位の時間長さは前記送信時間単位指示情報によって示される時間長さである、段階を実行するよう構成される、
請求項９記載のランダム・アクセス装置。
【請求項１１】
前記処理ユニットは：
前記受信ユニットによって受信された前記ランダム・アクセス・プリアンブルに従って、前記DCIのフォーマットが第一のDCIフォーマットであることを判別するよう構成された判別モジュールを有しており、前記第一のDCIフォーマットは前記第一の送信機能をもつUEによってのみ検出されるDCIフォーマットである、
請求項９または１０記載のランダム・アクセス装置。
【請求項１２】
前記判別モジュールがさらに、前記受信ユニットによって受信された前記ランダム・アクセス・プリアンブルに従って、前記DCIのフォーマットがDCIフォーマット1AまたはDCIフォーマット1Cであることを判別するよう構成され、ここで、前記DCIフォーマット1Aおよび前記DCIフォーマット1Cのそれぞれには、前記送信時間単位指示情報および／または前記転送ブロック指示情報を担持するために使われるビット・フィールドが存在する、請求項９または１０記載のランダム・アクセス装置。
【請求項１３】
前記DCIのフォーマットが前記DCIフォーマット1Aである場合、前記DCIにおけるMCSビット・フィールドにおけるビット情報が、前記送信時間単位指示情報を示すために使われる；または
前記DCIのフォーマットが前記DCIフォーマット1Cである場合、前記DCIにおける、新規データ・インジケーターNDIビット・フィールド、冗長性バージョンRVビット・フィールドおよび送信電力TPCビット・フィールドの最上位ビット（MSB）ビット・フィールドのうちの少なくとも一つにおけるビット・フィールドのビット情報が、前記送信時間単位指示情報および／または前記転送ブロック指示情報を示すために使われる、
請求項１１または１２記載のランダム・アクセス装置。
【請求項１４】
前記処理ユニットはさらに：
前記PDCCHによって担持される前記DCIを、ランダム・アクセス無線ネットワーク一時識別子RA-RNTIに従って、スクランブルするよう構成されたスクランブル・モジュールを有しており、前記RA-RNTIは(1＋t_id＋10*f_id＋X)  mod  Y＋1であり、XおよびYの値は整数である；または前記RA-RNTIは65301＋(10*t_id＋f_id)  mod  9であり、ここで、t_idは前記基地局によって検出される、前記ランダム・アクセス・プリアンブルを担持するPRACHの第一のサブフレームのシーケンス番号であり、0≦t_id＜10であり、f_idは前記ランダム・アクセス・プリアンブルを担持する前記PRACHの第一のサブフレームの第二のPRACHインデックスであり、0≦f_id＜6でありうる、
請求項９ないし１３のうちいずれか一項記載のランダム・アクセス装置。
【請求項１５】
ランダム・アクセス装置であって、当該装置はユーザー装置UEに適用され：
ランダム・アクセス・プリアンブルを基地局に送るよう構成された送信ユニットであって、前記ランダム・アクセス・プリアンブルは、前記UEが第一の送信機能をもつことを示すために使われ、前記第一の送信機能は第一の時間長さの送信時間単位を送信する機能である、送信ユニットと；
前記基地局によって物理的下りリンク制御チャネルPDCCHを使って送られた下りリンク制御情報DCIを受信するよう構成された受信ユニットであって、前記DCIは送信時間単位指示情報および／または転送ブロック指示情報を担持し、前記送信時間単位指示情報は、DL-SCH転送ブロックおよび／または上りリンク共有チャネルUL-SCH転送ブロックの送信時間単位の時間長さを示すために使われ、前記送信時間単位の時間長さは前記第一の時間長さまたは第二の時間長さであり、前記第二の時間長さは前記第一の時間長さより長く、前記転送ブロック指示情報はDL-SCH転送ブロック位置情報および／またはUL-SCH転送ブロック位置情報を含む、受信ユニットと；
前記DCIによって示される前記DL-SCH転送ブロックに従って前記基地局によって送られた、前記ランダム・アクセス・プリアンブルについてのランダム・アクセス応答RARを、前記DCIに従って受信するよう前記受信ユニットを制御し；前記RARによって担持される上りリンク・スケジューリング情報に従って、UL-SCH転送ブロックを送るよう前記送信ユニットを制御するよう構成された処理ユニットとを有する、
ランダム・アクセス装置。
【請求項１６】
前記処理ユニットはさらに：  前記DCIが前記送信時間単位指示情報を担持するときは、前記基地局によって送られた、前記ランダム・アクセス・プリアンブルについての前記RARを担持する前記DL-SCH転送ブロックを受信するよう前記受信ユニットを制御する段階であって、前記DL-SCH転送ブロックの送信時間単位の時間長さは前記送信時間単位指示情報によって示される時間長さであり、前記DL-SCH転送ブロックの送信時間単位は、PDCCHの送信時間単位に隣接する送信時間単位またはPDCCHの送信時間単位である、段階；  前記DCIが前記転送ブロック指示情報を担持するときは、前記基地局によって送られた、前記ランダム・アクセス・プリアンブルについての前記RARを担持する前記DL-SCH転送ブロックを、前記転送ブロック指示情報によって示されるDL-SCH転送ブロック位置情報によって示される位置において受信するよう前記受信ユニットを制御する段階であって、前記DL-SCH転送ブロックの送信時間単位の時間長さは事前設定された時間長さであり、前記DL-SCH転送ブロック位置情報は、前記DL-SCH転送ブロックの時間領域資源および／または周波数領域資源についての情報を含む、段階；または  前記DCIが前記送信時間単位指示情報および前記転送ブロック指示情報を担持するときは、前記基地局によって送られた、前記ランダム・アクセス・プリアンブルについての前記RARを担持する前記DL-SCH転送ブロックを、前記転送ブロック指示情報によって示されるDL-SCH転送ブロック位置情報によって示される位置において受信するよう前記受信ユニットを制御する段階であって、前記DL-SCH転送ブロックの送信時間単位の時間長さは前記送信時間単位指示情報によって示される時間長さである、段階を実行するよう構成される、
請求項１５記載のランダム・アクセス装置。
【請求項１７】
前記処理ユニットはさらに：
前記受信ユニットによって受信された受信DCIのフォーマットを判別するよう構成された判別モジュールと；
取得モジュールであって：前記判別モジュールが、前記DCIのフォーマットが第一のDCIフォーマットであると判別する場合、前記DCIから前記送信時間単位指示情報および／または前記転送ブロック指示情報を取得する段階であって、前記第一のDCIフォーマットは前記第一の送信機能をもつUEによってのみ検出されるDCIフォーマットである、段階；  前記DCIのフォーマットがDCIフォーマット1Aである場合、前記DCIにおけるMCSビット・フィールドにおけるビット情報から、前記送信時間単位指示情報を取得する段階；または前記DCIのフォーマットがDCIフォーマット1Cである場合、前記DCIにおける、新規データ・インジケーターNDIビット・フィールド、冗長性バージョンRVビット・フィールドおよび送信電力TPCビット・フィールドの最上位ビット（MSB）ビット・フィールドのうちの少なくとも一つにおけるビット・フィールドのビット情報から、前記送信時間単位指示情報および／または前記転送ブロック指示情報を取得する段階を実行するよう構成されている取得モジュールとを有する、
請求項１５または１６記載のランダム・アクセス装置。
【請求項１８】
前記処理ユニットはさらにスクランブル解除モジュールを有しており、
前記判別モジュールがさらに、ランダム・アクセス無線ネットワーク一時識別子RA-RNTIを決定するよう構成され、前記RA-RNTIは(1＋t_id＋10*f_id＋X)  mod  Y＋1であり、XおよびYの値は整数である；または前記RA-RNTIは65301＋(10*t_id＋f_id)  mod  9であり、ここで、t_idは、前記ランダム・アクセス・プリアンブルを担持するPRACHの第一のサブフレームのシーケンス番号であり、0≦t_id＜10であり、f_idは前記ランダム・アクセス・プリアンブルを担持するPRACHの第一のサブフレームの第二のPRACHインデックスであり、0≦f_id＜6であり；
前記スクランブル解除モジュールは、前記判別モジュールによって決定された前記RA-RNTIに従って、前記PDCCHによって担持される前記DCIをスクランブル解除するよう構成される、
請求項１５ないし１７のうちいずれか一項記載のランダム・アクセス装置。
【請求項１９】
基地局であって：
ユーザー装置UEによって送られたランダム・アクセス・プリアンブルを受信するよう構成された受信器であって、前記ランダム・アクセス・プリアンブルは、前記UEが第一の送信機能をもつことを示すために使われ、前記第一の送信機能は第一の時間長さの送信時間単位を送信する機能である、受信器と；
物理的下りリンク制御チャネルPDCCHを使って前記UEに下りリンク制御情報DCIを送るよう構成された送信器であって、前記DCIは送信時間単位指示情報および／または転送ブロック指示情報を担持し、前記送信時間単位指示情報は、DL-SCH転送ブロックおよび／または上りリンク共有チャネルUL-SCH転送ブロックの送信時間単位の時間長さを示すために使われ、前記送信時間単位の時間長さは前記第一の時間長さまたは第二の時間長さであり、前記第二の時間長さは前記第一の時間長さより長く、前記転送ブロック指示情報はDL-SCH転送ブロック位置情報および／またはUL-SCH転送ブロック位置情報を含む、送信器と；
プログラム命令の実行を制御するよう構成された、前記受信器および前記送信器に結合されたプロセッサであって、具体的には、前記DCIによって示される前記DL-SCH転送ブロックを使って、前記ランダム・アクセス・プリアンブルについてのランダム・アクセス応答RARを前記UEに送るよう前記送信器を制御するよう構成されたプロセッサとを有しており、
前記受信器は、前記RARによって担持される上りリンク・スケジューリング情報に従って前記UEによって送られたUL-SCH転送ブロックを受信するようさらに構成される、
基地局。
【請求項２０】
ユーザー装置UEであって：
ランダム・アクセス・プリアンブルを基地局に送るよう構成された送信器であって、前記ランダム・アクセス・プリアンブルは、前記UEが第一の送信機能をもつことを示すために使われ、前記第一の送信機能は第一の時間長さの送信時間単位を送信する機能である、送信器と；
前記基地局によって物理的下りリンク制御チャネルPDCCHを使って送られた下りリンク制御情報DCIを受信するよう構成された受信器であって、前記DCIは送信時間単位指示情報および／または転送ブロック指示情報を担持し、前記送信時間単位指示情報は、DL-SCH転送ブロックおよび／または上りリンク共有チャネルUL-SCH転送ブロックの送信時間単位の時間長さを示すために使われ、前記送信時間単位の時間長さは前記第一の時間長さまたは第二の時間長さであり、前記第二の時間長さは前記第一の時間長さより長く、前記転送ブロック指示情報はDL-SCH転送ブロック位置情報および／またはUL-SCH転送ブロック位置情報を含む、受信器と；
プログラム命令の実行を制御するよう構成された、前記送信器および前記受信器に結合されたプロセッサであって、具体的には、前記DCIによって示される前記DL-SCH転送ブロックに従って前記基地局によって送られた、前記ランダム・アクセス・プリアンブルについてのランダム・アクセス応答RARを、前記DCIに従って受信するよう前記受信器を制御し；前記RARによって担持される上りリンク・スケジューリング情報に従って、UL-SCH転送ブロックを送るよう前記送信器を制御するよう構成されたプロセッサとを有する、
UE。
【請求項２１】
コンピュータに請求項１ないし４のうちいずれか一項記載の方法を実行させるプログラム。
【請求項２２】
コンピュータに請求項５ないし８のうちいずれか一項記載の方法を実行させるプログラム。
【手続補正２】
【補正対象書類名】明細書
【補正対象項目名】全文
【補正方法】変更
【補正の内容】
【発明の詳細な説明】
【技術分野】
【０００１】
本発明は、無線通信技術の分野に、詳細にはランダム・アクセス方法および装置、基地局およびUEに関する。
【背景技術】
【０００２】
LTE（Long  Term  Evolution［ロングタームエボリューション］）またはLTE-A（LTE  Advanced［ロングタームエボリューションアドバンスト］）システムでは、UE（User  Equipment［ユーザー装置］）がネットワークへの接続を確立するプロセスはランダム・アクセス・プロセスである。UEのランダム・アクセス・プロセスは次のようなものである：UEはPRACHを使ってランダム・アクセス・プリアンブルを基地局に送る。ランダム・アクセス・プリアンブル受信後、基地局はPDSCHを使ってRAR（Random  Access  Response［ランダム・アクセス応答］）をもってUEに返答する。次いで、UEはPUSCHを使ってランダム・アクセス・プロセスにおけるメッセージ3を送る。最後に、基地局は、競合解決メッセージをもってUEに返答する。
【０００３】
ランダム・アクセス・プロセスでは、基地局およびUEは、1msのTTI（Transmission  Time  Interval［送信時間区間］）を基本送信単位として使ってメッセージを送信する。ランダム・アクセス時間を短縮するために、より短いTTIが使われてもよい。だが、UEのチャネル環境または基地局のスケジューリング状態によって制限されて、ランダム・アクセス・プロセスでは、メッセージ送信のためのTTIが直接短縮されると、UEはメッセージを正しく受信できず、さらにアクセス失敗につながる。したがって、従来技術においては長いランダム・アクセス時間の問題はいまだ存在している。
【発明の概要】
【０００４】
本発明の実施形態は、ランダム・アクセスによって必要とされる長い時間の問題を解決するために、ランダム・アクセス方法および装置、基地局およびUEを提供する。
【０００５】
上記の目的を達成するために、本発明の実施形態において以下の技術的解決策が使われる。
【０００６】
本発明の第一の側面は、ネットワーク・アクセス方法であって：
ユーザー装置UEによって送られたランダム・アクセス・プリアンブルを、基地局によって受信する段階であって、前記ランダム・アクセス・プリアンブルは、前記UEが第一の送信機能をもつことを示すために使われ、前記第一の送信機能は第一の時間長さの送信時間単位を送信する機能である、段階と；
前記基地局によって、物理的下りリンク制御チャネルPDCCHを使って前記UEに下りリンク制御情報DCIを送る段階であって、前記DCIは送信時間単位指示情報および／または転送ブロック指示情報を担持し、前記送信時間単位指示情報は、DL-SCH転送ブロックおよび／または上りリンク共有チャネルUL-SCH転送ブロックの送信時間単位の時間長さを示すために使われ、前記送信時間単位の時間長さは前記第一の時間長さまたは第二の時間長さであり、前記第二の時間長さは前記第一の時間長さより長く、前記転送ブロック指示情報はDL-SCH転送ブロック位置情報および／またはUL-SCH転送ブロック位置情報を含む、段階と；
前記基地局によって、前記DCIによって示される前記DL-SCH転送ブロックを使って、前記ランダム・アクセス・プリアンブルについてのランダム・アクセス応答RARを前記UEに送る段階と；
前記RARによって担持される上りリンク・スケジューリング情報に従って前記UEによって送られたUL-SCH転送ブロックを、前記基地局によって受信する段階とを含む、
方法を提供する。
【０００７】
メッセージを送信するためのTTIが直接短縮されるときにUEが正しくメッセージを受信できない従来技術と比べて、この方法では、DCIが送信時間単位指示情報を担持しており、送信時間単位指示情報および／または転送ブロック指示情報が基地局によって送られるRARの転送ブロックの送信単位の時間長さおよび／またはRARの転送ブロックの位置情報を指示しうるので、たとえ基地局がメッセージを短いTTIで送る場合でも、UEは、転送ブロックの長さおよび／または転送ブロックの位置情報に従って、基地局によって送られたメッセージをいまだ正しく識別できる。さらに、UEも、基地局の送信時間単位指示情報に従って短いTTIにおいて基地局にメッセージを送ってもよい。このようにして、情報送信中の送信時間単位の時間長さが短縮され、さらに、ランダム・アクセス時間が短縮される。
【０００８】
第一の側面を参照するに、前記基地局によって、前記DCIによって示される前記DL-SCH転送ブロックを使って、前記ランダム・アクセス・プリアンブルについてのランダム・アクセス応答RARを前記UEに送る前記段階は：
前記DCIが前記送信時間単位指示情報を担持するときは、前記ランダム・アクセス・プリアンブルについての前記RARを担持する前記DL-SCH転送ブロックを、前記基地局によって前記UEに送る段階であって、前記DL-SCH転送ブロックの送信時間単位の時間長さは前記送信時間単位指示情報によって示される時間長さであり、前記DL-SCH転送ブロックの送信時間単位は、PDCCHの送信時間単位に隣接する送信時間単位またはPDCCHの送信時間単位である、段階；
前記DCIが前記転送ブロック指示情報を担持するときは、前記ランダム・アクセス・プリアンブルについての前記RARを担持する前記DL-SCH転送ブロックを、前記転送ブロック指示情報によって示されるDL-SCH転送ブロック位置情報によって示される位置において、前記基地局によって前記UEに送る段階であって、前記DL-SCH転送ブロックの送信時間単位の時間長さは事前設定された時間長さであり、前記DL-SCH転送ブロック位置情報は、前記DL-SCH転送ブロックの時間領域資源および／または周波数領域資源についての情報を含む、段階；または
前記DCIが前記送信時間単位指示情報および前記転送ブロック指示情報を担持するときは、前記ランダム・アクセス・プリアンブルについての前記RARを担持する前記DL-SCH転送ブロックを、前記転送ブロック指示情報によって示されるDL-SCH転送ブロック位置情報によって示される位置において、前記基地局によって前記UEに送る段階であって、前記DL-SCH転送ブロックの送信時間単位の時間長さは前記送信時間単位指示情報によって示される時間長さである、段階を含むことを注意しておくべきである。
【０００９】
第一の側面を参照するに、前記RARによって担持される上りリンク・スケジューリング情報に従って前記UEによって送られたUL-SCH転送ブロックを、前記基地局によって受信する前記段階は：
前記DCIが前記送信時間単位指示情報を担持するときは、前記RARによって担持される上りリンク・スケジューリング情報に従って前記UEによって送られたUL-SCH転送ブロックを、該UL-SCH転送ブロックの事前設定された時間領域資源で前記送信時間単位指示情報に従って前記基地局によって受信する段階であって、前記UL-SCH転送ブロックの送信時間単位の時間長さは前記送信時間単位指示情報によって示される時間長さである、段階；
前記DCIが前記転送ブロック指示情報を担持するときは、前記RARによって担持される上りリンク・スケジューリング情報に従って前記UEによって送られたUL-SCH転送ブロックを、前記DCIによって担持される前記転送ブロック指示情報に従って、かつ、前記転送ブロック指示情報によって示されるUL-SCH転送ブロック位置情報によって示される位置において、前記基地局によって受信する段階であって、前記UL-SCH転送ブロック位置情報は、前記UL-SCH転送ブロックの時間領域資源および／または周波数領域資源についての情報を含み、前記UL-SCH転送ブロックの前記送信時間単位の時間長さは前記送信時間単位の事前設定された時間長さである、段階；または
前記DCIが前記送信時間単位指示情報および前記転送ブロック指示情報を担持するときは、前記RARによって担持される上りリンク・スケジューリング情報に従って前記UEによって送られたUL-SCH転送ブロックを、前記DCIによって担持される前記送信時間単位指示情報および前記転送ブロック指示情報に従って、かつ、前記転送ブロック指示情報によって示されるUL-SCH転送ブロック位置情報によって示される位置において、前記基地局によって受信する段階であって、前記UL-SCH転送ブロックの前記送信時間単位の時間長さは前記送信時間単位指示情報によって示される時間長さである、段階を含むことをさらに注意しておくべきである。
【００１０】
本発明のこの実施形態において提供されるランダム・アクセス方法によれば、DCIが送信時間単位指示情報を担持しており、送信時間単位指示情報および／または転送ブロック指示情報が基地局によって送られるRARの転送ブロックの送信単位の時間長さおよび／またはRARの転送ブロックの位置情報を指示しうるので、たとえ基地局がメッセージを短いTTIで送る場合でも、UEは、転送ブロックの長さおよび／または転送ブロックの位置情報に従って、基地局によって送られたメッセージをいまだ正しく識別でき、基地局の送信時間単位指示情報に従って短いTTIにおいて基地局にメッセージを送ってもよい。したがって、基地局も、UEによって送られたUL-SCH転送ブロックを、DCIによって担持される送信時間単位指示情報および／または転送ブロック指示情報に従って、正しく受信することができる。このようにして、情報送信中の送信時間単位の時間長さが短縮され、さらに、ランダム・アクセス時間が短縮される。
【００１１】
第一の側面に基づき、任意的に、前記基地局によって、物理的下りリンク制御チャネルPDCCHを使って前記UEに下りリンク制御情報DCIを送る前記段階の前に、本方法はさらに：
前記ランダム・アクセス・プリアンブルに従って、前記基地局によって、前記DCIのフォーマットが第一のDCIフォーマットであることを判別することを含み、前記第一のDCIフォーマットは前記第一の送信機能をもつUEによってのみ検出されるDCIフォーマットである。
【００１２】
任意的に、前記第一の送信機能をもつUEは、別のフォーマットのDCIを検出する必要なしに、前記第一のDCIフォーマットのDCIのみを検出するようにされてもよい。これは、UEが前記別のフォーマットのDCIについてブラインド検出を実行することを防げる。
【００１３】
第一の側面に基づき、任意的に、前記基地局によって、物理的下りリンク制御チャネルPDCCHを使って前記UEに下りリンク制御情報DCIを送る前記段階の前に、本方法はさらに：
前記ランダム・アクセス・プリアンブルに従って、前記基地局によって、前記DCIのフォーマットがDCIフォーマット1AまたはDCIフォーマット1Cであることを判別することを含み、前記DCIフォーマット1Aおよび前記DCIフォーマット1Cのそれぞれには、前記送信時間単位指示情報および／または前記転送ブロック指示情報を担持するために使われるビット・フィールドが存在する。
【００１４】
本発明の技術的解決策では、DCIフォーマット1AおよびDCIフォーマット1Cはいずれも既存のDCIフォーマットである。送信時間単位指示情報および／または転送ブロック指示情報は既存のフォーマットのDCIに追加されるが、DCIフォーマット1AおよびDCIフォーマット1Cの総ビット量は増大しない。DCIフォーマット1AおよびDCIフォーマット1Cはいずれも任意のUEによって識別されることができるDCIフォーマットなので、UEは追加的なブラインド検出を実行しない。
【００１５】
第一の側面に従って記載される解決策では、DCIのフォーマットがDCIフォーマット1Aである場合、DCIにおけるMCSビットfにおけるビット情報が、前記送信時間単位指示情報を示すために使われる；または
DCIのフォーマットがDCIフォーマット1Cである場合、DCIにおける、新規データ・インジケーターNDIビット・フィールド、冗長性バージョンRVビット・フィールドおよび送信電力TPCビット・フィールドの最上位ビット（MSB）ビット・フィールドのうちの少なくとも一つにおけるビット・フィールドのビット情報が、前記送信時間単位指示情報および／または前記転送ブロック指示情報を示すために使われる。
【００１６】
第一の側面に基づき、前記基地局によって、物理的下りリンク制御チャネルPDCCHを使って前記UEに下りリンク制御情報DCIを送る前記段階の前に、本方法はさらに：
前記PDCCHによって担持されるDCIを、ランダム・アクセス無線ネットワーク一時識別子RA-RNTIに従って、前記基地局によってスクランブルすることを含み、
前記RA-RNTIは(1＋t_id＋10*f_id＋X)  mod  Y＋1であり、XおよびYの値は整数である；または前記RA-RNTIは65301＋(10*t_id＋f_id)  mod  9である。ここで、t_idは基地局によって検出される、前記ランダム・アクセス・プリアンブルを担持するPRACHの第一のサブフレームのシーケンス番号であり、0≦t_id＜10であり、f_idは前記ランダム・アクセス・プリアンブルを担持するPRACHの第一のサブフレームの第二のPRACHインデックスであり、0≦f_id＜6である。
【００１７】
本発明において提供されるある技術的解決策では、DCIが送信時間単位指示情報を担持しており、送信時間単位指示情報および／または転送ブロック指示情報が基地局によって送られるRARの転送ブロックの送信単位の時間長さおよび／またはRARの転送ブロックの位置情報を指示しうるので、たとえ基地局がメッセージを短いTTIで送る場合でも、UEは、転送ブロックの長さおよび／または転送ブロックの位置情報に従って、基地局によって送られたメッセージをいまだ正しく識別できる。さらに、UEも、基地局の送信時間単位指示情報に従って短いTTIにおいて基地局にメッセージを送ってもよい。このようにして、情報送信中の送信時間単位の時間長さが短縮され、さらに、ランダム・アクセス時間が短縮される。
【００１８】
本発明の第二の側面は、ネットワーク・アクセス方法であって：
ユーザー装置UEによってランダム・アクセス・プリアンブルを基地局に送る段階であって、前記ランダム・アクセス・プリアンブルは、前記UEが第一の送信機能をもつことを示すために使われ、前記第一の送信機能は第一の時間長さの送信時間単位を送信する機能である、段階と；
前記基地局によって物理的下りリンク制御チャネルPDCCHを使って送られた下りリンク制御情報DCIを、前記UEによって受信する段階であって、前記DCIは送信時間単位指示情報および／または転送ブロック指示情報を担持し、前記送信時間単位指示情報は、DL-SCH転送ブロックおよび／または上りリンク共有チャネルUL-SCH転送ブロックの送信時間単位の時間長さを示すために使われ、前記送信時間単位の時間長さは前記第一の時間長さまたは第二の時間長さであり、前記第二の時間長さは前記第一の時間長さより長く、前記転送ブロック指示情報はDL-SCH転送ブロック位置情報および／またはUL-SCH転送ブロック位置情報を含む、段階と；
前記DCIによって示される前記DL-SCH転送ブロックに従って前記基地局によって送られた、前記ランダム・アクセス・プリアンブルについてのランダム・アクセス応答RARを、前記DCIに従って前記UEによって受信する段階と；
前記RARによって担持される上りリンク・スケジューリング情報に従って、UL-SCH転送ブロックを、前記UEによって送る段階とを含む、
方法を提供する。
【００１９】
本発明において提供されるある技術的解決策では、DCIが送信時間単位指示情報を担持しており、送信時間単位指示情報および／または転送ブロック指示情報が基地局によって送られるRARの転送ブロックの送信単位の時間長さおよび／またはRARの転送ブロックの位置情報を指示しうるので、たとえ基地局がメッセージを短いTTIで送る場合でも、UEは、転送ブロックの長さおよび／または転送ブロックの位置情報に従って、基地局によって送られたメッセージをいまだ正しく識別し、基地局の送信時間単位指示情報に従って短いTTIにおいて基地局にメッセージを送ることができる。このようにして、情報送信中の送信時間単位の時間長さが短縮され、さらに、ランダム・アクセス時間が短縮される。
【００２０】
第二の側面を参照するに、前記DCIによって示される前記DL-SCH転送ブロックに従って前記基地局によって送られた、前記ランダム・アクセス・プリアンブルについてのランダム・アクセス応答RARを、前記DCIに従って前記UEによって受信する前記段階は：
前記DCIが前記送信時間単位指示情報を担持するときは、前記基地局によって送られた、前記ランダム・アクセス・プリアンブルについての前記RARを担持する前記DL-SCH転送ブロックを、前記UEによって受信する段階であって、前記DL-SCH転送ブロックの送信時間単位の時間長さは前記送信時間単位指示情報によって示される時間長さであり、前記DL-SCH転送ブロックの送信時間単位は、PDCCHの送信時間単位に隣接する送信時間単位またはPDCCHの送信時間単位である、段階；
前記DCIが前記転送ブロック指示情報を担持するときは、前記基地局によって送られた、前記ランダム・アクセス・プリアンブルについての前記RARを担持する前記DL-SCH転送ブロックを、前記転送ブロック指示情報によって示されるDL-SCH転送ブロック位置情報によって示される位置において、前記UEによって受信する段階であって、前記DL-SCH転送ブロックの送信時間単位の時間長さは事前設定された時間長さであり、前記DL-SCH転送ブロック位置情報は、前記DL-SCH転送ブロックの時間領域資源および／または周波数領域資源についての情報を含む、段階；または
前記DCIが前記送信時間単位指示情報および前記転送ブロック指示情報を担持するときは、前記基地局によって送られた、前記ランダム・アクセス・プリアンブルについての前記RARを担持する前記DL-SCH転送ブロックを、前記転送ブロック指示情報によって示されるDL-SCH転送ブロック位置情報によって示される位置において、前記UEによって受信する段階であって、前記DL-SCH転送ブロックの送信時間単位の時間長さは前記送信時間単位指示情報によって示される時間長さである、段階を含むことを注意しておくべきである。
【００２１】
第二の側面を参照するに、前記RARによって担持される上りリンク・スケジューリング情報に従って、UL-SCH転送ブロックを、前記UEによって送る前記段階は：
前記DCIが前記送信時間単位指示情報を担持するときは、前記RARによって担持される上りリンク・スケジューリング情報および前記送信時間単位指示情報に従って、前記UL-SCH転送ブロックを、前記UL-SCH転送ブロックの事前設定された時間領域資源上で前記UEによって前記基地局に送る段階であって、前記UL-SCH転送ブロックの送信時間単位の時間長さは前記送信時間単位指示情報によって示される時間長さである、段階；
前記DCIが前記転送ブロック指示情報を担持するときは、前記RARによって担持される上りリンク・スケジューリング情報および前記DCIによって担持される前記転送ブロック指示情報に従って、前記UL-SCH転送ブロックを、前記転送ブロック指示情報によって示されるUL-SCH転送ブロック位置情報によって示される位置において、前記UEによって前記基地局に送る段階であって、前記UL-SCH転送ブロックの前記送信時間単位の時間長さは事前設定された時間長さであり、前記UL-SCH転送ブロック位置情報は、前記UL-SCH転送ブロックの時間領域資源および／または周波数領域資源についての情報を含む、段階；または
前記DCIが前記送信時間単位指示情報および前記転送ブロック指示情報を担持するときは、前記RARによって担持される上りリンク・スケジューリング情報ならびに前記DCIによって担持される前記送信時間単位指示情報および前記転送ブロック指示情報に従って、前記UL-SCH転送ブロックを、前記転送ブロック指示情報によって示されるUL-SCH転送ブロック位置情報によって示される位置において、前記UEによって前記基地局に送る段階であって、前記UL-SCH転送ブロックの前記送信時間単位の時間長さは前記送信時間単位指示情報によって示される時間長さである、段階を含むことをさらに注意しておくべきである。
【００２２】
DCIが送信時間単位指示情報を担持しており、送信時間単位指示情報および／または転送ブロック指示情報がUEがメッセージを短いTTIにおいて基地局に送ることを示しうるので、基地局も、UEによって送られたUL-SCH転送ブロックを、DCIによって担持される送信時間単位指示情報および／または転送ブロック指示情報に従って、正しく受信することができる。このようにして、情報送信中の送信時間単位の時間長さが短縮され、さらに、ランダム・アクセス時間が短縮される。
【００２３】
第二の側面に基づき、前記基地局によって物理的下りリンク制御チャネルPDCCHを使って送られた下りリンク制御情報DCIを、前記UEによって受信する前記段階の後、本方法はさらに：
受信されたDCIのフォーマットを、前記UEによって判別し；
前記DCIのフォーマットが第一のDCIフォーマットであれば、前記DCIから前記送信時間単位指示情報および／または前記転送ブロック指示情報を前記UEによって取得し、前記第一のDCIフォーマットは前記第一の送信機能をもつUEによってのみ検出されるDCIフォーマットであり；
任意的に、前記第一の送信機能をもつUEは、別のフォーマットのDCIを検出する必要なしに、前記第一のDCIフォーマットのDCIのみを検出するようにされてもよく、これは、UEが前記別のフォーマットのDCIについてブラインド検出を実行することを防ぎ；
前記DCIのフォーマットがDCIフォーマット1Aである場合、DCIにおけるMCSビット・フィールドにおけるビット情報から、前記送信時間単位指示情報を前記UEによって取得する；または
前記DCIのフォーマットがDCIフォーマット1Cである場合、DCIにおける、新規データ・インジケーターNDIビット・フィールド、冗長性バージョンRVビット・フィールドおよび送信電力TPCビット・フィールドの最上位ビット（MSB）ビット・フィールドのうちの少なくとも一つにおけるビット・フィールドのビット情報から、前記送信時間単位指示情報および／または前記転送ブロック指示情報を前記UEによって取得する、
ことを含む。
【００２４】
DCIフォーマット1AおよびDCIフォーマット1Cはいずれも既存のDCIフォーマットである。送信時間単位指示情報および／または転送ブロック指示情報は既存のフォーマットのDCIに追加されるが、DCIフォーマット1AおよびDCIフォーマット1Cの総ビット量は増大しない。DCIフォーマット1AおよびDCIフォーマット1Cはいずれも任意のUEによって識別されることができるDCIフォーマットなので、UEは追加的なブラインド検出を実行しない。
【００２５】
第二の側面に従って記載される解決策では、前記基地局によって物理的下りリンク制御チャネルPDCCHを使って送られた下りリンク制御情報DCIを、前記UEによって受信する前記段階の後、本方法はさらに：
ランダム・アクセス無線ネットワーク一時識別子RA-RNTIを前記UEによって決定する段階であって、前記RA-RNTIは(1＋t_id＋10*f_id＋X)  mod  Y＋1であり、XおよびYの値は整数である；または前記RA-RNTIは65301＋(10*t_id＋f_id)  mod  9であり、ここで、t_idは、前記ランダム・アクセス・プリアンブルを担持するPRACHの第一のサブフレームのシーケンス番号であり、0≦t_id＜10であり、f_idは前記ランダム・アクセス・プリアンブルを担持するPRACHの第一のサブフレームの第二のPRACHインデックスであり、0≦f_id＜6である、段階と；
前記RA-RNTIに従って、前記PDCCHによって担持されるDCIを、前記UEによってスクランブル解除する段階とを含む。
【００２６】
本発明のある技術的解決策では、DCIが送信時間単位指示情報を担持しており、送信時間単位指示情報および／または転送ブロック指示情報が基地局によって送られるRARの転送ブロックの送信単位の時間長さおよび／またはRARの転送ブロックの位置情報を指示しうるので、たとえ基地局がメッセージを短いTTIで送る場合でも、UEは、転送ブロックの長さおよび／または転送ブロックの位置情報に従って、基地局によって送られたメッセージをいまだ正しく識別し、基地局の送信時間単位指示情報に従って短いTTIにおいて基地局にメッセージを送ることができる。このようにして、情報送信中の送信時間単位の時間長さが短縮され、さらに、ランダム・アクセス時間が短縮される。
【００２７】
本発明の第三の側面は、ランダム・アクセス装置を提供する。本装置は、基地局に適用され：
ユーザー装置UEによって送られたランダム・アクセス・プリアンブルを受信するよう構成された受信ユニットであって、前記ランダム・アクセス・プリアンブルは、前記UEが第一の送信機能をもつことを示すために使われ、前記第一の送信機能は第一の時間長さの送信時間単位を送信する機能である、受信ユニットと；
物理的下りリンク制御チャネルPDCCHを使って前記UEに下りリンク制御情報DCIを送るよう構成された送信ユニットであって、前記DCIは送信時間単位指示情報および／または転送ブロック指示情報を担持し、前記送信時間単位指示情報は、DL-SCH転送ブロックおよび／または上りリンク共有チャネルUL-SCH転送ブロックの送信時間単位の時間長さを示すために使われ、前記送信時間単位の時間長さは前記第一の時間長さまたは第二の時間長さであり、前記第二の時間長さは前記第一の時間長さより長く、前記転送ブロック指示情報はDL-SCH転送ブロック位置情報および／またはUL-SCH転送ブロック位置情報を含む、送信ユニットと；
前記DCIによって示される前記DL-SCH転送ブロックを使って、前記ランダム・アクセス・プリアンブルについてのランダム・アクセス応答RARを前記UEに送るよう前記送信ユニットを制御するよう構成された処理ユニットとを含み、
前記受信ユニットは、前記RARによって担持される上りリンク・スケジューリング情報に従って前記UEによって送られたUL-SCH転送ブロックを受信するようさらに構成される。
【００２８】
第三の側面を参照するに、前記処理ユニットはさらに：
前記DCIが前記送信時間単位指示情報を担持するときは、前記ランダム・アクセス・プリアンブルについての前記RARを担持する前記DL-SCH転送ブロックを、前記UEに送るよう前記送信ユニットを制御する段階であって、前記DL-SCH転送ブロックの送信時間単位の時間長さは前記送信時間単位指示情報によって示される時間長さであり、前記DL-SCH転送ブロックの送信時間単位は、PDCCHの送信時間単位に隣接する送信時間単位またはPDCCHの送信時間単位である、段階；
前記DCIが前記転送ブロック指示情報を担持するときは、前記ランダム・アクセス・プリアンブルについての前記RARを担持する前記DL-SCH転送ブロックを、前記転送ブロック指示情報によって示されるDL-SCH転送ブロック位置情報によって示される位置において、前記UEに送るよう前記送信ユニットを制御する段階であって、前記DL-SCH転送ブロックの送信時間単位の時間長さは事前設定された時間長さであり、前記DL-SCH転送ブロック位置情報は、前記DL-SCH転送ブロックの時間領域資源および／または周波数領域資源についての情報を含む、段階；または
前記DCIが前記送信時間単位指示情報および前記転送ブロック指示情報を担持するときは、前記ランダム・アクセス・プリアンブルについての前記RARを担持する前記DL-SCH転送ブロックを、前記転送ブロック指示情報によって示されるDL-SCH転送ブロック位置情報によって示される位置において、前記UEに送るよう前記送信ユニットを制御する段階であって、前記DL-SCH転送ブロックの送信時間単位の時間長さは前記送信時間単位指示情報によって示される時間長さである、段階を実行するよう構成されることを注意しておくべきである。
【００２９】
第三の側面を参照するに、前記処理ユニットはさらに：
前記DCIが前記送信時間単位指示情報を担持するときは、前記RARによって担持される上りリンク・スケジューリング情報に従って前記UEによって送られたUL-SCH転送ブロックを、該UL-SCH転送ブロックの事前設定された時間領域資源で前記送信時間単位指示情報に従って受信するよう前記受信ユニットを制御する段階であって、前記UL-SCH転送ブロックの送信時間単位の時間長さは前記送信時間単位指示情報によって示される時間長さである、段階；
前記DCIが前記転送ブロック指示情報を担持するときは、前記RARによって担持される上りリンク・スケジューリング情報に従って前記UEによって送られたUL-SCH転送ブロックを、前記DCIによって担持される前記転送ブロック指示情報に従って、かつ、前記転送ブロック指示情報によって示されるUL-SCH転送ブロック位置情報によって示される位置において、受信するよう前記受信ユニットを制御する段階であって、前記UL-SCH転送ブロック位置情報は、前記UL-SCH転送ブロックの時間領域資源および／または周波数領域資源についての情報を含み、前記UL-SCH転送ブロックの前記送信時間単位の時間長さは前記送信時間単位の事前設定された時間長さである、段階；または
前記DCIが前記送信時間単位指示情報および前記転送ブロック指示情報を担持するときは、前記RARによって担持される上りリンク・スケジューリング情報に従って前記UEによって送られたUL-SCH転送ブロックを、前記DCIによって担持される前記送信時間単位指示情報および前記転送ブロック指示情報に従って、かつ、前記転送ブロック指示情報によって示されるUL-SCH転送ブロック位置情報によって示される位置において、受信するよう前記受信ユニットを制御する段階であって、前記UL-SCH転送ブロックの前記送信時間単位の時間長さは前記送信時間単位指示情報によって示される時間長さである、段階を実行するよう構成されることをさらに注意しておくべきである。
【００３０】
第三の側面に基づき、前記処理ユニットは：
前記受信ユニットによって受信された前記ランダム・アクセス・プリアンブルに従って、前記DCIのフォーマットが第一のDCIフォーマットであることを判別するよう構成された判別モジュールを含み、前記第一のDCIフォーマットは前記第一の送信機能をもつUEによってのみ検出されるDCIフォーマットである。
【００３１】
第三の側面において、前記判別モジュールはさらに、前記受信ユニットによって受信された前記ランダム・アクセス・プリアンブルに従って、前記DCIのフォーマットがDCIフォーマット1AまたはDCIフォーマット1Cであることを判別するよう構成されることが理解されてもよい。ここで、前記DCIフォーマット1Aおよび前記DCIフォーマット1Cのそれぞれには、前記送信時間単位指示情報および／または前記転送ブロック指示情報を担持するために使われるビット・フィールドが存在する。
【００３２】
第三の側面に従って記載される解決策では、DCIのフォーマットがDCIフォーマット1Aである場合、DCIにおけるMCSビット・フィールドにおけるビット情報が、前記送信時間単位指示情報を示すために使われる；または
DCIのフォーマットがDCIフォーマット1Cである場合、DCIにおける、新規データ・インジケーターNDIビット・フィールド、冗長性バージョンRVビット・フィールドおよび送信電力TPCビット・フィールドの最上位ビット（MSB）ビット・フィールドのうちの少なくとも一つにおけるビット・フィールドのビット情報が、前記送信時間単位指示情報および／または前記転送ブロック指示情報を示すために使われる。
【００３３】
第三の側面に基づき、前記処理ユニットはさらに：
前記PDCCHによって担持されるDCIを、ランダム・アクセス無線ネットワーク一時識別子RA-RNTIに従って、スクランブルするよう構成されたスクランブル・モジュールを含み、
前記RA-RNTIは(1＋t_id＋10*f_id＋X)  mod  Y＋1であり、XおよびYの値は整数である；または前記RA-RNTIは65301＋(10*t_id＋f_id)  mod  9である。ここで、t_idは基地局によって検出される、前記ランダム・アクセス・プリアンブルを担持するPRACHの第一のサブフレームのシーケンス番号であり、0≦t_id＜10であり、f_idは前記ランダム・アクセス・プリアンブルを担持するPRACHの第一のサブフレームの第二のPRACHインデックスであり、0≦f_id＜6である。
【００３４】
メッセージを送信するためのTTIが直接短縮されるときにUEが正しくメッセージを受信できない従来技術と比べて、本発明のこの実施形態において提供される技術的解決策では、DCIが送信時間単位指示情報を担持しており、送信時間単位指示情報および／または転送ブロック指示情報が基地局によって送られるRARの転送ブロックの送信単位の時間長さおよび／またはRARの転送ブロックの位置情報を指示しうるので、たとえ基地局がメッセージを短いTTIで送る場合でも、UEは、転送ブロックの長さおよび／または転送ブロックの位置情報に従って、基地局によって送られたメッセージをいまだ正しく識別できる。さらに、UEも、基地局の送信時間単位指示情報に従って短いTTIにおいて基地局にメッセージを送ってもよい。このようにして、情報送信中の送信時間単位の時間長さが短縮され、さらに、ランダム・アクセス時間が短縮される。
【００３５】
本発明の第四の側面は、ランダム・アクセス装置を提供する。本装置は、ユーザー装置UEに適用され：
ランダム・アクセス・プリアンブルを基地局に送るよう構成された送信ユニットであって、前記ランダム・アクセス・プリアンブルは、前記UEが第一の送信機能をもつことを示すために使われ、前記第一の送信機能は第一の時間長さの送信時間単位を送信する機能である、送信ユニットと；
前記基地局によって物理的下りリンク制御チャネルPDCCHを使って送られた下りリンク制御情報DCIを受信するよう構成された受信ユニットであって、前記DCIは送信時間単位指示情報および／または転送ブロック指示情報を担持し、前記送信時間単位指示情報は、DL-SCH転送ブロックおよび／または上りリンク共有チャネルUL-SCH転送ブロックの送信時間単位の時間長さを示すために使われ、前記送信時間単位の時間長さは前記第一の時間長さまたは第二の時間長さであり、前記第二の時間長さは前記第一の時間長さより長く、前記転送ブロック指示情報はDL-SCH転送ブロック位置情報および／またはUL-SCH転送ブロック位置情報を含む、受信ユニットと；
前記DCIによって示される前記DL-SCH転送ブロックに従って前記基地局によって送られた、前記ランダム・アクセス・プリアンブルについてのランダム・アクセス応答RARを、前記DCIに従って受信するよう前記受信ユニットを制御し；前記RARによって担持される上りリンク・スケジューリング情報に従って、UL-SCH転送ブロックを送るよう前記送信ユニットを制御するよう構成された処理ユニットとを含む。
【００３６】
第四の側面を参照するに、前記処理ユニットはさらに構成される：前記処理ユニットはさらに：
前記DCIが前記送信時間単位指示情報を担持するときは、前記基地局によって送られた、前記ランダム・アクセス・プリアンブルについての前記RARを担持する前記DL-SCH転送ブロックを受信するよう前記受信ユニットを制御する段階であって、前記DL-SCH転送ブロックの送信時間単位の時間長さは前記送信時間単位指示情報によって示される時間長さであり、前記DL-SCH転送ブロックの送信時間単位は、PDCCHの送信時間単位に隣接する送信時間単位またはPDCCHの送信時間単位である、段階；
前記DCIが前記転送ブロック指示情報を担持するときは、前記基地局によって送られた、前記ランダム・アクセス・プリアンブルについての前記RARを担持する前記DL-SCH転送ブロックを、前記転送ブロック指示情報によって示されるDL-SCH転送ブロック位置情報によって示される位置において受信するよう前記受信ユニットを制御する段階であって、前記DL-SCH転送ブロックの送信時間単位の時間長さは事前設定された時間長さであり、前記DL-SCH転送ブロック位置情報は、前記DL-SCH転送ブロックの時間領域資源および／または周波数領域資源についての情報を含む、段階；または
前記DCIが前記送信時間単位指示情報および前記転送ブロック指示情報を担持するときは、前記基地局によって送られた、前記ランダム・アクセス・プリアンブルについての前記RARを担持する前記DL-SCH転送ブロックを、前記転送ブロック指示情報によって示されるDL-SCH転送ブロック位置情報によって示される位置において受信するよう前記受信ユニットを制御する段階であって、前記DL-SCH転送ブロックの送信時間単位の時間長さは前記送信時間単位指示情報によって示される時間長さである、段階を実行するよう構成されることを注意しておくべきである。
【００３７】
第四の側面を参照するに、前記処理ユニットはさらに：
前記DCIが前記送信時間単位指示情報を担持するときは、前記RARによって担持される上りリンク・スケジューリング情報および前記送信時間単位指示情報に従って、前記UL-SCH転送ブロックを、前記UL-SCH転送ブロックの事前設定された時間領域資源上で前記基地局に送るよう前記送信ユニットを制御する段階であって、前記UL-SCH転送ブロックの送信時間単位の時間長さは前記送信時間単位指示情報によって示される時間長さである、段階；
前記DCIが前記転送ブロック指示情報を担持するときは、前記RARによって担持される上りリンク・スケジューリング情報および前記DCIによって担持される前記転送ブロック指示情報に従って、前記UL-SCH転送ブロックを、前記転送ブロック指示情報によって示されるUL-SCH転送ブロック位置情報によって示される位置において、前記基地局に送るよう前記送信ユニットを制御する段階であって、前記UL-SCH転送ブロックの前記送信時間単位の時間長さは事前設定された時間長さであり、前記UL-SCH転送ブロック位置情報は、前記UL-SCH転送ブロックの時間領域資源および／または周波数領域資源についての情報を含む、段階；または
前記DCIが前記送信時間単位指示情報および前記転送ブロック指示情報を担持するときは、前記RARによって担持される上りリンク・スケジューリング情報ならびに前記DCIによって担持される前記送信時間単位指示情報および前記転送ブロック指示情報に従って、前記UL-SCH転送ブロックを、前記転送ブロック指示情報によって示されるUL-SCH転送ブロック位置情報によって示される位置において、前記基地局に送るよう前記送信ユニットを制御する段階であって、前記UL-SCH転送ブロックの前記送信時間単位の時間長さは前記送信時間単位指示情報によって示される時間長さである、段階を実行するよう構成されることをさらに注意しておくべきである。
【００３８】
第四の側面に基づき、前記処理ユニットはさらに：
前記受信ユニットによって受信された受信DCIのフォーマットを判別するよう構成された判別モジュールと；
前記判別モジュールが、前記DCIのフォーマットが第一のDCIフォーマットであると判別する場合、前記DCIから前記送信時間単位指示情報および／または前記転送ブロック指示情報を取得する段階であって、前記第一のDCIフォーマットは前記第一の送信機能をもつUEによってのみ検出されるDCIフォーマットである、段階；
前記DCIのフォーマットがDCIフォーマット1Aである場合、DCIにおけるMCSビット・フィールドにおけるビット情報から、前記送信時間単位指示情報を取得する段階；または
前記DCIのフォーマットがDCIフォーマット1Cである場合、DCIにおける、新規データ・インジケーターNDIビット・フィールド、冗長性バージョンRVビット・フィールドおよび送信電力TPCビット・フィールドの最上位ビット（MSB）ビット・フィールドのうちの少なくとも一つにおけるビット・フィールドのビット情報から、前記送信時間単位指示情報および／または前記転送ブロック指示情報を取得する段階を実行するよう構成された取得モジュールとを含む。
【００３９】
第四の側面に基づき、前記処理ユニットはさらにスクランブル解除モジュールを含む。ここで、
前記判別モジュールがさらに、ランダム・アクセス無線ネットワーク一時識別子RA-RNTIを決定するよう構成され、前記RA-RNTIは(1＋t_id＋10*f_id＋X)  mod  Y＋1であり、XおよびYの値は整数である；または前記RA-RNTIは65301＋(10*t_id＋f_id)  mod  9であり、ここで、t_idは、前記ランダム・アクセス・プリアンブルを担持するPRACHの第一のサブフレームのシーケンス番号であり、0≦t_id＜10であり、f_idは前記ランダム・アクセス・プリアンブルを担持するPRACHの第一のサブフレームの第二のPRACHインデックスであり、0≦f_id＜6であり；
前記スクランブル解除モジュールは、前記判別モジュールによって決定された前記RA-RNTIに従って、前記PDCCHによって担持されるDCIをスクランブル解除するよう構成される。
【００４０】
メッセージを送信するためのTTIが直接短縮されるときにUEが正しくメッセージを受信できない従来技術と比べて、本発明のこの実施形態において提供される技術的解決策では、DCIが送信時間単位指示情報を担持しており、送信時間単位指示情報および／または転送ブロック指示情報が基地局によって送られるRARの転送ブロックの送信単位の時間長さおよび／またはRARの転送ブロックの位置情報を指示しうるので、たとえ基地局がメッセージを短いTTIで送る場合でも、UEは、転送ブロックの長さおよび／または転送ブロックの位置情報に従って、基地局によって送られたメッセージをいまだ正しく識別し、基地局の送信時間単位指示情報に従って短いTTIにおいて基地局にメッセージを送ってもよい。このようにして、情報送信中の送信時間単位の時間長さが短縮され、さらに、ランダム・アクセス時間が短縮される。
【００４１】
本発明の第五の側面は、基地局であって：
ユーザー装置UEによって送られたランダム・アクセス・プリアンブルを受信するよう構成された受信器であって、前記ランダム・アクセス・プリアンブルは、前記UEが第一の送信機能をもつことを示すために使われ、前記第一の送信機能は第一の時間長さの送信時間単位を送信する機能である、受信器と；
物理的下りリンク制御チャネルPDCCHを使って前記UEに下りリンク制御情報DCIを送るよう構成された送信器であって、前記DCIは送信時間単位指示情報および／または転送ブロック指示情報を担持し、前記送信時間単位指示情報は、DL-SCH転送ブロックおよび／または上りリンク共有チャネルUL-SCH転送ブロックの送信時間単位の時間長さを示すために使われ、前記送信時間単位の時間長さは前記第一の時間長さまたは第二の時間長さであり、前記第二の時間長さは前記第一の時間長さより長く、前記転送ブロック指示情報はDL-SCH転送ブロック位置情報および／またはUL-SCH転送ブロック位置情報を含む、送信器と；
プログラム命令の実行を制御するよう構成された、前記受信器および前記送信器に結合されたプロセッサであって、具体的には、前記DCIによって示される前記DL-SCH転送ブロックを使って、前記ランダム・アクセス・プリアンブルについてのランダム・アクセス応答RARを前記UEに送るよう前記送信器を制御するよう構成されたプロセッサとを含み、
前記受信器は、前記RARによって担持される上りリンク・スケジューリング情報に従って前記UEによって送られたUL-SCH転送ブロックを受信するようさらに構成される、
基地局を提供する。
【００４２】
第五の側面を参照するに、前記プロセッサはさらに：
前記DCIが前記送信時間単位指示情報を担持するときは、前記ランダム・アクセス・プリアンブルについての前記RARを担持する前記DL-SCH転送ブロックを、前記UEに送るよう前記送信器を制御する段階であって、前記DL-SCH転送ブロックの送信時間単位の時間長さは前記送信時間単位指示情報によって示される時間長さであり、前記DL-SCH転送ブロックの送信時間単位は、PDCCHの送信時間単位に隣接する送信時間単位またはPDCCHの送信時間単位である、段階；
前記DCIが前記転送ブロック指示情報を担持するときは、前記ランダム・アクセス・プリアンブルについての前記RARを担持する前記DL-SCH転送ブロックを、前記転送ブロック指示情報によって示されるDL-SCH転送ブロック位置情報によって示される位置において、前記UEに送るよう前記送信器を制御する段階であって、前記DL-SCH転送ブロックの送信時間単位の時間長さは事前設定された時間長さであり、前記DL-SCH転送ブロック位置情報は、前記DL-SCH転送ブロックの時間領域資源および／または周波数領域資源についての情報を含む、段階；または
前記DCIが前記送信時間単位指示情報および前記転送ブロック指示情報を担持するときは、前記ランダム・アクセス・プリアンブルについての前記RARを担持する前記DL-SCH転送ブロックを、前記転送ブロック指示情報によって示されるDL-SCH転送ブロック位置情報によって示される位置において、前記UEに送るよう前記送信器を制御する段階であって、前記DL-SCH転送ブロックの送信時間単位の時間長さは前記送信時間単位指示情報によって示される時間長さである、段階を実行するよう構成されることを注意しておくべきである。
【００４３】
第五の側面を参照するに、前記プロセッサはさらに：
前記DCIが前記送信時間単位指示情報を担持するときは、前記RARによって担持される上りリンク・スケジューリング情報に従って前記UEによって送られたUL-SCH転送ブロックを、該UL-SCH転送ブロックの事前設定された時間領域資源で前記送信時間単位指示情報に従って受信するよう前記受信器を制御する段階であって、前記UL-SCH転送ブロックの送信時間単位の時間長さは前記送信時間単位指示情報によって示される時間長さである、段階；
前記DCIが前記転送ブロック指示情報を担持するときは、前記RARによって担持される上りリンク・スケジューリング情報に従って前記UEによって送られたUL-SCH転送ブロックを、前記DCIによって担持される前記転送ブロック指示情報に従って、かつ、前記転送ブロック指示情報によって示されるUL-SCH転送ブロック位置情報によって示される位置において、受信するよう前記受信器を制御する段階であって、前記UL-SCH転送ブロック位置情報は、前記UL-SCH転送ブロックの時間領域資源および／または周波数領域資源についての情報を含み、前記UL-SCH転送ブロックの前記送信時間単位の時間長さは前記送信時間単位の事前設定された時間長さである、段階；または
前記DCIが前記送信時間単位指示情報および前記転送ブロック指示情報を担持するときは、前記RARによって担持される上りリンク・スケジューリング情報に従って前記UEによって送られたUL-SCH転送ブロックを、前記DCIによって担持される前記送信時間単位指示情報および前記転送ブロック指示情報に従って、かつ、前記転送ブロック指示情報によって示されるUL-SCH転送ブロック位置情報によって示される位置において、受信するよう前記受信器を制御する段階であって、前記UL-SCH転送ブロックの前記送信時間単位の時間長さは前記送信時間単位指示情報によって示される時間長さである、段階を実行するよう構成されることをさらに注意しておくべきである。
【００４４】
第五の側面に基づき、前記プロセッサはさらに、前記受信器によって受信された前記ランダム・アクセス・プリアンブルに従って、前記DCIのフォーマットが第一のDCIフォーマットであることを判別するよう構成され、前記第一のDCIフォーマットは前記第一の送信機能をもつUEによってのみ検出されるDCIフォーマットである。
【００４５】
第五の側面において、任意的に、前記プロセッサはさらに、前記受信器によって受信された前記ランダム・アクセス・プリアンブルに従って、前記DCIのフォーマットがDCIフォーマット1AまたはDCIフォーマット1Cであることを判別するよう構成され、前記DCIフォーマット1Aおよび前記DCIフォーマット1Cのそれぞれには、前記送信時間単位指示情報および／または前記転送ブロック指示情報を担持するために使われるビット・フィールドが存在する。
【００４６】
第五の側面に従って記載される解決策では、DCIのフォーマットがDCIフォーマット1Aである場合、DCIにおけるMCSビット・フィールドにおけるビット情報が、前記送信時間単位指示情報を示すために使われる；または
DCIのフォーマットがDCIフォーマット1Cである場合、DCIにおける、新規データ・インジケーターNDIビット・フィールド、冗長性バージョンRVビット・フィールドおよび送信電力TPCビット・フィールドの最上位ビット（MSB）ビット・フィールドのうちの少なくとも一つにおけるビット・フィールドのビット情報が、前記送信時間単位指示情報および／または前記転送ブロック指示情報を示すために使われる。
【００４７】
第五の側面に基づき、前記プロセッサはさらに、前記PDCCHによって担持されるDCIを、ランダム・アクセス無線ネットワーク一時識別子RA-RNTIに従って、スクランブルするよう構成され、前記RA-RNTIは(1＋t_id＋10*f_id＋X)  mod  Y＋1であり、XおよびYの値は整数である；または前記RA-RNTIは65301＋(10*t_id＋f_id)  mod  9である。ここで、t_idは基地局によって検出される、前記ランダム・アクセス・プリアンブルを担持するPRACHの第一のサブフレームのシーケンス番号であり、0≦t_id＜10であり、f_idは前記ランダム・アクセス・プリアンブルを担持するPRACHの第一のサブフレームの第二のPRACHインデックスであり、0≦f_id＜6である。
【００４８】
本発明の第六の側面は、ユーザー装置UEであって：
ランダム・アクセス・プリアンブルを基地局に送るよう構成された送信器であって、前記ランダム・アクセス・プリアンブルは、前記UEが第一の送信機能をもつことを示すために使われ、前記第一の送信機能は第一の時間長さの送信時間単位を送信する機能である、送信器と；
前記基地局によって物理的下りリンク制御チャネルPDCCHを使って送られた下りリンク制御情報DCIを受信するよう構成された受信器であって、前記DCIは送信時間単位指示情報および／または転送ブロック指示情報を担持し、前記送信時間単位指示情報は、DL-SCH転送ブロックおよび／または上りリンク共有チャネルUL-SCH転送ブロックの送信時間単位の時間長さを示すために使われ、前記送信時間単位の時間長さは前記第一の時間長さまたは第二の時間長さであり、前記第二の時間長さは前記第一の時間長さより長く、前記転送ブロック指示情報はDL-SCH転送ブロック位置情報および／またはUL-SCH転送ブロック位置情報を含む、受信器と；
プログラム命令の実行を制御するよう構成された、前記送信器および前記受信器に結合されたプロセッサであって、具体的には、前記DCIによって示される前記DL-SCH転送ブロックに従って前記基地局によって送られた、前記ランダム・アクセス・プリアンブルについてのランダム・アクセス応答RARを、前記DCIに従って受信するよう前記受信器を制御し；前記RARによって担持される上りリンク・スケジューリング情報に従って、UL-SCH転送ブロックを送るよう前記送信器を制御するよう構成されたプロセッサとを含む、
ユーザー装置を提供する。
【００４９】
第六の側面を参照するに、前記プロセッサはさらに：
前記DCIが前記送信時間単位指示情報を担持するときは、前記基地局によって送られた、前記ランダム・アクセス・プリアンブルについての前記RARを担持する前記DL-SCH転送ブロックを受信するよう前記受信器を制御する段階であって、前記DL-SCH転送ブロックの送信時間単位の時間長さは前記送信時間単位指示情報によって示される時間長さであり、前記DL-SCH転送ブロックの送信時間単位は、PDCCHの送信時間単位に隣接する送信時間単位またはPDCCHの送信時間単位である、段階；
前記DCIが前記転送ブロック指示情報を担持するときは、前記基地局によって送られた、前記ランダム・アクセス・プリアンブルについての前記RARを担持する前記DL-SCH転送ブロックを、前記転送ブロック指示情報によって示されるDL-SCH転送ブロック位置情報によって示される位置において受信するよう前記受信器を制御する段階であって、前記DL-SCH転送ブロックの送信時間単位の時間長さは事前設定された時間長さであり、前記DL-SCH転送ブロック位置情報は、前記DL-SCH転送ブロックの時間領域資源および／または周波数領域資源についての情報を含む、段階；または
前記DCIが前記送信時間単位指示情報および前記転送ブロック指示情報を担持するときは、前記基地局によって送られた、前記ランダム・アクセス・プリアンブルについての前記RARを担持する前記DL-SCH転送ブロックを、前記転送ブロック指示情報によって示されるDL-SCH転送ブロック位置情報によって示される位置において受信するよう前記受信器を制御する段階であって、前記DL-SCH転送ブロックの送信時間単位の時間長さは前記送信時間単位指示情報によって示される時間長さである、段階を実行するよう構成されることを注意しておくべきである。
【００５０】
第六の側面を参照するに、前記プロセッサはさらに：
前記DCIが前記送信時間単位指示情報を担持するときは、前記RARによって担持される上りリンク・スケジューリング情報および前記送信時間単位指示情報に従って、前記UL-SCH転送ブロックを、前記UL-SCH転送ブロックの事前設定された時間領域資源上で前記基地局に送るよう前記送信器を制御する段階であって、前記UL-SCH転送ブロックの送信時間単位の時間長さは前記送信時間単位指示情報によって示される時間長さである、段階；
前記DCIが前記転送ブロック指示情報を担持するときは、前記RARによって担持される上りリンク・スケジューリング情報および前記DCIによって担持される前記転送ブロック指示情報に従って、前記UL-SCH転送ブロックを、前記転送ブロック指示情報によって示されるUL-SCH転送ブロック位置情報によって示される位置において、前記基地局に送るよう前記送信器を制御する段階であって、前記UL-SCH転送ブロックの前記送信時間単位の時間長さは事前設定された時間長さであり、前記UL-SCH転送ブロック位置情報は、前記UL-SCH転送ブロックの時間領域資源および／または周波数領域資源についての情報を含む、段階；または
前記DCIが前記送信時間単位指示情報および前記転送ブロック指示情報を担持するときは、前記RARによって担持される上りリンク・スケジューリング情報ならびに前記DCIによって担持される前記送信時間単位指示情報および前記転送ブロック指示情報に従って、前記UL-SCH転送ブロックを、前記転送ブロック指示情報によって示されるUL-SCH転送ブロック位置情報によって示される位置において、前記基地局に送るよう前記送信器を制御する段階であって、前記UL-SCH転送ブロックの前記送信時間単位の時間長さは前記送信時間単位指示情報によって示される時間長さである、段階を実行するよう構成されることをさらに注意しておくべきである。
【００５１】
第六の側面に基づき、
前記プロセッサはさらに：
受信DCIのフォーマットを判別する段階；
前記DCIのフォーマットが第一のDCIフォーマットである場合、前記DCIから前記送信時間単位指示情報および／または前記転送ブロック指示情報を取得する段階であって、前記第一のDCIフォーマットは前記第一の送信機能をもつUEによってのみ検出されるDCIフォーマットである、段階；
前記DCIのフォーマットがDCIフォーマット1Aである場合、DCIにおけるMCSビット・フィールドにおけるビット情報から、前記送信時間単位指示情報を取得する段階；または
前記DCIのフォーマットがDCIフォーマット1Cである場合、DCIにおける、新規データ・インジケーターNDIビット・フィールド、冗長性バージョンRVビット・フィールドおよび送信電力TPCビット・フィールドの最上位ビット（MSB）ビット・フィールドのうちの少なくとも一つにおけるビット・フィールドのビット情報から、前記送信時間単位指示情報および／または前記転送ブロック指示情報を取得する段階を実行するよう構成される。
【００５２】
第六の側面に基づいて記載されるある解決策では、前記プロセッサはさらに：ランダム・アクセス無線ネットワーク一時識別子RA-RNTIを決定する段階であって、前記RA-RNTIは(1＋t_id＋10*f_id＋X)  mod  Y＋1であり、XおよびYの値は整数である；または前記RA-RNTIは65301＋(10*t_id＋f_id)  mod  9であり、ここで、t_idは、前記ランダム・アクセス・プリアンブルを担持するPRACHの第一のサブフレームのシーケンス番号であり、0≦t_id＜10であり、f_idは前記ランダム・アクセス・プリアンブルを担持するPRACHの第一のサブフレームの第二のPRACHインデックスであり、0≦f_id＜6である、段階と；前記RA-RNTIに従って、前記PDCCHによって担持されるDCIをスクランブル解除する段階とを実行するよう構成される。
【００５３】
本発明の実施形態において提供される前記ランダム・アクセス方法および装置、前記基地局および前記UEによれば、ユーザー装置UEによって送られたランダム・アクセス・プリアンブルを基地局が受信し、前記ランダム・アクセス・プリアンブルは、前記UEが第一の送信機能をもつことを示すために使われ、前記基地局がPDCCHを使って前記UEにDCIを送り、それにより前記UEは該DCIに従って前記ランダム・アクセス・プリアンブルについてのRARを受信することができ、前記基地局は前記DCIによって示されるDL-SCH転送ブロックを使って、前記ランダム・アクセス・プリアンブルについてのRARを前記UEに送り、前記基地局は、前記RARによって担持される上りリンク・スケジューリング情報に従って前記UEによって送られたUL-SCH転送ブロックを受信する。メッセージを送信するためのTTIが直接短縮されるときにUEが正しくメッセージを受信できない従来技術と比べて、DCIが送信時間単位指示情報を担持しており、送信時間単位指示情報および／または転送ブロック指示情報が基地局によって送られるRARの転送ブロックの送信単位の時間長さおよび／またはRARの転送ブロックの位置情報を指示しうるので、たとえ基地局がメッセージを短いTTIで送る場合でも、UEは、転送ブロックの長さおよび／または転送ブロックの位置情報に従って、基地局によって送られたメッセージをいまだ正しく識別できる。さらに、UEも、基地局の送信時間単位指示情報に従って短いTTIにおいて基地局にメッセージを送ってもよい。このようにして、情報送信中の送信時間単位の時間長さが短縮され、さらに、ランダム・アクセス時間が短縮される。
【図面の簡単な説明】
【００５４】
本発明の実施形態におけるまたは従来技術における技術的解決策をより明確に記述するために、下記は、実施形態または従来技術を記述するために必要とされる付属の図面を手短かに紹介する。明らかに、以下の記述における付属の図面は単に本発明のいくつかの実施形態を示すのであって、当業者は、創造的な努力なしにこれらの付属の図面から他の図面を導出しうる。
【図１】本発明のある実施形態に基づくランダム・アクセス方法のフローチャートである。
【図２】本発明のある実施形態に基づくもう一つのランダム・アクセス方法のフローチャートである。
【図３】本発明のある実施形態に基づくもう一つのランダム・アクセス方法のフローチャートである。
【図４】本発明のある実施形態に基づくもう一つのランダム・アクセス方法のフローチャートである。
【図５】本発明のある実施形態に基づくランダム・アクセス装置の概略的な論理構造図である。
【図６】本発明のある実施形態に基づくもう一つのランダム・アクセス装置の概略的な論理構造図である。
【図７】本発明のある実施形態に基づくもう一つのランダム・アクセス装置の概略的な論理構造図である。
【図８】本発明のある実施形態に基づくもう一つのランダム・アクセス装置の概略的な論理構造図である。
【図９】本発明のある実施形態に基づくランダム・アクセス方法における基地局の概略的な論理構造図である。
【図１０】本発明のある実施形態に基づくランダム・アクセス方法におけるUEの概略的な論理構造図である。
【発明を実施するための形態】
【００５５】
下記は、本発明の実施形態における付属の図面を参照して本発明の実施形態における技術的解決策を明確かつ完全に記載する。明らかに、記述される実施形態は本発明の実施形態の一部であって全部ではない。本発明の実施形態に基づいて当業者によって創造的努力なしに得られる他のすべての実施形態は、本発明の保護範囲内にはいる。
【００５６】
本発明の実施形態において、「複数の」は二つ以上を意味する。用語「および／または」は、関連する対象を記述するための関連関係を記述し、三つの関係が存在しうることを表わす。たとえば、Aおよび／またはBは、Aのみが存在する、AとBの両方が存在する、Bのみが存在するという三つの場合を表わしうる。記号「／」は一般に関連する対象の間の「または」の関係を示す。
【００５７】
ランダム・アクセス時間を短縮するために、本発明のある実施形態はランダム・アクセス方法を提供する。本方法はLTEまたはLTE-Aのシナリオに適用されうる。図１に示されるように、本方法は以下の段階を含む。
【００５８】
１０１。基地局が、ユーザー装置UEによって送られたランダム・アクセス・プリアンブルを受信する。前記ランダム・アクセス・プリアンブルは、前記UEが第一の送信機能をもつことを示すために使われる。
【００５９】
前記第一の送信機能は第一の時間長さの送信時間単位を送信する機能である。
【００６０】
現行のLTEシステムでは、基地局およびUEは、基本送信時間単位として1msのTTIを使って互いにメッセージを送信する。本発明のこの実施形態では、第一の時間長さの送信時間単位は1msより短い。第一の時間長さは具体的には、t個のSC-FDMAシンボルまたはt個のOFDMシンボルの長さを有していてもよい。ここで、tは14以下の正の整数である。
【００６１】
たとえば、第一の時間長さは0.5msであってもよく、あるいは0.5msより短くてもよい。たとえば、第一の時間長さは1  SC-FDMAシンボル、2  SC-FDMAシンボル、3  SC-FDMAシンボル、4  SC-FDMAシンボル、5  SC-FDMAシンボル、6  SC-FDMAシンボル、7  SC-FDMAシンボル、1  OFDMシンボル、2  OFDMシンボル、3  OFDMシンボル、4  OFDMシンボル、5  OFDMシンボル、6  OFDMシンボルまたは7  OFDMシンボルである。もう一つの例では、第一の時間長さは0.5ms、0.125msまたは0.1msであってもよい。
【００６２】
あるいはまた、第一の送信機能は第一の時間長さより大きいまたは第一の時間長さ以上であり、かつ第二の時間長さ未満または第二の時間長さ以下である送信時間単位を送信する機能である。たとえば、第一の時間長さは上記の諸例であり、第二の時間長さは1msである。
【００６３】
１０２。基地局が、PDCCH（Physical  downlink  Control  Channel［物理的下りリンク制御チャネル］）を使って前記UEにDCI（Downlink  Control  Information［下りリンク制御情報］）を送る。
【００６４】
DCIは送信時間単位指示情報および／または転送ブロック指示情報を担持する。
【００６５】
送信時間単位指示情報は、DL-SCH（Downlink  Shared  Channel［下りリンク共有チャネル］）転送ブロックおよび／またはUL-SCH（Uplink  Shared  Channel［上りリンク共有チャネル］）転送ブロックの送信時間単位の時間長さを示すために使われる。送信時間単位の時間長さは前記第一の時間長さまたはある第二の時間長さである。前記第二の時間長さは前記第一の時間長さより長い。
【００６６】
たとえば、第二の時間長さの送信時間単位は1msのTTIであり、第一の時間長さの送信時間単位は1ms未満のTTIである。あるいはまた、第二の時間長さの送信時間単位は0.5msのTTIであってもよく、第一の時間長さの送信時間単位は0.5ms未満のTTIであってもよい。第二の時間長さの送信時間単位は本願では限定されない。
【００６７】
前記転送ブロック指示情報はDL-SCH転送ブロック位置情報および／またはUL-SCH転送ブロック位置情報を含む。DL-SCH転送ブロック位置情報は、DL-SCH転送ブロックの時間領域資源および／または周波数領域資源についての情報を含む。同様に、UL-SCH転送ブロック位置情報は、UL-SCH転送ブロックの時間領域資源および／または周波数領域資源についての情報を含む。
【００６８】
時間領域資源についての情報は：第一の時間長さ／第二の時間長さの送信時間単位でのUL-SCH転送ブロック／DL-SCH転送ブロックの開始シンボル番号、第一の時間長さ／第二の時間長さの送信時間単位でのUL-SCH転送ブロック／DL-SCH転送ブロックの終了シンボル番号または第一の時間長さ／第二の時間長さの送信時間単位でのUL-SCH転送ブロック／DL-SCH転送ブロックのシンボルの量であってもよい。周波数領域資源についての情報は：第一の時間長さ／第二の時間長さの送信時間単位でのUL-SCH転送ブロック／DL-SCH転送ブロックのPRBの番号、サブバンドまたはキャリアであってもよい。
【００６９】
UEは通例、デフォルトで、基地局は1msのTTIでメッセージを送ると考える。基地局によって送られるRARをUEが正しく受信できるようにするために、基地局によってUEに送られるDCIに含まれる送信時間単位指示情報が、基地局がRARを送るときの送信時間単位の時間長さをUEに通知してもよく、転送ブロック指示情報が、RARを担持するために使われる、基地局によって送られる転送ブロックの時間領域資源についての情報および／またはRARを担持するために使われる、基地局によって送られる転送ブロックの周波数領域資源についての情報および／またはをUEに通知してもよく、それにより、UEは、DCIによって示される時間長さに従ってRARを受信するおよび／またはDCIによって示される位置においてRARを受信することができる。
【００７０】
１０３。基地局は、DCIによって示されるDL-SCH転送ブロックを使って、前記ランダム・アクセス・プリアンブルについてのRARを前記UEに送る。
【００７１】
DCIによって担持される送信時間単位指示情報によって示される送信時間単位の時間長さが0.5msである場合、基地局は、送信時間単位として0.5msのTTIを使って、RARを担持するDL-SCH転送ブロックをUEに送る。DL-SCH転送ブロックは、時間的にこの送信時間単位内のすべてのシンボルを占めてもよく、あるいはこの送信時間単位内のいくつかのシンボルを占めてもよいが、この送信時間単位の外のいかなるシンボルも占めてはならない。送信時間単位の時間長さは本願では限定されない。
【００７２】
１０４。基地局が、RARによって担持される上りリンク・スケジューリング情報に従って前記UEによって送られたUL-SCH転送ブロックを受信する。
【００７３】
RARによって担持される上りリンク・スケジューリング情報は：周波数ホッピング指示識別子、固定サイズの資源ブロックの割り当て、打ち切りされた変調および符号化方式、スケジュールされたPUSCHについての送信電力制御コマンド、上りリンク遅延指示情報またはCSI要求を含む。
【００７４】
本発明の実施形態において提供される前記ランダム・アクセス方法によれば、ユーザー装置UEによって送られたランダム・アクセス・プリアンブルを基地局が受信し、前記ランダム・アクセス・プリアンブルは、前記UEが第一の送信機能をもつことを示すために使われ、前記基地局がPDCCHを使って前記UEにDCIを送り、それにより前記UEは該DCIに従って前記ランダム・アクセス・プリアンブルについてのRARを受信することができ、前記基地局は前記DCIによって示されるDL-SCH転送ブロックを使って、前記ランダム・アクセス・プリアンブルについてのRARを前記UEに送り、前記基地局は、前記RARによって担持される上りリンク・スケジューリング情報に従って前記UEによって送られたUL-SCH転送ブロックを受信する。メッセージを送信するためのTTIが直接短縮されるときにUEが正しくメッセージを受信できない従来技術と比べて、DCIが送信時間単位指示情報を担持しており、送信時間単位指示情報および／または転送ブロック指示情報が基地局によって送られるRARの転送ブロックの送信単位の時間長さおよび／またはRARの転送ブロックの位置情報を指示しうるので、たとえ基地局がメッセージを短いTTIで送る場合でも、UEは、転送ブロックの長さおよび／または転送ブロックの位置情報に従って、基地局によって送られたメッセージをいまだ正しく識別できる。さらに、UEも、基地局の送信時間単位指示情報に従って短いTTIにおいて基地局にメッセージを送ってもよい。このようにして、情報送信中の送信時間単位の時間長さが短縮され、さらに、ランダム・アクセス時間が短縮される。
【００７５】
DCIが送信時間単位指示情報および／または転送ブロック指示情報を担持しているので、DCIによって担持される情報については三つの場合がありうる。第一の場合には、送信時間単位指示情報のみが担持される。第二の場合には、転送ブロック指示情報のみが担持される。第三の場合には、送信時間単位指示情報と転送ブロック指示情報の両方が担持される。これら三つの場合に対応して、本発明のこの実施形態において提供されるもう一つの実装では、基地局によって、DCIによって示されるDL-SCH転送ブロックを使って、前記ランダム・アクセス・プリアンブルについてのRARを前記UEに送る段階１０３は具体的には、以下の三つの実装を含む。
【００７６】
第一の実装：前記DCIが前記送信時間単位指示情報を担持するときは、基地局は、前記ランダム・アクセス・プリアンブルについての前記RARを担持する前記DL-SCH転送ブロックを、前記UEに送る。前記DL-SCH転送ブロックの送信時間単位の時間長さは前記送信時間単位指示情報によって示される時間長さである。
【００７７】
ランダム・アクセス時間を短縮するために、送信時間単位指示情報によって示される時間長さは前記第一の時間長さであってもよい。ランダム・アクセスの正確さを保証するために、送信時間単位指示情報によって示される時間長さは前記第二の時間長さであってもよい。
【００７８】
本発明のこの実施形態においては、送信時間単位指示情報によって示される時間長さは、一つの送信時間単位の時間長さであってもよく、あるいは複数の送信時間単位の時間長さであってもよいことを注意しておくべきである。
【００７９】
前記DL-SCH転送ブロックの送信時間単位は、PDCCHの送信時間単位に隣接する送信時間単位またはPDCCHの送信時間単位である。
【００８０】
第二の実装：前記DCIが前記転送ブロック指示情報を担持するときは、基地局は、前記ランダム・アクセス・プリアンブルについての前記RARを担持する前記DL-SCH転送ブロックを、前記転送ブロック指示情報によって示されるDL-SCH転送ブロック位置情報によって示される位置において、前記UEに送る。前記DL-SCH転送ブロックの送信時間単位の時間長さは事前設定された時間長さである。
【００８１】
前記DL-SCH転送ブロック位置情報は、前記DL-SCH転送ブロックの時間領域資源および／または周波数領域資源についての情報を含む。ランダム・アクセス時間を短縮するという目的を達成するために、送信時間単位の事前設定された時間長さの値範囲は、前記第一の時間長さ以上であり、かつ前記第二に時間長さ以下であってもよい。たとえば、第二の時間長さが14シンボル（1ms）であり、第一の時間長さが1シンボルであれば、送信時間単位の事前設定された時間長さは1から14までの範囲のシンボル量であるが、14より大きかったり1より小さかったりすることはできない。
【００８２】
第三の実装：前記DCIが前記送信時間単位指示情報および前記転送ブロック指示情報を担持するときは、基地局は、前記ランダム・アクセス・プリアンブルについての前記RARを担持する前記DL-SCH転送ブロックを、前記転送ブロック指示情報によって示されるDL-SCH転送ブロック位置情報によって示される位置において、前記UEに送る。前記DL-SCH転送ブロックの送信時間単位の時間長さは前記送信時間単位指示情報によって示される時間長さである。
【００８３】
さらに、本発明のこの実施形態において提供されるもう一つの実装では、前記RARによって担持される上りリンク・スケジューリング情報に従って前記UEによって送られたUL-SCH転送ブロックを、前記基地局によって受信する上記の段階１０４は、下記の実装を含む。
【００８４】
第一の実装：前記DCIが前記送信時間単位指示情報を担持するときは、前記RARによって担持される上りリンク・スケジューリング情報に従って前記UEによって送られたUL-SCH転送ブロックを、該UL-SCH転送ブロックの事前設定された時間領域資源で前記送信時間単位指示情報に従って受信する。前記UL-SCH転送ブロックの送信時間単位の時間長さは前記送信時間単位指示情報によって示される時間長さである。
【００８５】
ある具体的実装において、前記DCIが前記送信時間単位指示情報を担持するときは、基地局は、前記RARによって担持される上りリンク・スケジューリング情報に従って前記UEによって送られたUL-SCH転送ブロックを、前記送信時間単位指示情報および前記RARによって担持される上りリンク・スケジューリング情報に従って、前記上りリンク・スケジューリング情報によって示される前記UL-SCH転送ブロックの周波数領域資源および前記UL-SCH転送ブロックの事前設定された時間領域資源で、前記送信時間単位指示情報に従って前記UEによって示された送信時間単位の時間長さを使って、受信する。
【００８６】
ランダム・アクセス時間を短縮するために、送信時間単位指示情報によって示される時間長さは前記第一の時間長さであってもよい。ランダム・アクセスの正確さを保証するために、送信時間単位指示情報によって示される時間長さは前記第二の時間長さであってもよい。
【００８７】
前記UL-SCH転送ブロックの前記事前設定された時間領域資源は、前記DCIまたは前記RARからk個の第一の時間長さまたはk個の第二の時間長さだけ離間した時間長さにおける時間領域資源であってもよいことを注意しておくべきである。ここで、kは正の整数である。ここで、第一の時間長さまたは第二の時間長さは、送信時間単位指示情報によって示される時間長さに従って決定される。たとえば、送信時間単位指示情報によって示される時間長さが前記第一の時間長さであれば、前記UL-SCH転送ブロックの前記事前設定された時間領域資源は、前記DCIまたは前記RARからk個の第一の時間長さだけ離間した前記第一の時間長さにおける時間領域資源であってもよい。ここで、kは正の整数である。
【００８８】
第二の実装：前記DCIが前記転送ブロック指示情報を担持するときは、基地局は、前記RARによって担持される上りリンク・スケジューリング情報に従って前記UEによって送られたUL-SCH転送ブロックを、前記DCIによって担持される前記転送ブロック指示情報に従って、かつ、前記転送ブロック指示情報によって示されるUL-SCH転送ブロック位置情報によって示される位置において、受信する。ここで、前記UL-SCH転送ブロックの前記送信時間単位の時間長さは前記送信時間単位の事前設定された時間長さである。
【００８９】
前記UL-SCH転送ブロック位置情報は、前記UL-SCH転送ブロックの時間領域資源および／または周波数領域資源についての情報を含む。ランダム・アクセス時間を短縮するという目的を達成するために、送信時間単位の事前設定された時間長さの値範囲は、前記第一の時間長さ以上であり、かつ前記第二に時間長さ以下であってもよい。たとえば、第二の時間長さが14シンボル（1ms）であり、第一の時間長さが1シンボルであれば、送信時間単位の事前設定された時間長さは1から14までの範囲のシンボル量であるが、14より大きかったり1より小さかったりすることはできない。
【００９０】
第三の実装：前記DCIが前記送信時間単位指示情報および前記転送ブロック指示情報を担持するときは、基地局は、前記RARによって担持される上りリンク・スケジューリング情報に従って前記UEによって送られたUL-SCH転送ブロックを、前記DCIによって担持される前記送信時間単位指示情報および前記転送ブロック指示情報に従って、かつ、前記転送ブロック指示情報によって示されるUL-SCH転送ブロック位置情報によって示される位置において、受信する。ここで、前記UL-SCH転送ブロックの前記送信時間単位の時間長さは前記送信時間単位指示情報によって示される。
【００９１】
本発明のこの実施形態において提供されるランダム・アクセス方法によれば、DCIが送信時間単位指示情報を担持しており、送信時間単位指示情報および／または転送ブロック指示情報が基地局によって送られるRARの転送ブロックの送信単位の時間長さおよび／またはRARの転送ブロックの位置情報を指示しうるので、たとえ基地局がメッセージを短いTTIで送る場合でも、UEは、転送ブロックの長さおよび／または転送ブロックの位置情報に従って、基地局によって送られたメッセージをいまだ正しく識別でき、基地局の送信時間単位指示情報に従って短いTTIにおいて基地局にメッセージを送ることができる。したがって、基地局も、UEによって送られたUL-SCH転送ブロックを、DCIによって担持される送信時間単位指示情報および／または転送ブロック指示情報に従って、正しく受信することができる。このようにして、情報送信中の送信時間単位の時間長さが短縮され、さらに、ランダム・アクセス時間が短縮される。
【００９２】
送信時間指示情報および／または転送ブロック情報は異なるフォーマットでDCIに加えられてもよいことを注意しておくべきである。送信時間単位指示情報および／または転送ブロック指示情報をDCI内の適切な位置に加えるために、基地局がUEにDCIを送る前に、DCIのフォーマットが判別される必要がある。これに基づいて、図２に示されるような、本発明のこの実施形態において提供されるもう一つの実装では、前記基地局によって、PDCCHを使って前記UEに下りリンク制御情報DCIを送る上記の段階１０２の前に、本方法はさらに、段階１０５または段階１０６を含む。
【００９３】
１０５。基地局が、前記ランダム・アクセス・プリアンブルに従って、前記DCIのフォーマットが第一のDCIフォーマットであることを決定する。
【００９４】
前記第一のDCIフォーマットは前記第一の送信機能をもつUEによってのみ検出されるDCIフォーマットである。
【００９５】
基地局は、前記第一のDCIフォーマットの前記DCIおよび別のフォーマットのDCIを送ることがありうる。前記別のフォーマットのDCIは、旧バージョンのUEまたは前記第一の送信機能をもたないUEによって識別されうる。前記第一のDCIフォーマットのDCIは前記第一の通信機能をもつUEによってのみ識別されることができる。したがって、前記第一のDCIフォーマットのDCIを識別した後、前記第一の送信機能をもつUEは、DCIによって担持される送信時間単位指示情報および／または転送ブロック指示情報に従って、メッセージを受信してもよく、および／またはメッセージを送信してもよい。前記別のフォーマットのDCIは送信時間単位指示情報および／または転送ブロック指示情報を含まないので、UEが前記別のフォーマットのDCIを受信する場合は、UEはデフォルトにより1msのTTIを送信時間単位として使ってメッセージを送る。
【００９６】
任意的に、前記第一の送信機能をもつUEは、別のフォーマットのDCIを検出する必要なしに、前記第一のDCIフォーマットのDCIのみを検出するようにされてもよい。これは、UEが前記別のフォーマットのDCIについてブラインド検出を実行することを防げる。
【００９７】
１０６。基地局は、前記ランダム・アクセス・プリアンブルに従って、前記DCIのフォーマットがDCIフォーマット1AまたはDCIフォーマット1Cであることを決定する。前記DCIフォーマット1Aおよび前記DCIフォーマット1Cのそれぞれには、前記送信時間単位指示情報および／または前記転送ブロック指示情報を担持するために使われるビット・フィールドが存在する。
【００９８】
DCIフォーマット1AおよびDCIフォーマット1Cはいずれも既存のDCIフォーマットであることを注意しておくべきである。本発明のこの実施形態では、送信時間単位指示情報および／または転送ブロック指示情報は既存のフォーマットのDCIに追加されるが、DCIフォーマット1AおよびDCIフォーマット1Cの総ビット量は増大しない。DCIフォーマット1AおよびDCIフォーマット1Cはいずれも任意のUEによって識別されることができるDCIフォーマットなので、UEは追加的なブラインド検出を実行しない。
【００９９】
DCIのフォーマットがDCIフォーマット1Aである場合、DCIにおけるMCSビット・フィールドにおけるビット情報が、前記送信時間単位指示情報を示すために使われる。
【０１００】
DCIのフォーマットがDCIフォーマット1Cである場合、DCIにおける、NDI（New  Data  Indicator、NDI、新規データ・インジケーター）ビット・フィールド、RV（Redundancy  Version、冗長性バージョン）ビット・フィールドおよび送信電力TPC（Transmit  Power  Control、送信電力制御）ビット・フィールドの最上位ビット（MSB）ビット・フィールドのうちの少なくとも一つにおけるビット・フィールドのビット情報が、前記送信時間単位指示情報および／または前記転送ブロック指示情報を示すために使われる。NDIビット・フィールド、冗長性バージョンRVビット・フィールドおよび送信電力TPCビット・フィールドの最上位ビット（MSB）ビット・フィールドはまれにしか使われないので、情報伝送に影響することなく、送信時間単位指示情報および／または転送ブロック指示情報を担持するために使用されうる。しかしながら、送信時間単位指示情報および／または転送ブロック指示情報は、例として記載された上記のビット・フィールドに位置することに限定されない。
【０１０１】
本発明のこの実施形態では、基地局は、基地局での負荷のような状態に依存して、UEに、第一の時間長さの送信時間単位または第二の時間長さの送信時間単位を使ってメッセージを送信するよう柔軟に指令しうる。
【０１０２】
さらに、DCIが送られる前に、DCIはさらにスクランブルされる必要がある。具体的には、前記基地局によって、PDCCHを使って前記UEに下りリンク制御情報DCIを送る段階１０２の前に、段階１０７がさらに実行される必要がある。
【０１０３】
１０７。基地局は、前記PDCCHによって担持されるDCIを、ランダム・アクセス無線ネットワーク一時識別子RA-RNTIに従って、スクランブルする。
【０１０４】
前記RA-RNTIは(1＋t_id＋10*f_id＋X)  mod  Y＋1である。XおよびYの値は整数である。XおよびYは、前記第一の送信機能をもつUEによってシステム・ブロードキャスト・メッセージから受領されるパラメータである。前記第一の送信機能をもつUEのみがXおよびYを受信できることを注意しておくべきである。
【０１０５】
あるいはまた、前記RA-RNTIは65301＋(10*t_id＋f_id)  mod  9である。ここで、t_idは基地局によって検出される、前記ランダム・アクセス・プリアンブルを担持するPRACHの第一のサブフレームのシーケンス番号であり、0≦t_id＜10であり、f_idは前記ランダム・アクセス・プリアンブルを担持するPRACHの第一のサブフレームの第二のPRACHインデックスであり、0≦f_id＜6である。
【０１０６】
本発明のこの実施形態において提供されるランダム・アクセス方法によれば、ユーザー装置UEによって送られたランダム・アクセス・プリアンブルを基地局が受信し、前記ランダム・アクセス・プリアンブルは、前記UEが第一の送信機能をもつことを示すために使われ、前記基地局がPDCCHを使って前記UEにDCIを送り、それにより前記UEは該DCIに従って前記ランダム・アクセス・プリアンブルについてのRARを受信することができ、前記基地局は前記DCIによって示されるDL-SCH転送ブロックを使って、前記ランダム・アクセス・プリアンブルについてのRARを前記UEに送り、前記基地局は、前記RARによって担持される上りリンク・スケジューリング情報に従って前記UEによって送られたUL-SCH転送ブロックを受信する。メッセージを送信するためのTTIが直接短縮されるときにUEが正しくメッセージを受信できない従来技術と比べて、DCIが送信時間単位指示情報を担持しており、送信時間単位指示情報および／または転送ブロック指示情報が基地局によって送られるRARの転送ブロックの送信単位の時間長さおよび／またはRARの転送ブロックの位置情報を指示しうるので、たとえ基地局がメッセージを短いTTIで送る場合でも、UEは、転送ブロックの長さおよび／または転送ブロックの位置情報に従って、基地局によって送られたメッセージをいまだ正しく識別できる。さらに、UEも、基地局の送信時間単位指示情報に従って短いTTIにおいて基地局にメッセージを送ってもよい。このようにして、情報送信中の送信時間単位の時間長さが短縮され、さらに、ランダム・アクセス時間が短縮される。
【０１０７】
上記の実施形態に対応して、ランダム・アクセス時間を短縮するために、本発明のある実施形態はランダム・アクセス方法を提供する。本方法は、LTEまたはLTE-Aシナリオに適用されうる。図３に示されるように、本方法は以下の段階を含む。
【０１０８】
３０１。UEがランダム・アクセス・プリアンブルを基地局に送る。前記ランダム・アクセス・プリアンブルは、前記UEが第一の送信機能をもつことを示すために使われる。
【０１０９】
前記第一の送信機能は第一の時間長さの送信時間単位を送信する機能である。
【０１１０】
現行のLTEシステムでは、基地局およびUEは、基本送信時間単位として1msのTTIを使って互いにメッセージを送信する。本発明のこの実施形態では、第一の時間長さの送信時間単位は1msより短い。第一の時間長さは具体的には、t個のSC-FDMAシンボルまたはt個のOFDMシンボルの長さを有していてもよい。ここで、tは14以下の正の整数である。
【０１１１】
たとえば、第一の時間長さは0.5msであってもよく、あるいは0.5msより短くてもよい。たとえば、第一の時間長さは1  SC-FDMAシンボル、2  SC-FDMAシンボル、3  SC-FDMAシンボル、4  SC-FDMAシンボル、5  SC-FDMAシンボル、6  SC-FDMAシンボル、7  SC-FDMAシンボル、1  OFDMシンボル、2  OFDMシンボル、3  OFDMシンボル、4  OFDMシンボル、5  OFDMシンボル、6  OFDMシンボルまたは7  OFDMシンボルである。もう一つの例では、第一の時間長さは0.5ms、0.125msまたは0.1msであってもよい。
【０１１２】
あるいはまた、第一の送信機能は第一の時間長さより大きいまたは第一の時間長さ以上であり、かつ第二の時間長さ未満または第二の時間長さ以下である送信時間単位を送信する機能である。たとえば、第一の時間長さは上記の諸例であり、第二の時間長さは1msである。
【０１１３】
３０２。基地局によってPDCCHを使って送られたDCIをUEが受信する。
【０１１４】
前記DCIは送信時間単位指示情報および／または転送ブロック指示情報を担持する。前記送信時間単位指示情報は、DL-SCH転送ブロックおよび／または上りリンク共有チャネルUL-SCH転送ブロックの送信時間単位の時間長さを示すために使われる。前記送信時間単位の時間長さは前記第一の時間長さまたは第二の時間長さである。前記第二の時間長さは前記第一の時間長さより長い。
【０１１５】
前記転送ブロック指示情報はDL-SCH転送ブロック位置情報および／またはUL-SCH転送ブロック位置情報を含む。DL-SCH転送ブロック位置情報はDL-SCH転送ブロックの時間領域資源および／または周波数領域資源についての情報を含む。
【０１１６】
３０３。前記DCIによって示されるDL-SCH転送ブロックに従って前記基地局によって送られた、前記ランダム・アクセス・プリアンブルについてのランダム・アクセス応答RARを、UEが、前記DCIに従って受信する。
【０１１７】
前記DCIによって担持される送信時間単位指示情報によって示される送信時間単位の時間長さが0.5msである場合、UEは、送信時間単位として0.5msのTTIを使って、RARを担持するDL-SCH転送ブロックを受信する。
【０１１８】
３０４。UEは、前記RARによって担持される上りリンク・スケジューリング情報に従って、UL-SCH転送ブロックを送る。
【０１１９】
RARによって担持される上りリンク・スケジューリング情報は：周波数ホッピング指示識別子、固定サイズの資源ブロックの割り当て、打ち切りされた変調および符号化方式、スケジュールされたPUSCHについての送信電力制御コマンド、上りリンク遅延指示情報またはCSI要求を含む。
【０１２０】
本発明の実施形態において提供される前記ランダム・アクセス方法によれば、UEがランダム・アクセス・プリアンブルを基地局に送り、前記ランダム・アクセス・プリアンブルは、前記UEが第一の送信機能をもつことを示すために使われる。UEは、基地局によってPDCCHを使って送られたDCIを受信し、該DCIに従って、該DCIによって示されるDL-SCH転送ブロックに従って前記基地局によって送られた、前記ランダム・アクセス・プリアンブルについてのランダム・アクセス応答RARを受信し、次いで、前記RARによって担持される上りリンク・スケジューリング情報に従って、UL-SCH転送ブロックを送る。メッセージを送信するためのTTIが直接短縮されるときにUEが正しくメッセージを受信できない従来技術と比べて、DCIが送信時間単位指示情報を担持しており、送信時間単位指示情報および／または転送ブロック指示情報が基地局によって送られるRARの転送ブロックの送信単位の時間長さおよび／またはRARの転送ブロックの位置情報を指示しうるので、たとえ基地局がメッセージを短いTTIで送る場合でも、UEは、転送ブロックの長さおよび／または転送ブロックの位置情報に従って、基地局によって送られたメッセージをいまだ正しく識別し、基地局の送信時間単位指示情報に従って短いTTIにおいて基地局にメッセージを送ることができる。このようにして、情報送信中の送信時間単位の時間長さが短縮され、さらに、ランダム・アクセス時間が短縮される。
【０１２１】
DCIが送信時間単位指示情報および／または転送ブロック指示情報を担持しているので、DCIによって担持される情報については三つの場合がありうる。第一の場合には、送信時間単位指示情報のみが担持される。第二の場合には、転送ブロック指示情報のみが担持される。第三の場合には、送信時間単位指示情報と転送ブロック指示情報の両方が担持される。これら三つの場合に対応して、本発明のこの実施形態において提供されるもう一つの実装では、前記DCIによって示される前記DL-SCH転送ブロックに従って前記基地局によって送られた、前記ランダム・アクセス・プリアンブルについてのランダム・アクセス応答RARを、前記DCIに従って前記UEによって受信する上記の段階３０３は具体的には以下の三つの実装を含む。
【０１２２】
第一の実装：前記DCIが前記送信時間単位指示情報を担持するときは、前記基地局によって送られた、前記ランダム・アクセス・プリアンブルについての前記RARを担持する前記DL-SCH転送ブロックを、UEが受信する。前記DL-SCH転送ブロックの送信時間単位の時間長さは前記送信時間単位指示情報によって示される時間長さである。
【０１２３】
ランダム・アクセス時間を短縮するために、送信時間単位指示情報によって示される時間長さは前記第一の時間長さであってもよい。ランダム・アクセスの正確さを保証するために、送信時間単位指示情報によって示される時間長さは前記第二の時間長さであってもよい。
【０１２４】
前記DL-SCH転送ブロックの送信時間単位は、PDCCHの送信時間単位に隣接する送信時間単位またはPDCCHの送信時間単位である。
【０１２５】
第二の実装：前記DCIが前記転送ブロック指示情報を担持するときは、前記基地局によって送られた、前記ランダム・アクセス・プリアンブルについての前記RARを担持する前記DL-SCH転送ブロックを、前記転送ブロック指示情報によって示されるDL-SCH転送ブロック位置情報によって示される位置において、UEが受信する。前記DL-SCH転送ブロックの送信時間単位の時間長さは事前設定された時間長さである。
【０１２６】
前記DL-SCH転送ブロック位置情報は、前記DL-SCH転送ブロックの時間領域資源および／または周波数領域資源についての情報を含む。ランダム・アクセス時間を短縮するという目的を達成するために、送信時間単位の事前設定された時間長さの値範囲は、前記第一の時間長さ以上であり、かつ前記第二に時間長さ以下であってもよい。たとえば、第二の時間長さが14シンボル（1ms）であり、第一の時間長さが1シンボルであれば、送信時間単位の事前設定された時間長さは1から14までの範囲のシンボル量であるが、14より大きかったり1より小さかったりすることはできない。
【０１２７】
第三の実装：前記DCIが前記送信時間単位指示情報および前記転送ブロック指示情報を担持するときは、前記基地局によって送られた、前記ランダム・アクセス・プリアンブルについての前記RARを担持する前記DL-SCH転送ブロックを、前記転送ブロック指示情報によって示されるDL-SCH転送ブロック位置情報によって示される位置において、UEが受信する。前記DL-SCH転送ブロックの送信時間単位の時間長さは前記送信時間単位指示情報によって示される時間長さである。
【０１２８】
本発明のこの実施形態において提供されるもう一つの実装では、前記RARによって担持される上りリンク・スケジューリング情報に従って、UL-SCH転送ブロックを、前記UEによって送る上記の段階３０４は、具体的には下記の実装を含む。
【０１２９】
第一の実装：前記DCIが前記送信時間単位指示情報を担持するときは、前記RARによって担持される上りリンク・スケジューリング情報および前記送信時間単位指示情報に従って、前記UL-SCH転送ブロックを、前記UL-SCH転送ブロックの事前設定された時間領域資源上で、UEが前記基地局に送る。前記UL-SCH転送ブロックの送信時間単位の時間長さは前記送信時間単位指示情報によって示される時間長さである。
【０１３０】
ある具体的な実装では、前記DCIが前記送信時間単位指示情報を担持するときは、UEは前記UL-SCH転送ブロックを、前記RARによって担持される上りリンク・スケジューリング情報および前記送信時間単位指示情報に従って、前記UL-SCH転送ブロックの、前記上りリンク・スケジューリング情報によって示される周波数領域資源および前記UL-SCH転送ブロックの事前設定された時間領域資源上で、前記送信時間単位指示情報によって示される送信時間単位の時間長さを使って、基地局に送る。
【０１３１】
ランダム・アクセス時間を短縮するために、送信時間単位指示情報によって示される時間長さは前記第一の時間長さであってもよい。ランダム・アクセスの正確さを保証するために、送信時間単位指示情報によって示される時間長さは前記第二の時間長さであってもよい。
【０１３２】
前記UL-SCH転送ブロックの前記事前設定された時間領域資源は、前記DCIまたは前記RARからk個の第一の時間長さまたはk個の第二の時間長さだけ離間した時間長さにおける時間領域資源であってもよいことを注意しておくべきである。ここで、kは正の整数である。ここで、第一の時間長さまたは第二の時間長さは、送信時間単位指示情報によって示される時間長さに従って決定される。たとえば、送信時間単位指示情報によって示される時間長さが前記第一の時間長さであれば、前記UL-SCH転送ブロックの前記事前設定された時間領域資源は、前記DCIまたは前記RARからk個の第一の時間長さだけ離間した前記第一の時間長さにおける時間領域資源であってもよい。ここで、kは正の整数である。
【０１３３】
第二の実装：前記DCIが前記転送ブロック指示情報を担持するときは、UEは、前記RARによって担持される上りリンク・スケジューリング情報および前記DCIによって担持される前記転送ブロック指示情報に従って、前記UL-SCH転送ブロックを、前記転送ブロック指示情報によって示されるUL-SCH転送ブロック位置情報によって示される位置において、前記基地局に送る。前記UL-SCH転送ブロックの前記送信時間単位の時間長さは事前設定された時間長さである。
【０１３４】
前記UL-SCH転送ブロック位置情報は、前記UL-SCH転送ブロックの時間領域資源および／または周波数領域資源についての情報を含む。ランダム・アクセス時間を短縮するという目的を達成するために、送信時間単位の事前設定された時間長さの値範囲は、前記第一の時間長さ以上であり、かつ前記第二に時間長さ以下であってもよい。たとえば、第二の時間長さが14シンボル（1ms）であり、第一の時間長さが1シンボルであれば、送信時間単位の事前設定された時間長さは1から14までの範囲のシンボル量であるが、14より大きかったり1より小さかったりすることはできない。
【０１３５】
第三の実装：前記DCIが前記送信時間単位指示情報および前記転送ブロック指示情報を担持するときは、UEは、前記RARによって担持される上りリンク・スケジューリング情報ならびに前記DCIによって担持される前記送信時間単位指示情報および前記転送ブロック指示情報に従って、前記UL-SCH転送ブロックを、前記転送ブロック指示情報によって示されるUL-SCH転送ブロック位置情報によって示される位置において、前記基地局に送る。前記UL-SCH転送ブロックの前記送信時間単位の時間長さは前記送信時間単位指示情報によって示される時間長さである。
【０１３６】
本発明のこの実施形態において提供されるランダム・アクセス方法によれば、DCIが送信時間単位指示情報を担持しており、送信時間単位指示情報および／または転送ブロック指示情報がUEがメッセージを短いTTIにおいて基地局に送ることを示しうるので、基地局も、UEによって送られたUL-SCH転送ブロックを、DCIによって担持される送信時間単位指示情報および／または転送ブロック指示情報に従って、正しく受信することができる。このようにして、情報送信中の送信時間単位の時間長さが短縮され、さらに、ランダム・アクセス時間が短縮される。
【０１３７】
送信時間指示情報および／または転送ブロック指示情報は異なるフォーマットでDCIに加えられてもよいことを注意しておくべきである。基地局によって送られたDCIをUEが受信する前に、DCI内の、送信時間単位指示情報および／または転送ブロック指示情報がそこから得られる位置を判別するために、DCIのフォーマットが判別される必要がある。これに基づいて、本発明のもう一つの実施形態において提供されるもう一つの実装では、図４に示されるように、基地局によってPDCCHを使って送られたDCIを前記UEによって受信する上記の段階３０２の前に、本方法はさらに、下記の段階を含む。
【０１３８】
３０５。UEが受領されたDCIのフォーマットを判別する。
【０１３９】
３０６。DCIのフォーマットが第一のDCIフォーマットであれば、UEは、前記DCIから前記送信時間単位指示情報および／または前記転送ブロック指示情報を取得する。
【０１４０】
前記第一のDCIフォーマットは前記第一の送信機能をもつUEによってのみ検出されるDCIフォーマットである。
【０１４１】
DCIのフォーマットが第一のDCIフォーマットであるとき、第一の送信機能をもつUEは第一のDCIフォーマットのDCIのみを識別し、より古いバージョンのUEまたは第一の送信機能をもたないUEは別のフォーマットのDCIを識別することを注意しておくべきである。第一のDCIフォーマットのDCIは第一の送信機能をもつUEによってのみ識別され、DCIのフォーマットは、UEによって送られたランダム・アクセス・プリアンブルに従って基地局によって決定されるので、第一の送信機能をもつUEは、DCIから直接、送信時間単位指示情報および／または転送ブロック指示情報を取得しうる。
【０１４２】
任意的に、前記第一の送信機能をもつUEは、別のフォーマットのDCIを検出する必要なしに、前記第一のDCIフォーマットのDCIのみを検出するようにされてもよく、これは、UEが前記別のフォーマットのDCIについてブラインド検出を実行することを防ぐ。
【０１４３】
３０７。DCIのフォーマットがDCIフォーマット1Aである場合、UEは、DCIにおけるMCSビット・フィールドにおけるビット情報から、前記送信時間単位指示情報を取得する。
【０１４４】
３０８。DCIのフォーマットがDCIフォーマット1Cである場合、UEは、DCIにおける、新規データ・インジケーターNDIビット・フィールド、冗長性バージョンRVビット・フィールドおよび送信電力TPCビット・フィールドの最上位ビット（MSB）ビット・フィールドのうちの少なくとも一つにおけるビット・フィールドのビット情報から、前記送信時間単位指示情報および／または前記転送ブロック指示情報を取得する。
【０１４５】
NDIビット・フィールド、冗長性バージョンRVビット・フィールドおよび送信電力TPCビット・フィールドの最上位ビット（MSB）ビット・フィールドはめったに使われないので、情報伝送に影響することなく、送信時間単位指示情報および／または転送ブロック指示情報を担持するために使用されうる。しかしながら、送信時間単位指示情報および／または転送ブロック指示情報は、例として記載された上記のビット・フィールドに位置することに限定されない。
【０１４６】
DCIフォーマット1AおよびDCIフォーマット1Cはいずれも既存のDCIフォーマットであることを注意しておく。本発明のこの実施形態では、送信時間単位指示情報および／または転送ブロック指示情報は既存のフォーマットのDCIに追加されるが、DCIフォーマット1AおよびDCIフォーマット1Cの総ビット量は増大しない。DCIフォーマット1AおよびDCIフォーマット1Cはいずれも任意のUEによって識別されることができるDCIフォーマットなので、UEは追加的なブラインド検出を実行しない。
【０１４７】
PDSCCHを使ってDCIをUEに送る前に、基地局はPDCCHによって搬送されるDCIをスクランブルする。よって、PDCCHを使って基地局によって送られたDCIを受信した後、UEはさらに、スクランブル解除動作を実行する必要がある。具体的には、前記基地局によってPDCCHを使って送られたDCIを、前記UEによって受信する上記の段階３０２の後、段階３０９および段階３１０がさらに実行される必要がある。
【０１４８】
３０９。UEは、ランダム・アクセス無線ネットワーク一時識別子RA-RNTIを決定する。
【０１４９】
前記RA-RNTIは(1＋t_id＋10*f_id＋X)  mod  Y＋1であり、XおよびYの値は整数である；または前記RA-RNTIは65301＋(10*t_id＋f_id)  mod  9であり、ここで、t_idは、前記ランダム・アクセス・プリアンブルを担持するPRACHの第一のサブフレームのシーケンス番号であり、0≦t_id＜10であり、f_idは前記ランダム・アクセス・プリアンブルを担持するPRACHの第一のサブフレームの第二のPRACHインデックスであり、0≦f_id＜6である。
【０１５０】
３１０。UEは、前記RA-RNTIに従って、前記PDCCHによって担持されるDCIをスクランブル解除する。
【０１５１】
本発明のこの実施形態において提供されるランダム・アクセス方法によれば、UEがランダム・アクセス・プリアンブルを基地局に送り、前記ランダム・アクセス・プリアンブルは、前記UEが第一の送信機能をもつことを示すために使われる。UEは、基地局によってPDCCHを使って送られたDCIを受信し、該DCIに従って、該DCIによって示されるDL-SCH転送ブロックに従って前記基地局によって送られた、前記ランダム・アクセス・プリアンブルについてのランダム・アクセス応答RARを受信し、次いで、前記RARによって担持される上りリンク・スケジューリング情報に従って、UL-SCH転送ブロックを送る。メッセージを送信するためのTTIが直接短縮されるときにUEが正しくメッセージを受信できない従来技術と比べて、DCIが送信時間単位指示情報を担持しており、送信時間単位指示情報および／または転送ブロック指示情報が基地局によって送られるRARの転送ブロックの送信単位の時間長さおよび／またはRARの転送ブロックの位置情報を指示しうるので、たとえ基地局がメッセージを短いTTIで送る場合でも、UEは、転送ブロックの長さおよび／または転送ブロックの位置情報に従って、基地局によって送られたメッセージをいまだ正しく識別し、基地局の送信時間単位指示情報に従って短いTTIにおいて基地局にメッセージを送ることができる。このようにして、情報送信中の送信時間単位の時間長さが短縮され、さらに、ランダム・アクセス時間が短縮される。
【０１５２】
上記の方法実施形態を参照するに、ランダム・アクセス時間を短縮するために、本発明の実施形態はさらに、ランダム・アクセス装置を提供する。装置は基地局に適用される。図５に示されるように、本装置は、受信ユニット５０１、送信ユニット５０２および処理ユニット５０３を含む。
【０１５３】
受信ユニット５０１は、ユーザー装置UEによって送られたランダム・アクセス・プリアンブルを受信するよう構成され、前記ランダム・アクセス・プリアンブルは、前記UEが第一の送信機能をもつことを示すために使われ、前記第一の送信機能は第一の時間長さの送信時間単位を送信する機能である。
【０１５４】
送信ユニット５０２は、物理的下りリンク制御チャネルPDCCHを使って前記UEに下りリンク制御情報DCIを送る段階であって、前記DCIは送信時間単位指示情報および／または転送ブロック指示情報を担持し、前記送信時間単位指示情報は、DL-SCH転送ブロックおよび／または上りリンク共有チャネルUL-SCH転送ブロックの送信時間単位の時間長さを示すために使われ、前記送信時間単位の時間長さは前記第一の時間長さまたは第二の時間長さであり、前記第二の時間長さは前記第一の時間長さより長く、前記転送ブロック指示情報はDL-SCH転送ブロック位置情報および／またはUL-SCH転送ブロック位置情報を含む、段階と、前記DCIによって示される前記DL-SCH転送ブロックを使って、前記ランダム・アクセス・プリアンブルについてのランダム・アクセス応答RARを前記UEに送る段階とを実行するよう構成される。
【０１５５】
処理ユニット５０３は、前記RARによって担持される上りリンク・スケジューリング情報に従って前記UEによって送られたUL-SCH転送ブロックを受信するよう受信ユニット５０１を制御するよう構成される。
【０１５６】
メッセージを送信するためのTTIが直接短縮されるときにUEが正しくメッセージを受信できない従来技術と比べて、本発明のこの実施形態において提供されるランダム・アクセス装置については、DCIが送信時間単位指示情報を担持しており、送信時間単位指示情報および／または転送ブロック指示情報が基地局によって送られるRARの転送ブロックの送信単位の時間長さおよび／またはRARの転送ブロックの位置情報を指示しうるので、たとえ基地局がメッセージを短いTTIで送る場合でも、UEは、転送ブロックの長さおよび／または転送ブロックの位置情報に従って、基地局によって送られたメッセージをいまだ正しく識別できる。さらに、UEも、基地局の送信時間単位指示情報に従って短いTTIにおいて基地局にメッセージを送ってもよい。このようにして、情報送信中の送信時間単位の時間長さが短縮され、さらに、ランダム・アクセス時間が短縮される。
【０１５７】
本発明のもう一つの実施形態では、処理ユニット５０３はさらに：
前記DCIが前記送信時間単位指示情報を担持するときは、前記ランダム・アクセス・プリアンブルについての前記RARを担持する前記DL-SCH転送ブロックを、前記UEに送るよう前記送信ユニット５０２を制御する段階であって、前記DL-SCH転送ブロックの送信時間単位の時間長さは前記送信時間単位指示情報によって示される時間長さであり、前記DL-SCH転送ブロックの送信時間単位は、PDCCHの送信時間単位に隣接する送信時間単位またはPDCCHの送信時間単位である、段階；
前記DCIが前記転送ブロック指示情報を担持するときは、前記ランダム・アクセス・プリアンブルについての前記RARを担持する前記DL-SCH転送ブロックを、前記転送ブロック指示情報によって示されるDL-SCH転送ブロック位置情報によって示される位置において、前記UEに送るよう前記送信ユニット５０２を制御する段階であって、前記DL-SCH転送ブロックの送信時間単位の時間長さは事前設定された時間長さであり、前記DL-SCH転送ブロック位置情報は、前記DL-SCH転送ブロックの時間領域資源および／または周波数領域資源についての情報を含む、段階；または
前記DCIが前記送信時間単位指示情報および前記転送ブロック指示情報を担持するときは、前記ランダム・アクセス・プリアンブルについての前記RARを担持する前記DL-SCH転送ブロックを、前記転送ブロック指示情報によって示されるDL-SCH転送ブロック位置情報によって示される位置において、前記UEに送るよう前記送信ユニット５０２を制御する段階であって、前記DL-SCH転送ブロックの送信時間単位の時間長さは前記送信時間単位指示情報によって示される時間長さである、段階を実行するよう構成される。
【０１５８】
本発明のもう一つの実施形態では、処理ユニット５０３はさらに：
前記DCIが前記送信時間単位指示情報を担持するときは、前記RARによって担持される上りリンク・スケジューリング情報に従って前記UEによって送られたUL-SCH転送ブロックを、該UL-SCH転送ブロックの事前設定された時間領域資源で前記送信時間単位指示情報に従って受信するよう前記受信ユニット５０１を制御する段階であって、前記UL-SCH転送ブロックの送信時間単位の時間長さは前記送信時間単位指示情報によって示される時間長さである、段階；
前記DCIが前記転送ブロック指示情報を担持するときは、前記RARによって担持される上りリンク・スケジューリング情報に従って前記UEによって送られたUL-SCH転送ブロックを、前記DCIによって担持される前記転送ブロック指示情報に従って、かつ、前記転送ブロック指示情報によって示されるUL-SCH転送ブロック位置情報によって示される位置において、受信するよう前記受信ユニット５０１を制御する段階であって、前記UL-SCH転送ブロック位置情報は、前記UL-SCH転送ブロックの時間領域資源および／または周波数領域資源についての情報を含み、前記UL-SCH転送ブロックの前記送信時間単位の時間長さは前記送信時間単位の事前設定された時間長さである、段階；または
前記DCIが前記送信時間単位指示情報および前記転送ブロック指示情報を担持するときは、前記RARによって担持される上りリンク・スケジューリング情報に従って前記UEによって送られたUL-SCH転送ブロックを、前記DCIによって担持される前記送信時間単位指示情報および前記転送ブロック指示情報に従って、かつ、前記転送ブロック指示情報によって示されるUL-SCH転送ブロック位置情報によって示される位置において、受信するよう前記受信ユニット５０１を制御する段階であって、前記UL-SCH転送ブロックの前記送信時間単位の時間長さは前記送信時間単位指示情報によって示される時間長さである、段階を実行するよう構成される。
【０１５９】
本発明のこの実施形態では、DCIが送信時間単位指示情報を担持しており、送信時間単位指示情報および／または転送ブロック指示情報が基地局によって送られるRARの転送ブロックの送信単位の時間長さおよび／またはRARの転送ブロックの位置情報を指示しうるので、たとえ基地局がメッセージを短いTTIで送る場合でも、UEは、転送ブロックの長さおよび／または転送ブロックの位置情報に従って、基地局によって送られたメッセージをいまだ正しく識別し、基地局の送信時間単位指示情報に従って短いTTIにおいて基地局にメッセージを送ることができる。よって、基地局も、DCIによって担持される送信時間単位指示情報および／または転送ブロック指示情報に従って、UEによって送られたUL-SCH転送ブロックを正しく受信することができる。このようにして、情報送信中の送信時間単位の時間長さが短縮され、さらに、ランダム・アクセス時間が短縮される。
【０１６０】
本発明のもう一つの実施形態では、図６に示されるように、処理ユニット５０３は、決定モジュール５０３１およびスクランブル・モジュール５０３２を含む。
【０１６１】
決定モジュール５０３１は、前記受信ユニット５０１によって受信された前記ランダム・アクセス・プリアンブルに従って、前記DCIのフォーマットが第一のDCIフォーマットであることを決定するよう構成されており、前記第一のDCIフォーマットは前記第一の送信機能をもつUEによってのみ検出されるDCIフォーマットである。
【０１６２】
決定モジュール５０３１はさらに、前記受信ユニット５０１によって受信された前記ランダム・アクセス・プリアンブルに従って、前記DCIのフォーマットがDCIフォーマット1AまたはDCIフォーマット1Cであることを決定するよう構成される。ここで、前記DCIフォーマット1Aおよび前記DCIフォーマット1Cのそれぞれには、前記送信時間単位指示情報および／または前記転送ブロック指示情報を担持するために使われるビット・フィールドが存在する。
【０１６３】
DCIのフォーマットがDCIフォーマット1Aである場合、DCIにおけるMCSビット・フィールドにおけるビット情報が、前記送信時間単位指示情報を示すために使われる。
【０１６４】
DCIのフォーマットがDCIフォーマット1Cである場合、DCIにおける、新規データ・インジケーターNDIビット・フィールド、冗長性バージョンRVビット・フィールドおよび送信電力TPCビット・フィールドの最上位ビット（MSB）ビット・フィールドのうちの少なくとも一つにおけるビット・フィールドのビット情報が、前記送信時間単位指示情報および／または前記転送ブロック指示情報を示すために使われる。
【０１６５】
スクランブル・モジュール５０３２は、前記PDCCHによって担持されるDCIを、ランダム・アクセス無線ネットワーク一時識別子RA-RNTIに従って、スクランブルするよう構成される。前記RA-RNTIは(1＋t_id＋10*f_id＋X)  mod  Y＋1であり、XおよびYの値は整数である；または前記RA-RNTIは65301＋(10*t_id＋f_id)  mod  9である。ここで、t_idは基地局によって検出される、前記ランダム・アクセス・プリアンブルを担持するPRACHの第一のサブフレームのシーケンス番号であり、0≦t_id＜10であり、f_idは前記ランダム・アクセス・プリアンブルを担持するPRACHの第一のサブフレームの第二のPRACHインデックスであり、0≦f_id＜6である。
【０１６６】
本発明のこの実施形態において提供されるランダム・アクセス装置によれば、受信ユニットがユーザー装置UEによって送られたランダム・アクセス・プリアンブルを受信し、前記ランダム・アクセス・プリアンブルは、前記UEが第一の送信機能をもつことを示すために使われる。送信ユニットが、UEがDCIに従ってランダム・アクセス・プリアンブルについてのRARを受信することができるよう、PDCCHを使って前記UEにDCIを送り、該DCIによって示されるDL-SCH転送ブロックを使って、前記ランダム・アクセス・プリアンブルについてのRARを前記UEに送る。受信ユニットは、前記RARによって担持される上りリンク・スケジューリング情報に従って前記UEによって送られたUL-SCH転送ブロックを受信する。メッセージを送信するためのTTIが直接短縮されるときにUEが正しくメッセージを受信できない従来技術と比べて、DCIが送信時間単位指示情報を担持しており、送信時間単位指示情報および／または転送ブロック指示情報が基地局によって送られるRARの転送ブロックの送信単位の時間長さおよび／またはRARの転送ブロックの位置情報を指示しうるので、たとえ基地局がメッセージを短いTTIで送る場合でも、UEは、転送ブロックの長さおよび／または転送ブロックの位置情報に従って、基地局によって送られたメッセージをいまだ正しく識別できる。さらに、UEも、基地局の送信時間単位指示情報に従って短いTTIにおいて基地局にメッセージを送ってもよい。このようにして、情報送信中の送信時間単位の時間長さが短縮され、さらに、ランダム・アクセス時間が短縮される。
【０１６７】
ランダム・アクセス時間を短縮するために、本発明のある実施形態はさらに、ランダム・アクセス装置を提供する。本装置は、ユーザー装置UEに適用される。図７に示されるように、本装置は、送信ユニット７０１、受信ユニット７０２および処理ユニット７０３を含む。
【０１６８】
送信ユニット７０１は、ランダム・アクセス・プリアンブルを基地局に送るよう構成される。前記ランダム・アクセス・プリアンブルは、前記UEが第一の送信機能をもつことを示すために使われ、前記第一の送信機能は第一の時間長さの送信時間単位を送信する機能である。
【０１６９】
受信ユニット７０２は、前記基地局によって物理的下りリンク制御チャネルPDCCHを使って送られた下りリンク制御情報DCIを受信するよう構成され、前記DCIは送信時間単位指示情報および／または転送ブロック指示情報を担持し、前記送信時間単位指示情報は、DL-SCH転送ブロックおよび／または上りリンク共有チャネルUL-SCH転送ブロックの送信時間単位の時間長さを示すために使われ、前記送信時間単位の時間長さは前記第一の時間長さまたは第二の時間長さであり、前記第二の時間長さは前記第一の時間長さより長く、前記転送ブロック指示情報はDL-SCH転送ブロック位置情報および／またはUL-SCH転送ブロック位置情報を含む。
【０１７０】
処理ユニット７０３は、前記DCIによって示される前記DL-SCH転送ブロックに従って前記基地局によって送られた、前記ランダム・アクセス・プリアンブルについてのランダム・アクセス応答RARを、前記DCIに従って受信するよう前記受信ユニット７０２を制御し；前記RARによって担持される上りリンク・スケジューリング情報に従って、UL-SCH転送ブロックを送るよう前記送信ユニット７０１を制御するよう構成される。
【０１７１】
メッセージを送信するためのTTIが直接短縮されるときにUEが正しくメッセージを受信できない従来技術と比べて、本発明のこの実施形態において提供されるランダム・アクセス装置については、DCIが送信時間単位指示情報を担持しており、送信時間単位指示情報および／または転送ブロック指示情報が基地局によって送られるRARの転送ブロックの送信単位の時間長さおよび／またはRARの転送ブロックの位置情報を指示しうるので、たとえ基地局がメッセージを短いTTIで送る場合でも、UEは、転送ブロックの長さおよび／または転送ブロックの位置情報に従って、基地局によって送られたメッセージをいまだ正しく識別し、基地局の送信時間単位指示情報に従って短いTTIにおいて基地局にメッセージを送ることができる。このようにして、情報送信中の送信時間単位の時間長さが短縮され、さらに、ランダム・アクセス時間が短縮される。
【０１７２】
本発明のもう一つの実施形態では、処理ユニット７０３はさらに：
前記DCIが前記送信時間単位指示情報を担持するときは、前記基地局によって送られた、前記ランダム・アクセス・プリアンブルについての前記RARを担持する前記DL-SCH転送ブロックを受信するよう前記受信ユニット７０２を制御する段階であって、前記DL-SCH転送ブロックの送信時間単位の時間長さは前記送信時間単位指示情報によって示される時間長さであり、前記DL-SCH転送ブロックの送信時間単位は、PDCCHの送信時間単位に隣接する送信時間単位またはPDCCHの送信時間単位である、段階；
前記DCIが前記転送ブロック指示情報を担持するときは、前記基地局によって送られた、前記ランダム・アクセス・プリアンブルについての前記RARを担持する前記DL-SCH転送ブロックを、前記転送ブロック指示情報によって示されるDL-SCH転送ブロック位置情報によって示される位置において受信するよう前記受信ユニット７０２を制御する段階であって、前記DL-SCH転送ブロックの送信時間単位の時間長さは事前設定された時間長さであり、前記DL-SCH転送ブロック位置情報は、前記DL-SCH転送ブロックの時間領域資源および／または周波数領域資源についての情報を含む、段階；または
前記DCIが前記送信時間単位指示情報および前記転送ブロック指示情報を担持するときは、前記基地局によって送られた、前記ランダム・アクセス・プリアンブルについての前記RARを担持する前記DL-SCH転送ブロックを、前記転送ブロック指示情報によって示されるDL-SCH転送ブロック位置情報によって示される位置において受信するよう前記受信ユニット７０２を制御する段階であって、前記DL-SCH転送ブロックの送信時間単位の時間長さは前記送信時間単位指示情報によって示される時間長さである、段階を実行するよう構成される。
【０１７３】
本発明のもう一つの実施形態では、処理ユニット７０３はさらに：
前記DCIが前記送信時間単位指示情報を担持するときは、前記RARによって担持される上りリンク・スケジューリング情報および前記送信時間単位指示情報に従って、前記UL-SCH転送ブロックを、前記UL-SCH転送ブロックの事前設定された時間領域資源上で前記基地局に送るよう前記送信ユニット７０１を制御する段階であって、前記UL-SCH転送ブロックの送信時間単位の時間長さは前記送信時間単位指示情報によって示される時間長さである、段階；
前記DCIが前記転送ブロック指示情報を担持するときは、前記RARによって担持される上りリンク・スケジューリング情報および前記DCIによって担持される前記転送ブロック指示情報に従って、前記UL-SCH転送ブロックを、前記転送ブロック指示情報によって示されるUL-SCH転送ブロック位置情報によって示される位置において、前記基地局に送るよう前記送信ユニット７０１を制御する段階であって、前記UL-SCH転送ブロックの前記送信時間単位の時間長さは事前設定された時間長さであり、前記UL-SCH転送ブロック位置情報は、前記UL-SCH転送ブロックの時間領域資源および／または周波数領域資源についての情報を含む、段階；または
前記DCIが前記送信時間単位指示情報および前記転送ブロック指示情報を担持するときは、前記RARによって担持される上りリンク・スケジューリング情報ならびに前記DCIによって担持される前記送信時間単位指示情報および前記転送ブロック指示情報に従って、前記UL-SCH転送ブロックを、前記転送ブロック指示情報によって示されるUL-SCH転送ブロック位置情報によって示される位置において、前記基地局に送るよう前記送信ユニット７０１を制御する段階であって、前記UL-SCH転送ブロックの前記送信時間単位の時間長さは前記送信時間単位指示情報によって示される時間長さである、段階を実行するよう構成される。
【０１７４】
本発明のこの実施形態では、DCIが送信時間単位指示情報を担持しており、送信時間単位指示情報および／または転送ブロック指示情報がUEが基地局に短いTTIでメッセージを送ることを示しうるので、基地局も、DCIによって担持される送信時間単位指示情報および／または転送ブロック指示情報に従って、UEによって送られたUL-SCH転送ブロックを正しく受信することができる。このようにして、情報送信中の送信時間単位の時間長さが短縮され、さらに、ランダム・アクセス時間が短縮される。
【０１７５】
本発明のもう一つの実施形態では、図８に示されるように、処理ユニット７０３は、判別モジュール７０３１、取得モジュール７０３２およびスクランブル解除モジュール７０３３を含む。
【０１７６】
判別モジュール７０３１は、前記受信ユニット７０２によって受信された受信DCIのフォーマットを判別するよう構成される。
【０１７７】
取得モジュール７０３２は、前記判別モジュール７０３１が、前記DCIのフォーマットが第一のDCIフォーマットであると判別する場合、前記DCIから前記送信時間単位指示情報および／または前記転送ブロック指示情報を取得する段階であって、前記第一のDCIフォーマットは前記第一の送信機能をもつUEによってのみ検出されるDCIフォーマットである、段階；
前記DCIのフォーマットがDCIフォーマット1Aである場合、DCIにおけるMCSビット・フィールドにおけるビット情報から、前記送信時間単位指示情報を取得する段階；または
前記DCIのフォーマットがDCIフォーマット1Cである場合、DCIにおける、新規データ・インジケーターNDIビット・フィールド、冗長性バージョンRVビット・フィールドおよび送信電力TPCビット・フィールドの最上位ビット（MSB）ビット・フィールドのうちの少なくとも一つにおけるビット・フィールドのビット情報から、前記送信時間単位指示情報および／または前記転送ブロック指示情報を取得する段階を実行するよう構成される。
【０１７８】
判別モジュール７０３１はさらに、ランダム・アクセス無線ネットワーク一時識別子RA-RNTIを決定するよう構成され、前記RA-RNTIは(1＋t_id＋10*f_id＋X)  mod  Y＋1であり、XおよびYの値は整数である；または前記RA-RNTIは65301＋(10*t_id＋f_id)  mod  9であり、ここで、t_idは、前記ランダム・アクセス・プリアンブルを担持するPRACHの第一のサブフレームのシーケンス番号であり、0≦t_id＜10であり、f_idは前記ランダム・アクセス・プリアンブルを担持するPRACHの第一のサブフレームの第二のPRACHインデックスであり、0≦f_id＜6である。
【０１７９】
スクランブル解除モジュール７０３３は、前記判別モジュール７０３１によって決定された前記RA-RNTIに従って、前記PDCCHによって担持されるDCIをスクランブル解除するよう構成される。
【０１８０】
本発明のこの実施形態において提供されるランダム・アクセス装置によれば、送信ユニットがランダム・アクセス・プリアンブルを基地局に送り、前記ランダム・アクセス・プリアンブルは、前記UEが第一の送信機能をもつことを示すために使われる。受信ユニットは、前記基地局によってPDCCHを使って送られたDCIを受信し、前記DCIによって示される前記DL-SCH転送ブロックに従って前記基地局によって送られた、前記ランダム・アクセス・プリアンブルについてのランダム・アクセス応答RARを、前記DCIに従って受信する。次いで、送信ユニットは、前記RARによって担持される上りリンク・スケジューリング情報に従って、UL-SCH転送ブロックを送る。メッセージを送信するためのTTIが直接短縮されるときにUEが正しくメッセージを受信できない従来技術と比べて、DCIが送信時間単位指示情報を担持しており、送信時間単位指示情報および／または転送ブロック指示情報が基地局によって送られるRARの転送ブロックの送信単位の時間長さおよび／またはRARの転送ブロックの位置情報を指示しうるので、たとえ基地局がメッセージを短いTTIで送る場合でも、UEは、転送ブロックの長さおよび／または転送ブロックの位置情報に従って、基地局によって送られたメッセージをいまだ正しく識別し、基地局の送信時間単位指示情報に従って短いTTIにおいて基地局にメッセージを送ることができる。このようにして、情報送信中の送信時間単位の時間長さが短縮され、さらに、ランダム・アクセス時間が短縮される。
【０１８１】
本発明のある実施形態はさらに、ランダム・アクセス装置を提供する。図９に示されるように、本装置は図５および図６に記載される基地局のハードウェアの概略的な構造図である。基地局はメモリ９０１、プロセッサ９０２、受信器９０３、送信器９０４およびバス９０５を含んでいてもよい。
【０１８２】
メモリ９０１はROM（Read-Only  Memory［読み出し専用メモリ］）、静的記憶装置、動的記憶装置またはRAM（Random  Access  Memory［ランダムアクセスメモリ］）であってもよい。メモリ９０１はオペレーティング・システムおよび他のアプリケーション・プログラムを記憶してもよい。ソフトウェアまたはファームウェアを使って本発明のこの実施形態において提供される技術的解決策の実装の間、本発明のこの実施形態において提供される技術的解決策を実装するためのプログラム・コードがメモリ９０１に記憶され、プロセッサ９０２によって実行される。
【０１８３】
受信器９０３は、本装置と別の装置または通信ネットワーク（たとえばこれに限られないが、イーサネット、RAN（Radio  Access  Network［無線アクセス・ネットワーク］）またはWLAN（Wireless  Local  Area  Network［無線ローカルエリアネットワーク］））との間の通信を実装するよう構成される。
【０１８４】
プロセッサ９０２は、本発明のこの実施形態において提供される技術的解決策を実装するための関連プログラムを実行するための中央処理ユニット（Central  Processing  Unit、CPU）、マイクロプロセッサ、特定用途向け集積回路（Application-Specific  Integrated  Circuit、ASIC）または一つまたは複数の集積回路であってもよい。
【０１８５】
バス９０５は、本装置のコンポーネント（メモリ９０１、受信器９０３、送信器９０４およびプロセッサ９０２など）の間で情報を伝送するためのチャネルを含んでいてもよい。
【０１８６】
図９に示されるハードウェアはメモリ９０１、受信器９０３、送信器９０４、プロセッサ９０２およびバス９０４を特定の実装プロセスにおいて示しているだけだが、当業者は、本装置が、正常な実行を実現するために必要な別の装置をさらに含むことを理解するはずであることを注意しておくべきである。さらに、当業者は、個別的な要件に応じて、端末が別の機能を実装するためのハードウェア装置をさらに含んでいてもよいことを理解するはずである。
【０１８７】
具体的には、図９に示される基地局が図５および図６の実施形態に示される装置を実装するよう構成されるとき、本装置における受信器９０３は、ユーザー装置UEによって送られたランダム・アクセス・プリアンブルを受信するよう構成され、前記ランダム・アクセス・プリアンブルは、前記UEが第一の送信機能をもつことを示すために使われ、前記第一の送信機能は第一の時間長さの送信時間単位を送信する機能である。
【０１８８】
送信器９０４は、物理的下りリンク制御チャネルPDCCHを使って前記UEに下りリンク制御情報DCIを送るよう構成され、前記DCIは送信時間単位指示情報および／または転送ブロック指示情報を担持し、前記送信時間単位指示情報は、DL-SCH転送ブロックおよび／または上りリンク共有チャネルUL-SCH転送ブロックの送信時間単位の時間長さを示すために使われ、前記送信時間単位の時間長さは前記第一の時間長さまたは第二の時間長さであり、前記第二の時間長さは前記第一の時間長さより長く、前記転送ブロック指示情報はDL-SCH転送ブロック位置情報および／またはUL-SCH転送ブロック位置情報を含む。
【０１８９】
プロセッサ９０２は受信器９０３および送信器９０４に結合され、プログラム命令の実行を制御するよう構成され、具体的には、前記DCIによって示される前記DL-SCH転送ブロックを使って、前記ランダム・アクセス・プリアンブルについてのランダム・アクセス応答RARを前記UEに送るよう構成される。
【０１９０】
受信器９０３は、前記RARによって担持される上りリンク・スケジューリング情報に従って前記UEによって送られたUL-SCH転送ブロックを受信するようさらに構成される。
【０１９１】
本発明のこの実施形態において提供される基地局によれば、受信器が、ユーザー装置UEによって送られたランダム・アクセス・プリアンブルを受信し、前記ランダム・アクセス・プリアンブルは、前記UEが第一の送信機能をもつことを示すために使われる。送信器は、UEがDCIに従ってランダム・アクセス・プリアンブルについてのRARを受信できるよう、PDCCHを使って前記UEにDCIを送り、DCIによって示されるDL-SCH転送ブロックを使って、前記ランダム・アクセス・プリアンブルについてのRARを前記UEに送る。次いで、受信器は、RARによって担持される上りリンク・スケジューリング情報に従ってUEによって送られたUL-SCH転送ブロックを受信する。メッセージを送信するためのTTIが直接短縮されるときにUEが正しくメッセージを受信できない従来技術と比べて、DCIが送信時間単位指示情報を担持しており、送信時間単位指示情報および／または転送ブロック指示情報が基地局によって送られるRARの転送ブロックの送信単位の時間長さおよび／またはRARの転送ブロックの位置情報を指示しうるので、たとえ基地局がメッセージを短いTTIで送る場合でも、UEは、転送ブロックの長さおよび／または転送ブロックの位置情報に従って、基地局によって送られたメッセージをいまだ正しく識別できる。さらに、UEも、基地局の送信時間単位指示情報に従って短いTTIにおいて基地局にメッセージを送ってもよい。このようにして、情報送信中の送信時間単位の時間長さが短縮され、さらに、ランダム・アクセス時間が短縮される。
【０１９２】
本発明のもう一つの実施形態では、プロセッサ９０２はさらに：
前記DCIが前記送信時間単位指示情報を担持するときは、前記ランダム・アクセス・プリアンブルについての前記RARを担持する前記DL-SCH転送ブロックを、前記UEに送るよう前記送信器９０４を制御する段階であって、前記DL-SCH転送ブロックの送信時間単位の時間長さは前記送信時間単位指示情報によって示される時間長さであり、前記DL-SCH転送ブロックの送信時間単位は、PDCCHの送信時間単位に隣接する送信時間単位またはPDCCHの送信時間単位である、段階；
前記DCIが前記転送ブロック指示情報を担持するときは、前記ランダム・アクセス・プリアンブルについての前記RARを担持する前記DL-SCH転送ブロックを、前記転送ブロック指示情報によって示されるDL-SCH転送ブロック位置情報によって示される位置において、前記UEに送るよう前記送信器９０４を制御する段階であって、前記DL-SCH転送ブロックの送信時間単位の時間長さは事前設定された時間長さであり、前記DL-SCH転送ブロック位置情報は、前記DL-SCH転送ブロックの時間領域資源および／または周波数領域資源についての情報を含む、段階；または
前記DCIが前記送信時間単位指示情報および前記転送ブロック指示情報を担持するときは、前記ランダム・アクセス・プリアンブルについての前記RARを担持する前記DL-SCH転送ブロックを、前記転送ブロック指示情報によって示されるDL-SCH転送ブロック位置情報によって示される位置において、前記UEに送るよう前記送信器９０４を制御する段階であって、前記DL-SCH転送ブロックの送信時間単位の時間長さは前記送信時間単位指示情報によって示される時間長さである、段階を実行するよう構成される。
【０１９３】
本発明のもう一つの実施形態では、プロセッサ９０２はさらに：
前記DCIが前記送信時間単位指示情報を担持するときは、前記RARによって担持される上りリンク・スケジューリング情報に従って前記UEによって送られたUL-SCH転送ブロックを、該UL-SCH転送ブロックの事前設定された時間領域資源で前記送信時間単位指示情報に従って受信するよう前記受信器９０３を制御する段階であって、前記UL-SCH転送ブロックの送信時間単位の時間長さは前記送信時間単位指示情報によって示される時間長さである、段階；
前記DCIが前記転送ブロック指示情報を担持するときは、前記RARによって担持される上りリンク・スケジューリング情報に従って前記UEによって送られたUL-SCH転送ブロックを、前記DCIによって担持される前記転送ブロック指示情報に従って、かつ、前記転送ブロック指示情報によって示されるUL-SCH転送ブロック位置情報によって示される位置において、受信するよう前記受信器９０３を制御する段階であって、前記UL-SCH転送ブロック位置情報は、前記UL-SCH転送ブロックの時間領域資源および／または周波数領域資源についての情報を含み、前記UL-SCH転送ブロックの前記送信時間単位の時間長さは前記送信時間単位の事前設定された時間長さである、段階；または
前記DCIが前記送信時間単位指示情報および前記転送ブロック指示情報を担持するときは、前記RARによって担持される上りリンク・スケジューリング情報に従って前記UEによって送られたUL-SCH転送ブロックを、前記DCIによって担持される前記送信時間単位指示情報および前記転送ブロック指示情報に従って、かつ、前記転送ブロック指示情報によって示されるUL-SCH転送ブロック位置情報によって示される位置において、受信するよう前記受信器９０３を制御する段階であって、前記UL-SCH転送ブロックの前記送信時間単位の時間長さは前記送信時間単位指示情報によって示される時間長さである、段階を実行するよう構成される。
【０１９４】
本発明のこの実施形態では、DCIが送信時間単位指示情報を担持しており、送信時間単位指示情報および／または転送ブロック指示情報が基地局によって送られるRARの転送ブロックの送信単位の時間長さおよび／またはRARの転送ブロックの位置情報を指示しうるので、たとえ基地局がメッセージを短いTTIで送る場合でも、UEは、転送ブロックの長さおよび／または転送ブロックの位置情報に従って、基地局によって送られたメッセージをいまだ正しく識別し、基地局の送信時間単位指示情報に従って短いTTIにおいて基地局にメッセージを送ることができる。よって、基地局も、DCIによって担持される送信時間単位指示情報および／または転送ブロック指示情報に従って、UEによって送られたUL-SCH転送ブロックを正しく受信することができる。このようにして、情報送信中の送信時間単位の時間長さが短縮され、さらに、ランダム・アクセス時間が短縮される。
【０１９５】
プロセッサ９０２はさらに、前記受信器９０３によって受信された前記ランダム・アクセス・プリアンブルに従って、前記DCIのフォーマットが第一のDCIフォーマットであることを判別するよう構成されており、前記第一のDCIフォーマットは前記第一の送信機能をもつUEによってのみ検出されるDCIフォーマットである。
【０１９６】
プロセッサ９０２はさらに、前記受信器９０３によって受信された前記ランダム・アクセス・プリアンブルに従って、前記DCIのフォーマットがDCIフォーマット1AまたはDCIフォーマット1Cであることを判別するよう構成される。ここで、前記DCIフォーマット1Aおよび前記DCIフォーマット1Cのそれぞれには、前記送信時間単位指示情報および／または前記転送ブロック指示情報を担持するために使われるビット・フィールドが存在する。
【０１９７】
DCIのフォーマットがDCIフォーマット1Aである場合、DCIにおけるMCSビット・フィールドにおけるビット情報が、前記送信時間単位指示情報を示すために使われる。
【０１９８】
DCIのフォーマットがDCIフォーマット1Cである場合、DCIにおける、新規データ・インジケーターNDIビット・フィールド、冗長性バージョンRVビット・フィールドおよび送信電力TPCビット・フィールドの最上位ビット（MSB）ビット・フィールドのうちの少なくとも一つにおけるビット・フィールドのビット情報が、前記送信時間単位指示情報および／または前記転送ブロック指示情報を示すために使われる。
【０１９９】
本発明のもう一つの実施形態では、プロセッサ９０２はさらに、前記PDCCHによって担持されるDCIを、ランダム・アクセス無線ネットワーク一時識別子RA-RNTIに従って、スクランブルするよう構成される。前記RA-RNTIは(1＋t_id＋10*f_id＋X)  mod  Y＋1であり、XおよびYの値は整数である；または前記RA-RNTIは65301＋(10*t_id＋f_id)  mod  9である。ここで、t_idは基地局によって検出される、前記ランダム・アクセス・プリアンブルを担持するPRACHの第一のサブフレームのシーケンス番号であり、0≦t_id＜10であり、f_idは前記ランダム・アクセス・プリアンブルを担持するPRACHの第一のサブフレームの第二のPRACHインデックスであり、0≦f_id＜6である。
【０２００】
本発明のこの実施形態において提供される基地局によれば、受信器がユーザー装置UEによって送られたランダム・アクセス・プリアンブルを受信し、前記ランダム・アクセス・プリアンブルは、前記UEが第一の送信機能をもつことを示すために使われる。送信器が、UEがDCIに従ってランダム・アクセス・プリアンブルについてのRARを受信することができるよう、PDCCHを使って前記UEにDCIを送り、該DCIによって示されるDL-SCH転送ブロックを使って、前記ランダム・アクセス・プリアンブルについてのRARを前記UEに送る。次いで、受信器は、前記RARによって担持される上りリンク・スケジューリング情報に従って前記UEによって送られたUL-SCH転送ブロックを受信する。メッセージを送信するためのTTIが直接短縮されるときにUEが正しくメッセージを受信できない従来技術と比べて、DCIが送信時間単位指示情報を担持しており、送信時間単位指示情報および／または転送ブロック指示情報が基地局によって送られるRARの転送ブロックの送信単位の時間長さおよび／またはRARの転送ブロックの位置情報を指示しうるので、たとえ基地局がメッセージを短いTTIで送る場合でも、UEは、転送ブロックの長さおよび／または転送ブロックの位置情報に従って、基地局によって送られたメッセージをいまだ正しく識別できる。さらに、UEも、基地局の送信時間単位指示情報に従って短いTTIにおいて基地局にメッセージを送ってもよい。このようにして、情報送信中の送信時間単位の時間長さが短縮され、さらに、ランダム・アクセス時間が短縮される。
【０２０１】
本発明のある実施形態はさらに、ランダム・アクセス装置を提供する。図１０に示されるように、本装置は図７および図８に記載されるUEのハードウェアの概略的な構造図である。UEはメモリ１００１、プロセッサ１００２、受信器１００３、送信器１００４およびバス１００５を含んでいてもよい。
【０２０２】
メモリ１００１はROM（Read-Only  Memory［読み出し専用メモリ］）、静的記憶装置、動的記憶装置またはRAM（Random  Access  Memory［ランダムアクセスメモリ］）であってもよい。メモリ９０１はオペレーティング・システムおよび他のアプリケーション・プログラムを記憶してもよい。ソフトウェアまたはファームウェアを使って本発明のこの実施形態において提供される技術的解決策の実装の間、本発明のこの実施形態において提供される技術的解決策を実装するためのプログラム・コードがメモリ１００１に記憶され、プロセッサ１００２によって実行される。
【０２０３】
受信器１００３は、本装置と別の装置または通信ネットワーク（たとえばこれに限られないが、イーサネット、RAN（Radio  Access  Network［無線アクセス・ネットワーク］）またはWLAN（Wireless  Local  Area  Network［無線ローカルエリアネットワーク］））との間の通信を実装するよう構成される。
【０２０４】
プロセッサ１００２は、本発明のこの実施形態において提供される技術的解決策を実装するための関連プログラムを実行するための中央処理ユニット（Central  Processing  Unit、CPU）、マイクロプロセッサ、特定用途向け集積回路（Application-Specific  Integrated  Circuit、ASIC）または一つまたは複数の集積回路であってもよい。
【０２０５】
バス１００５は、本装置のコンポーネント（メモリ１００１、受信器１００３、送信器１００４およびプロセッサ１００２など）の間で情報を伝送するためのチャネルを含んでいてもよい。
【０２０６】
図１０に示されるハードウェアはメモリ１００１、受信器１００３、送信器１００４、プロセッサ１００２およびバス１００４を特定の実装プロセスにおいて示しているだけだが、当業者は、本装置が、正常な実行を実現するために必要な別の装置をさらに含むことを理解するはずであることを注意しておくべきである。さらに、当業者は、個別的な要件に応じて、端末が別の機能を実装するためのハードウェア装置をさらに含んでいてもよいことを理解するはずである。
【０２０７】
具体的には、図１０に示されるUEが図７および図８の実施形態に示される装置を実装するよう構成されるとき、本装置における送信器１００４は、ランダム・アクセス・プリアンブルを基地局に送るよう構成される。前記ランダム・アクセス・プリアンブルは、前記UEが第一の送信機能をもつことを示すために使われ、前記第一の送信機能は第一の時間長さの送信時間単位を送信する機能である。
【０２０８】
受信器１００３は、前記基地局によって物理的下りリンク制御チャネルPDCCHを使って送られた下りリンク制御情報DCIを受信するよう構成され、前記DCIは送信時間単位指示情報および／または転送ブロック指示情報を担持し、前記送信時間単位指示情報は、DL-SCH転送ブロックおよび／または上りリンク共有チャネルUL-SCH転送ブロックの送信時間単位の時間長さを示すために使われ、前記送信時間単位の時間長さは前記第一の時間長さまたは第二の時間長さであり、前記第二の時間長さは前記第一の時間長さより長く、前記転送ブロック指示情報はDL-SCH転送ブロック位置情報および／またはUL-SCH転送ブロック位置情報を含む。
【０２０９】
プロセッサ１００２は、送信器１００４および受信器１００３に結合され、プログラム命令の実行を制御するよう構成される。具体的には、前記DCIによって示される前記DL-SCH転送ブロックに従って前記基地局によって送られた、前記ランダム・アクセス・プリアンブルについてのランダム・アクセス応答RARを、前記DCIに従って受信するよう前記受信器１００３を制御し；前記RARによって担持される上りリンク・スケジューリング情報に従って、UL-SCH転送ブロックを送るよう前記送信器１００４を制御するよう構成される。
【０２１０】
本発明のもう一つの実施形態では、プロセッサ１００２はさらに：
前記DCIが前記送信時間単位指示情報を担持するときは、前記基地局によって送られた、前記ランダム・アクセス・プリアンブルについての前記RARを担持する前記DL-SCH転送ブロックを受信するよう前記受信器１００３を制御する段階であって、前記DL-SCH転送ブロックの送信時間単位の時間長さは前記送信時間単位指示情報によって示される時間長さであり、前記DL-SCH転送ブロックの送信時間単位は、PDCCHの送信時間単位に隣接する送信時間単位またはPDCCHの送信時間単位である、段階；
前記DCIが前記転送ブロック指示情報を担持するときは、前記基地局によって送られた、前記ランダム・アクセス・プリアンブルについての前記RARを担持する前記DL-SCH転送ブロックを、前記転送ブロック指示情報によって示されるDL-SCH転送ブロック位置情報によって示される位置において受信するよう前記受信器１００３を制御する段階であって、前記DL-SCH転送ブロックの送信時間単位の時間長さは事前設定された時間長さであり、前記DL-SCH転送ブロック位置情報は、前記DL-SCH転送ブロックの時間領域資源および／または周波数領域資源についての情報を含む、段階；または
前記DCIが前記送信時間単位指示情報および前記転送ブロック指示情報を担持するときは、前記基地局によって送られた、前記ランダム・アクセス・プリアンブルについての前記RARを担持する前記DL-SCH転送ブロックを、前記転送ブロック指示情報によって示されるDL-SCH転送ブロック位置情報によって示される位置において受信するよう前記受信器１００３を制御する段階であって、前記DL-SCH転送ブロックの送信時間単位の時間長さは前記送信時間単位指示情報によって示される時間長さである、段階を実行するよう構成される。
【０２１１】
本発明のもう一つの実施形態では、プロセッサ１００２はさらに：
前記DCIが前記送信時間単位指示情報を担持するときは、前記RARによって担持される上りリンク・スケジューリング情報および前記送信時間単位指示情報に従って、前記UL-SCH転送ブロックを、前記UL-SCH転送ブロックの事前設定された時間領域資源上で前記基地局に送るよう前記送信器１００４を制御する段階であって、前記UL-SCH転送ブロックの送信時間単位の時間長さは前記送信時間単位指示情報によって示される時間長さである、段階；
前記DCIが前記転送ブロック指示情報を担持するときは、前記RARによって担持される上りリンク・スケジューリング情報および前記DCIによって担持される前記転送ブロック指示情報に従って、前記UL-SCH転送ブロックを、前記転送ブロック指示情報によって示されるUL-SCH転送ブロック位置情報によって示される位置において、前記基地局に送るよう前記送信器１００４を制御する段階であって、前記UL-SCH転送ブロックの前記送信時間単位の時間長さは事前設定された時間長さであり、前記UL-SCH転送ブロック位置情報は、前記UL-SCH転送ブロックの時間領域資源および／または周波数領域資源についての情報を含む、段階；または
前記DCIが前記送信時間単位指示情報および前記転送ブロック指示情報を担持するときは、前記RARによって担持される上りリンク・スケジューリング情報ならびに前記DCIによって担持される前記送信時間単位指示情報および前記転送ブロック指示情報に従って、前記UL-SCH転送ブロックを、前記転送ブロック指示情報によって示されるUL-SCH転送ブロック位置情報によって示される位置において、前記基地局に送るよう前記送信器１００４を制御する段階であって、前記UL-SCH転送ブロックの前記送信時間単位の時間長さは前記送信時間単位指示情報によって示される時間長さである、段階を実行するよう構成される。
【０２１２】
本発明のこの実施形態では、プロセッサ１００２はさらに、受信されたDCIのフォーマットを判別する段階と；前記DCIのフォーマットが第一のDCIフォーマットである場合、前記DCIから前記送信時間単位指示情報および／または前記転送ブロック指示情報を取得する段階であって、前記第一のDCIフォーマットは前記第一の送信機能をもつUEによってのみ検出されるDCIフォーマットである、段階；
前記DCIのフォーマットがDCIフォーマット1Aである場合、DCIにおけるMCSビット・フィールドにおけるビット情報から、前記送信時間単位指示情報を取得する段階；または
前記DCIのフォーマットがDCIフォーマット1Cである場合、DCIにおける、新規データ・インジケーターNDIビット・フィールド、冗長性バージョンRVビット・フィールドおよび送信電力TPCビット・フィールドの最上位ビット（MSB）ビット・フィールドのうちの少なくとも一つにおけるビット・フィールドのビット情報から、前記送信時間単位指示情報および／または前記転送ブロック指示情報を取得する段階を実行するようさらに構成される。
【０２１３】
本発明のもう一つの実施形態では、プロセッサ１００２はさらに、ランダム・アクセス無線ネットワーク一時識別子RA-RNTIを決定する段階であって、前記RA-RNTIは(1＋t_id＋10*f_id＋X)  mod  Y＋1であり、XおよびYの値は整数である；または前記RA-RNTIは65301＋(10*t_id＋f_id)  mod  9であり、ここで、t_idは、前記ランダム・アクセス・プリアンブルを担持するPRACHの第一のサブフレームのシーケンス番号であり、0≦t_id＜10であり、f_idは前記ランダム・アクセス・プリアンブルを担持するPRACHの第一のサブフレームの第二のPRACHインデックスであり、0≦f_id＜6である、段階と；前記RA-RNTIに従って、前記PDCCHによって担持されるDCIをスクランブル解除する段階とを実行するよう構成される。
【０２１４】
本発明のこの実施形態において提供されるUEによれば、送信器がランダム・アクセス・プリアンブルを基地局に送り、前記ランダム・アクセス・プリアンブルは、前記UEが第一の送信機能をもつことを示すために使われる。受信器は、前記基地局によってPDCCHを使って送られたDCIを受信し、前記DCIによって示される前記DL-SCH転送ブロックに従って前記基地局によって送られた、前記ランダム・アクセス・プリアンブルについてのランダム・アクセス応答RARを、前記DCIに従って受信する。次いで、送信器は、前記RARによって担持される上りリンク・スケジューリング情報に従って、UL-SCH転送ブロックを送る。メッセージを送信するためのTTIが直接短縮されるときにUEが正しくメッセージを受信できない従来技術と比べて、DCIが送信時間単位指示情報を担持しており、送信時間単位指示情報および／または転送ブロック指示情報が基地局によって送られるRARの転送ブロックの送信単位の時間長さおよび／またはRARの転送ブロックの位置情報を指示しうるので、たとえ基地局がメッセージを短いTTIで送る場合でも、UEは、転送ブロックの長さおよび／または転送ブロックの位置情報に従って、基地局によって送られたメッセージをいまだ正しく識別し、基地局の送信時間単位指示情報に従って短いTTIにおいて基地局にメッセージを送ることができる。このようにして、情報送信中の送信時間単位の時間長さが短縮され、さらに、ランダム・アクセス時間が短縮される。
【０２１５】
諸実装の上記の記載に基づき、当業者は、本発明が、必要な普遍的なハードウェアに加えたソフトウェアによって、あるいはハードウェアのみによって実装されうることをはっきりと理解しうる。たいていの状況において、前者が好ましい実装である。そのような理解に基づき、本発明の技術的解決策は、本質的には、あるいは従来技術に寄与する部分は、ソフトウェア・プロダクトの形で実装されてもよい。ソフトウェア・プロダクトは、コンピュータのフロッピーディスク、ハードディスクまたは光ディスクのような可読記憶媒体に記憶され、コンピュータ装置（これはパーソナル・コンピュータ、サーバーまたはネットワーク装置でありうる）に本発明の実施形態において記載された方法を実行するよう命令するためのいくつかの命令を含む。
【０２１６】
上記の記述は単に本発明の個別的実装であり、本発明の保護範囲を限定することは意図されていない。本発明において開示される技術的範囲内で当業者によって容易に割り出されるいかなる変形または置換も、本発明の保護範囲にはいる。したがって、本発明の保護範囲は、請求項の保護範囲に従う。
【国際調査報告】
2019504570.tif 000013
2019504570.tif 000014
2019504570.tif 000015
2019504570.tif 000016